(57)【要約】本願は、上りチャネルの電力制御方法及び装置を開示する。当該方法において、端末に少なくとも２つ配置された搬送波群のうち各搬送波群の上り制御情報ＵＣＩは、ＵＣＩが位置する搬送波群に対応する少なくとも１つの上り搬送波のＰＵＣＣＨ及び／又はＰＵＳＣＨでフィードバックされ、上記端末は、各搬送波群での上りチャネルの目標送信電力を確定し、同時に伝送する上りチャネルの目標送信電力の和が端末の許容最大送信電力を超えたかを判断し、超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行う。本願は、異なる搬送波群の独立したＵＣＩフィードバックが端末からサポートされる場合、上り電力制御を実現する。【選択図】図１
2017505061.tif 000002
【特許請求の範囲】
【請求項１】
上りチャネルの電力制御方法において、
端末に少なくとも２つ配置された搬送波群のうち各搬送波群の上り制御情報ＵＣＩは、ＵＣＩが位置する搬送波群に対応する少なくとも１つの上り搬送波の物理上り制御チャネルＰＵＣＣＨ及び／又は物理上りシェアドチャネルＰＵＳＣＨでフィードバックされ、
上記端末は、
各搬送波群での上りチャネルの目標送信電力を確定し、
同時に伝送する上りチャネルの目標送信電力の和が端末の許容最大送信電力を超えたかを判断し、
超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行うことを含むことを特徴とする上りチャネルの電力制御方法。
【請求項２】
上記の少なくとも搬送されたＵＣＩのＵＣＩタイプの優先度に基づいて電力低下を行うことは、
搬送されたＵＣＩのＵＣＩタイプの優先度に基づいて電力低下を行う；
搬送されたＵＣＩのＵＣＩタイプの優先度及び搬送波の優先度に基づいて電力低下を行う；
搬送されたＵＣＩのＵＣＩタイプの優先度及びチャネルの優先度に基づいて電力低下を行う；
搬送されたＵＣＩのＵＣＩタイプの優先度、搬送波の優先度、チャネルの優先度に基づいて電力低下を行うのいずれか１つを含むことを特徴とする請求項１に記載の方法。
【請求項３】
上記ＵＣＩタイプの優先度は、
スケジューリング要求ＳＲの優先度≧肯定応答／否定応答ＡＣＫ／ＮＡＣＫの優先度＞チャネル状態情報ＣＳＩの優先度であり、
及び／又は、
上記搬送波の優先度は、
主要素搬送波の優先度＞他要素搬送波の優先度、及び／又は、主要素搬送波を含む搬送波群での搬送波の優先度＞主要素搬送波を含まない搬送波群での搬送波の優先度を含み、
及び／又は、
上記チャネルの優先度は、
ＰＵＣＣＨの優先度＞ＰＵＳＣＨの優先度、及び／又は、ＰＵＣＣＨの優先度＞ＵＣＩを搬送するＰＵＳＣＨの優先度＞ＵＣＩを搬送しないＰＵＳＣＨの優先度、及び／又は、現在サブフレームで物理ランダムアクセスチャネルＰＲＡＣＨを含むと、ＰＲＡＣＨの優先度≧ＰＵＣＣＨの優先度＞ＰＵＳＣＨの優先度、及び／又は、現在サブフレームでＰＲＡＣＨを含むと、ＰＲＡＣＨの優先度≧ＰＵＣＣＨの優先度＞ＵＣＩを搬送するＰＵＳＣＨの優先度＞ＵＣＩを搬送しないＰＵＳＣＨの優先度を含むことを特徴とする請求項２に記載の方法。
【請求項４】
上記の搬送されたＵＣＩのＵＣＩタイプの優先度に基づいて電力低下を行うことは、
搬送されたＵＣＩのＵＣＩタイプの優先度に基づいて電力割当優先度を確定し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度という優先度スキームＡを確定し、
上記優先度スキームＡに基づいて、電力割当優先度の低い順に上記ＰＵＣＣＨ及び／又はＰＵＳＣＨに対し逐次電力低下を行うことを含むことを特徴とする請求項２に記載の方法。
【請求項５】
上記優先度スキームＡは、
少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有し、少なくとも同一種類のＵＣＩタイプを含むＵＣＩを搬送する複数のＰＵＣＣＨとＰＵＳＣＨに同一の電力割当優先度を有することを更に含むことを特徴とする請求項４に記載の方法。
【請求項６】
上記の搬送されたＵＣＩのＵＣＩタイプの優先度及び搬送波の優先度に基づいて電力低下を行うことは、
搬送されたＵＣＩのＵＣＩタイプの優先度及び搬送波の優先度に基づいて、優先度スキームＢ又は優先度スキームＣを含む電力割当優先度スキームを確定し、
上記優先度スキームＢ又は優先度スキームＣに基づいて、電力割当優先度の低い順に上記ＰＵＣＣＨ及び／又はＰＵＳＣＨに対し逐次電力低下を行うことを含み、
上記優先度スキームＢは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一ＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義することを含み、
上記優先度スキームＣは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、且つ、主要素搬送波を含む搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まない搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、
又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義することを含むことを特徴とする請求項２に記載の方法。
【請求項７】
上記優先度スキームＢ及び／又は上記優先度スキームＣは、
主要素搬送波を含まない搬送波群のＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義し、
又は、主要素搬送波を含まないＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義することを更に含むことを特徴とする請求項６に記載の方法。
【請求項８】
上記の搬送されたＵＣＩのＵＣＩタイプの優先度及びチャネルの優先度に基づいて電力低下を行うことは、
搬送されたＵＣＩのＵＣＩタイプの優先度及びチャネルの優先度に基づいて、優先度スキームＤ又は優先度スキームＥを含む電力割当優先度を確定し、
優先度スキームＤ又は優先度スキームＥに基づいて、電力割当優先度の低い順に上記ＰＵＣＣＨ及び／又はＰＵＳＣＨに対し逐次電力低下を行うことを含み、
上記優先度スキームＤは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義することを含み、
上記優先度スキームＥは、
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの送信電力＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度を含むことを特徴とする請求項２に記載の方法。
【請求項９】
上記優先度スキームＤ及び／又は上記優先度スキームＥは、
少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有することを更に含むことを特徴とする請求項８に記載の方法。
【請求項１０】
上記の搬送されたＵＣＩのＵＣＩタイプの優先度、搬送波の優先度、チャネルの優先度に基づいて電力低下を行うことは、
搬送されたＵＣＩのＵＣＩタイプの優先度、搬送波の優先度、チャネルの優先度に基づいて、優先度スキームＦ、優先度スキームＧ、優先度スキームＨ、優先度スキームＩ、優先度スキームＪ又は優先度スキームＫを含む電力割当優先度を確定し、
上記優先度スキームＦ、優先度スキームＧ、優先度スキームＨ、優先度スキームＩ、優先度スキームＪ又は優先度スキームＫに基づいて、電力割当優先度の低い順に上記ＰＵＣＣＨ及び／又はＰＵＳＣＨに対し逐次電力低下を行うことを含み、
上記優先度スキームＦは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義し、
且つ、主要素搬送波を含む搬送波群のＵＣＩを搬送し且つＵＣＩに少なくとも同一種類のＵＣＩタイプを含むＰＵＣＣＨとＰＵＳＣＨ、及び、主要素搬送波を含まない搬送波群のＵＣＩを搬送し且つＵＣＩに少なくとも同一種類のＵＣＩタイプを含むＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義することを含み、
上記優先度スキームＧは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義することを含み、
上記優先度スキームＨは、
ＵＣＩを搬送するＰＵＣＣＨの電力割当優先度＞ＵＣＩを搬送するＰＵＳＣＨの電力割当優先度、
且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、
且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義することを含み、
上記優先度スキームＩは、
ＵＣＩを搬送するＰＵＣＣＨの電力割当優先度＞ＵＣＩを搬送するＰＵＳＣＨの電力割当優先度、
且つ、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度、
且つ、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度、
且つ、主要素搬送波を含む搬送波群のＵＣＩを搬送するＰＵＣＣＨ及び主要素搬送波を含まない搬送波群のＵＣＩを搬送するＰＵＣＣＨ、又は、主要素搬送波を含むＵＣＩを搬送するＰＵＣＣＨ及び主要素搬送波を含まないＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＳＣＨ及び主要素搬送波を含まない搬送波群のＵＣＩを搬送するＰＵＳＣＨ、又は、主要素搬送波を含むＵＣＩを搬送するＰＵＳＣＨ及び主要素搬送波を含まないＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義することを含み、
上記優先度スキームＪは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ又は主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義し、
且つ、主要素搬送波を含まない搬送波群のＵＣＩを搬送するＰＵＣＣＨとＰＵＳＣＨ又は主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義することを含み、
上記優先度スキームＫは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ、及び主要素搬送波を含まない搬送波群のＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度、且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義し、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度、且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義することを含むことを特徴とする請求項２に記載の方法。
【請求項１１】
上記優先度スキームＦ、優先度スキームＧ、優先度スキームＨ、優先度スキームＩ、優先度スキームＪ又は優先度スキームＫにおいて、
主要素搬送波を含まない搬送波群のＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義し、
又は、主要素搬送波を含まないＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義することを更に含むことを特徴とする請求項１０に記載の方法。
【請求項１２】
電力低下を行うべき上りチャネルに同一の電力割当優先度を有する複数上りチャネルが存在する場合、上記複数上りチャネルに対し等比例的に電力低下を行い、ここで、上記上りチャネルは、ＰＵＣＣＨ、ＰＵＳＣＨ、ＰＲＡＣＨのうちの１つ又は複数の種類を含むことを特徴とする請求項４〜１１のいずれか一項に記載の方法。
【請求項１３】
多種類ＵＣＩタイプのＵＣＩが同時に１つの上りチャネルで搬送される場合、上記多種類ＵＣＩタイプに対応する最高優先度に基づいて、搬送された上りチャネルの電力割当優先度を確定することを特徴とする請求項４〜１２のいずれか一項に記載の方法。
【請求項１４】
ＣＳＩは周期的ＣＳＩと非周期的ＣＳＩを含み、
ここで、非周期的ＣＳＩの優先度が周期的ＣＳＩより高く、
又は、非周期的ＣＳＩを搬送するＰＵＳＣＨが存在する場合、非周期的ＣＳＩを搬送するＰＵＳＣＨの電力割当優先度が周期的ＣＳＩを搬送するＰＵＣＣＨの電力割当優先度に等しく、又はそれより大きく、又はそれより小さいことを特徴とする請求項１〜１３のいずれか一項に記載の方法。
【請求項１５】
確定ユニットと、判断ユニットと、電力制御ユニットとを含む端末であって、
当該確定ユニットは、各搬送波群での上りチャネルの目標送信電力を確定し、ここで、上記端末に少なくとも２つの搬送波群が配置され、各搬送波群の上り制御情報ＵＣＩは、ＵＣＩが位置する搬送波群に対応する少なくとも１つの上り搬送波の物理上り制御チャネルＰＵＣＣＨ及び／又は物理上りシェアドチャネルＰＵＳＣＨでフィードバックされ、
当該判断ユニットは、同時に伝送する上りチャネルの目標送信電力の和が端末の許容最大送信電力を超えたかを判断し、
当該電力制御ユニットは、上記判断ユニットにより超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行うことを特徴とする端末。
【請求項１６】
上記電力制御ユニットは、具体的に、
搬送されたＵＣＩのＵＣＩタイプの優先度に基づいて電力低下を行い、又は、
搬送されたＵＣＩのＵＣＩタイプの優先度及び搬送波の優先度に基づいて電力低下を行い、又は、
搬送されたＵＣＩのＵＣＩタイプの優先度及びチャネルの優先度に基づいて電力低下を行い、又は、
搬送されたＵＣＩのＵＣＩタイプの優先度、搬送波の優先度、チャネルの優先度に基づいて電力低下を行うことを特徴とする請求項１５に記載の端末。
【請求項１７】
上記ＵＣＩタイプの優先度は、
スケジューリング要求ＳＲの優先度≧肯定応答／否定応答ＡＣＫ／ＮＡＣＫの優先度＞チャネル状態情報ＣＳＩの優先度であり、
及び／又は、
上記搬送波の優先度は、
主要素搬送波の優先度＞他要素搬送波の優先度、及び／又は、主要素搬送波を含む搬送波群での搬送波の優先度＞主要素搬送波を含まない搬送波群での搬送波の優先度を含み、
及び／又は、
上記チャネルの優先度は、
ＰＵＣＣＨの優先度＞ＰＵＳＣＨの優先度、及び／又は、ＰＵＣＣＨの優先度＞ＵＣＩを搬送するＰＵＳＣＨの優先度＞ＵＣＩを搬送しないＰＵＳＣＨの優先度、及び／又は、現在サブフレームで物理ランダムアクセスチャネルＰＲＡＣＨを含むと、ＰＲＡＣＨの優先度≧ＰＵＣＣＨの優先度＞ＰＵＳＣＨの優先度、及び／又は、現在サブフレームでＰＲＡＣＨを含むと、ＰＲＡＣＨの優先度≧ＰＵＣＣＨの優先度＞ＵＣＩを搬送するＰＵＳＣＨの優先度＞ＵＣＩを搬送しないＰＵＳＣＨの優先度を含むことを特徴とする請求項１６に記載の端末。
【請求項１８】
上記電力制御ユニットは、具体的に、
搬送されたＵＣＩのＵＣＩタイプの優先度に基づいて電力割当優先度を確定し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度という優先度スキームＡを確定し、
上記優先度スキームＡに基づいて、電力割当優先度の低い順に上記ＰＵＣＣＨ及び／又はＰＵＳＣＨに対し逐次電力低下を行うことにより、搬送されたＵＣＩのＵＣＩタイプの優先度に基づく電力低下を実現し、
及び／又は、
搬送されたＵＣＩのＵＣＩタイプの優先度及び搬送波の優先度に基づいて、優先度スキームＢ又は優先度スキームＣを含む電力割当優先度スキームを確定し、
上記優先度スキームＢ又は優先度スキームＣに基づいて、電力割当優先度の低い順に上記ＰＵＣＣＨ及び／又はＰＵＳＣＨに対し逐次電力低下を行うことにより、搬送されたＵＣＩのＵＣＩタイプの優先度及び搬送波の優先度に基づいく電力低下を実現し、
上記優先度スキームＢは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一ＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義することを含み、
上記優先度スキームＣは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、且つ、主要素搬送波を含む搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まない搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、
又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義することを含み、
及び／又は、
搬送されたＵＣＩのＵＣＩタイプの優先度及びチャネルの優先度に基づいて、優先度スキームＤ又は優先度スキームＥを含む電力割当優先度を確定し、
優先度スキームＤ又は優先度スキームＥに基づいて、電力割当優先度の低い順に上記ＰＵＣＣＨ及び／又はＰＵＳＣＨに対し逐次電力低下を行うことにより、搬送されたＵＣＩのＵＣＩタイプの優先度及びチャネルの優先度に基づいく電力低下を実現し、
上記優先度スキームＤは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義することを含み、
上記優先度スキームＥは、
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの送信電力＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度を含み、
及び／又は、
搬送されたＵＣＩのＵＣＩタイプの優先度、搬送波の優先度、チャネルの優先度に基づいて、優先度スキームＦ、優先度スキームＧ、優先度スキームＨ、優先度スキームＩ、優先度スキームＪ又は優先度スキームＫを含む電力割当優先度を確定し、
上記優先度スキームＦ、優先度スキームＧ、優先度スキームＨ、優先度スキームＩ、優先度スキームＪ又は優先度スキームＫに基づいて、電力割当優先度の低い順に上記ＰＵＣＣＨ及び／又はＰＵＳＣＨに対し逐次電力低下を行うことにより、搬送されたＵＣＩのＵＣＩタイプの優先度、搬送波の優先度、チャネルの優先度に基づいく電力低下を実現し、
上記優先度スキームＦは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義し、
且つ、主要素搬送波を含む搬送波群のＵＣＩを搬送し且つＵＣＩに少なくとも同一種類のＵＣＩタイプを含むＰＵＣＣＨとＰＵＳＣＨ、及び、主要素搬送波を含まない搬送波群のＵＣＩを搬送し且つＵＣＩに少なくとも同一種類のＵＣＩタイプを含むＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義することを含み、
上記優先度スキームＧは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義することを含み、
上記優先度スキームＨは、
ＵＣＩを搬送するＰＵＣＣＨの電力割当優先度＞ＵＣＩを搬送するＰＵＳＣＨの電力割当優先度、
且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、
且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義することを含み、
上記優先度スキームＩは、
ＵＣＩを搬送するＰＵＣＣＨの電力割当優先度＞ＵＣＩを搬送するＰＵＳＣＨの電力割当優先度、
且つ、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度、
且つ、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度、
且つ、主要素搬送波を含む搬送波群のＵＣＩを搬送するＰＵＣＣＨ及び主要素搬送波を含まない搬送波群のＵＣＩを搬送するＰＵＣＣＨ、又は、主要素搬送波を含むＵＣＩを搬送するＰＵＣＣＨ及び主要素搬送波を含まないＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＳＣＨ及び主要素搬送波を含まない搬送波群のＵＣＩを搬送するＰＵＳＣＨ、又は、主要素搬送波を含むＵＣＩを搬送するＰＵＳＣＨ及び主要素搬送波を含まないＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義することを含み、
上記優先度スキームＪは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ又は主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義し、
且つ、主要素搬送波を含まない搬送波群のＵＣＩを搬送するＰＵＣＣＨとＰＵＳＣＨ又は主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義することを含み、
上記優先度スキームＫは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義することを含むことを特徴とする請求項１６に記載の端末。
【請求項１９】
上記優先度スキームＡは、
少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有し、少なくとも同一種類のＵＣＩタイプを含むＵＣＩを搬送する複数のＰＵＣＣＨとＰＵＳＣＨに同一の電力割当優先度を有することを更に含み、
及び／又は、
上記優先度スキームＢ及び／又は上記優先度スキームＣは、
主要素搬送波を含まない搬送波群のＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義し、
又は、主要素搬送波を含まないＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義することを更に含み、
及び／又は、
上記優先度スキームＤ及び／又は上記優先度スキームＥは、
少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有することを更に含み、
及び／又は、
上記優先度スキームＦ、優先度スキームＧ、優先度スキームＨ、優先度スキームＩ、優先度スキームＪ又は優先度スキームＫにおいて、
主要素搬送波を含まない搬送波群のＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義し、
又は、主要素搬送波を含まないＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義することを更に含むことを特徴とする請求項１８に記載の端末。
【請求項２０】
上記電力制御ユニットは、
電力低下を行うべき上りチャネルに同一の電力割当優先度を有する複数上りチャネルが存在する場合、上記複数上りチャネルに対し等比例的に電力低下を行い、
ここで、上記上りチャネルは、ＰＵＣＣＨ、ＰＵＳＣＨ、ＰＲＡＣＨのうちの１つ又は複数の種類を含むことを特徴とする請求項１８又は１９に記載の端末。
【請求項２１】
上記電力制御ユニットは、
多種類ＵＣＩタイプのＵＣＩが同時に１つの上りチャネルで搬送される場合、上記多種類ＵＣＩタイプに対応する最高優先度に基づいて、搬送された上りチャネルの電力割当優先度を確定することを特徴とする請求項１８又は１９に記載の端末。
【請求項２２】
ＣＳＩは周期的ＣＳＩと非周期的ＣＳＩを含み、
ここで、非周期的ＣＳＩの優先度が周期的ＣＳＩより高く、
又は、非周期的ＣＳＩを搬送するＰＵＳＣＨが存在する場合、非周期的ＣＳＩを搬送するＰＵＳＣＨの電力割当優先度が周期的ＣＳＩを搬送するＰＵＣＣＨの電力割当優先度に等しく、又はそれより大きく、又はそれより小さいことを特徴とする請求項１５〜２１のいずれか一項に記載の端末。
【発明の詳細な説明】
【技術分野】
【０００１】
本願は、２０１４年１月２８日に中国特許庁に提出された中国特許出願２０１４１００４２３８２．４（発明の名称：「上りチャネルの電力制御方法及び装置」）の優先権を主張し、その全ての内容が援用により本願に取り込まれる。
【０００２】
本願は、無線通信技術分野に関し、特に、上りチャネルの電力制御方法及び装置に関する。
【背景技術】
【０００３】
ＬＴＥ（Ｌｏｎｇ  Ｔｅｒｍ  Ｅｖｏｌｕｔｉｏｎ）の後続となる進化システムでは、搬送波群に基づいて上り制御情報ＵＣＩ（Ｕｐｌｉｎｋ  Ｃｏｎｔｒｏｌ  Ｉｎｆｏｒｍａｔｉｏｎ）フィードバックを行う伝送方法をサポートすることがありうる。即ち、集約搬送波を複数の搬送波群に分け、各搬送波群内でそれぞれＵＣＩフィードバックを行う。ここで、各搬送波群で１つの上り搬送波を指定し、当該搬送波で物理上り制御チャネルＰＵＣＣＨ（Ｐｈｙｓｉｃａｌ  Ｕｐｌｉｎｋ  Ｃｏｎｔｒｏｌ  Ｃｈａｎｎｅｌ）により当該搬送波群のＵＣＩをフィードバックする。各搬送波群での搬送波に対応するＵＣＩは、更に、当該搬送波群での１つの物理上りシェアドチャネルＰＵＳＣＨ（Ｐｈｙｓｉｃａｌ  Ｕｐｌｉｎｋ  Ｓｈａｒｅｄ  Ｃｈａｎｎｅｌ）により搬送されてフィードバックされることもできる。従って、１つのユーザ機器（Ｕｓｅｒ  Ｅｑｕｉｐｍｅｎｔ、端末とも呼ばれる）は、同一の上りサブフレームにおいて、異なる搬送波群のＵＣＩを搬送する複数のＰＵＣＣＨ及び／又はＰＵＳＣＨが存在することがある。
【０００４】
ＵＣＩは、肯定応答／否定応答ＡＣＫ／ＮＡＣＫ（ＡＣＫｎｏｗｌｅｄｇｅｍｅｎｔ／Ｎｏｎ−ＡＣＫｎｏｗｌｅｄｇｅｍｅｎｔ）、チャネル状態情報ＣＳＩ（Ｃｈａｎｎｅｌ  Ｓｔａｔｅ  Ｉｎｆｏｒｍａｔｉｏｎ）、スケジューリング要求ＳＲ（Ｓｃｈｅｄｕｌｉｎｇ  Ｒｅｑｕｅｓｔ）を含むが、ＣＳＩには周期的ＣＳＩと非周期的ＣＳＩを含む。
【０００５】
ＬＴＥ−Ａ（Ｌｏｎｇ  Ｔｅｒｍ  Ｅｖｏｌｕｔｉｏｎ−Ａｄｖａｎｃｅｄ）のＲｅｌ−１０（Ｒｅｌｅａｓｅ−１０）／Ｒｅｌ−１１システムにおいて、上り主要素搬送波ＰＣＣ（Ｐｒｉｍａｒｙ  Ｃｏｍｐｏｎｅｎｔ  Ｃａｒｒｉｅｒ）でのＰＵＣＣＨ伝送しかサポートしない。ＵＥは、同一の上りサブフレームにおいて、複数の上り搬送波で同時にＰＵＳＣＨ伝送が存在するが、そのうちの１つのＰＵＳＣＨでＵＣＩを搬送して伝送するしかできない。ＰＵＣＣＨとＵＣＩを搬送するＰＵＳＣＨが同時に存在する場合、ＰＵＣＣＨとＰＵＳＣＨに搬送されるＵＣＩのタイプが異なる。例えば、ＰＵＣＣＨでＡＣＫ／ＮＡＣＫを搬送し、ＰＵＳＣＨで周期的ＣＳＩを搬送する。即ち、ＰＵＣＣＨで搬送するＵＣＩタイプは、比較的重要である。複数のＰＵＣＣＨ及び／又はＰＵＳＣＨで同一タイプのＵＣＩを同時に搬送し、又は、ＰＵＳＣＨで搬送するＵＣＩタイプがより重要であるという場合が存在しない。従って、電力制御時に、ＰＵＣＣＨの送信電力が低下しないことを優先的に保証する。
【０００６】
後続となる進化システムにおいて、ＵＣＩを搬送する複数のＰＵＣＣＨ及び／又はＰＵＳＣＨによる同時伝送が存在するが、従来のシステムでは、電力の制限時に、ＵＣＩを搬送する複数のＰＵＣＣＨ及び／又はＰＵＳＣＨに対し如何にして電力低下をさせるかについて定義されていない。また、複数のＰＵＣＣＨ及び／又はＰＵＳＣＨで同一又は異なるタイプのＵＣＩを搬送する可能性があり、例えば全てＡＣＫ／ＮＡＣＫを搬送し、又は１つのＰＵＣＣＨ（ＰＵＳＣＨ）で１つの搬送波群での周期的ＣＳＩを搬送し、別のＰＵＣＣＨ（ＰＵＳＣＨ）で別の搬送波群のＡＣＫ／ＮＡＣＫを搬送する。電力の制限時に、相変わらず従来システムの電力制御スキームに従ってＰＵＣＣＨの送信電力を優先的に保証すると、より重要であるＵＣＩタイプ、例えばＳＲ、ＡＣＫ／ＮＡＣＫなどの伝送性能が送信電力の低下により低下する可能性があり、システム全体の伝送性能に影響を与える。
【０００７】
従って、現在、異なる搬送波群に対する独立なＵＣＩフィードバックがＵＥからサポートされるときに、対応する上り電力制御スキームがない。
【発明の概要】
【０００８】
本願の実施例は、異なる搬送波群に対する独立なＵＣＩフィードバックが端末からサポートされる場合の上り電力制御を実現するための、上りチャネルの電力制御方法及び装置を提供する。
【０００９】
本願実施例による上りチャネルの電力制御方法において、端末に少なくとも２つ配置された搬送波群のうち各搬送波群の上り制御情報ＵＣＩは、ＵＣＩが位置する搬送波群に対応する少なくとも１つの上り搬送波のＰＵＣＣＨ及び／又はＰＵＳＣＨでフィードバックされ、上記端末は、各搬送波群での上りチャネルの目標送信電力を確定することと、同時に伝送する上りチャネルの目標送信電力の和が端末の許容最大送信電力を超えたかを判断することと、超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行うことを含む。
【００１０】
ここで、少なくとも搬送されたＵＣＩのＵＣＩタイプの優先度に基づいて電力低下を行うことは、搬送されたＵＣＩのＵＣＩタイプの優先度に基づいて電力低下を行うこと、搬送されたＵＣＩのＵＣＩタイプの優先度及び搬送波の優先度に基づいて電力低下を行うこと、搬送されたＵＣＩのＵＣＩタイプの優先度及びチャネルの優先度に基づいて電力低下を行うこと、搬送されたＵＣＩのＵＣＩタイプの優先度、搬送波の優先度、チャネルの優先度に基づいて電力低下を行うことのいずれか１つを含む。
【００１１】
上記いずれの方法実施例に基づき、上記ＵＣＩタイプの優先度は、スケジューリング要求ＳＲの優先度≧肯定応答／否定応答ＡＣＫ／ＮＡＣＫの優先度＞チャネル状態情報ＣＳＩの優先度であることが好ましい。
【００１２】
上記いずれの搬送波の優先度に関する方法実施例に基づき、上記搬送波の優先度は、主要素搬送波の優先度＞他要素搬送波の優先度、及び／又は、主要素搬送波を含む搬送波群での搬送波の優先度＞主要素搬送波を含まない搬送波群での搬送波の優先度を含むことが好ましい。
【００１３】
上記いずれのチャネルの優先度に関する方法実施例に基づき、上記チャネルの優先度は、ＰＵＣＣＨの優先度＞ＰＵＳＣＨの優先度、及び／又は、ＰＵＣＣＨの優先度＞ＵＣＩを搬送するＰＵＳＣＨの優先度＞ＵＣＩを搬送しないＰＵＳＣＨの優先度、及び／又は、現在サブフレームで物理ランダムアクセスチャネルを含むと、物理ランダムアクセスチャネルの優先度≧ＰＵＣＣＨの優先度＞ＰＵＳＣＨの優先度、及び／又は、現在サブフレームで物理ランダムアクセスチャネルを含むと、物理ランダムアクセスチャネルの優先度≧ＰＵＣＣＨの優先度＞ＵＣＩを搬送するＰＵＳＣＨの優先度＞ＵＣＩを搬送しないＰＵＳＣＨの優先度を含むことが好ましい。
【００１４】
搬送されたＵＣＩのＵＣＩタイプの優先度に基づいて電力低下を行うことは、搬送されたＵＣＩのＵＣＩタイプの優先度に基づいて電力割当優先度を確定し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度という優先度スキームＡを確定することと、上記優先度スキームＡに基づいて、電力割当優先度の低い順に上記ＰＵＣＣＨ及び／又はＰＵＳＣＨに対し逐次電力低下を行うことを含むことが好ましい。
【００１５】
上記優先度スキームＡは、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有し、少なくとも同一種類のＵＣＩタイプを含むＵＣＩを搬送する複数のＰＵＣＣＨとＰＵＳＣＨに同一の電力割当優先度を有することを更に含むことが好ましい。
【００１６】
上記の搬送されたＵＣＩのＵＣＩタイプの優先度及び搬送波の優先度に基づいて電力低下を行うことは、搬送されたＵＣＩのＵＣＩタイプの優先度及び搬送波の優先度に基づいて、優先度スキームＢ又は優先度スキームＣを含む電力割当優先度を確定することと、上記優先度スキームＢ又は優先度スキームＣに基づいて、電力割当優先度の低い順に上記ＰＵＣＣＨ及び／又はＰＵＳＣＨに対し逐次電力低下を行うことを含むことが好ましい。
上記優先度スキームＢ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一ＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義する。
上記優先度スキームＣ：
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、且つ、主要素搬送波を含む搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まない搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、
又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義する。
【００１７】
上記優先度スキームＢ及び／又は上記優先度スキームＣは、主要素搬送波を含まない搬送波群のＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義し、又は、主要素搬送波を含まないＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義することを更に含むことが好ましい。
【００１８】
搬送されたＵＣＩのＵＣＩタイプの優先度及びチャネルの優先度に基づいて電力低下を行うことは、搬送されたＵＣＩのＵＣＩタイプの優先度及びチャネルの優先度に基づいて、優先度スキームＤ又は優先度スキームＥを含む電力割当優先度を確定することと、優先度スキームＤ又は優先度スキームＥに基づいて、電力割当優先度の低い順に上記ＰＵＣＣＨ及び／又はＰＵＳＣＨに対し逐次電力低下を行うことを含むことが好ましい。
上記優先度スキームＤ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義する。
上記優先度スキームＥ：
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの送信電力＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度。
【００１９】
上記優先度スキームＤ及び／又は上記優先度スキームＥは、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有することを更に含むことが好ましい。
【００２０】
搬送されたＵＣＩのＵＣＩタイプの優先度、搬送波の優先度、チャネルの優先度に基づいて電力低下を行うことは、搬送されたＵＣＩのＵＣＩタイプの優先度、搬送波の優先度、チャネルの優先度に基づいて、優先度スキームＦ、優先度スキームＧ、優先度スキームＨ、優先度スキームＩ、優先度スキームＪ又は優先度スキームＫを含む電力割当優先度を確定することと、上記優先度スキームＦ、優先度スキームＧ、優先度スキームＨ、優先度スキームＩ、優先度スキームＪ又は優先度スキームＫに基づいて、電力割当優先度の低い順に上記ＰＵＣＣＨ及び／又はＰＵＳＣＨに対し逐次電力低下を行うことを含むことが好ましい。
上記優先度スキームＦ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義し、
且つ、主要素搬送波を含む搬送波群のＵＣＩを搬送し且つＵＣＩに少なくとも同一種類のＵＣＩタイプを含むＰＵＣＣＨとＰＵＳＣＨ、及び、主要素搬送波を含まない搬送波群のＵＣＩを搬送し且つＵＣＩに少なくとも同一種類のＵＣＩタイプを含むＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義する。
上記優先度スキームＧ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義する。
上記優先度スキームＨ：
ＵＣＩを搬送するＰＵＣＣＨの電力割当優先度＞ＵＣＩを搬送するＰＵＳＣＨの電力割当優先度、
且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、
且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義する。
上記優先度スキームＩ：
ＵＣＩを搬送するＰＵＣＣＨの電力割当優先度＞ＵＣＩを搬送するＰＵＳＣＨの電力割当優先度、
且つ、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度、
且つ、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度、
且つ、主要素搬送波を含む搬送波群のＵＣＩを搬送するＰＵＣＣＨ及び主要素搬送波を含まない搬送波群のＵＣＩを搬送するＰＵＣＣＨ、又は、主要素搬送波を含むＵＣＩを搬送するＰＵＣＣＨ及び主要素搬送波を含まないＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＳＣＨ及び主要素搬送波を含まない搬送波群のＵＣＩを搬送するＰＵＳＣＨ、又は、主要素搬送波を含むＵＣＩを搬送するＰＵＳＣＨ及び主要素搬送波を含まないＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義する。
上記優先度スキームＪ：
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ又は主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義し、
且つ、主要素搬送波を含まない搬送波群のＵＣＩを搬送するＰＵＣＣＨとＰＵＳＣＨ又は主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義する。
上記優先度スキームＫ：
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義する。
【００２１】
上記優先度スキームＦ、優先度スキームＧ、優先度スキームＨ、優先度スキームＩ、優先度スキームＪ又は優先度スキームＫにおいて、主要素搬送波を含まない搬送波群のＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義し、又は、主要素搬送波を含まないＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義することを更に含むことが好ましい。
【００２２】
上記いずれの方法実施例に基づき、電力低下を行うべき上りチャネルに同一の電力割当優先度を有する複数上りチャネルが存在する場合、上記複数上りチャネルに対し等比例的に電力低下を行うことが好ましい。ここで、上記上りチャネルは、ＰＵＣＣＨ、ＰＵＳＣＨ、ＰＲＡＣＨのうちの１つ又は複数の種類を含む。
【００２３】
上記いずれの方法実施例に基づき、多種類ＵＣＩタイプのＵＣＩが同時に１つの上りチャネルで搬送される場合、上記多種類ＵＣＩタイプに対応する最高優先度に基づいて、搬送された上りチャネルの電力割当優先度を確定することが好ましい。
【００２４】
上記いずれの方法実施例に基づき、ＣＳＩは周期的ＣＳＩと非周期的ＣＳＩを含むことが好ましい。ここで、非周期的ＣＳＩの優先度が周期的ＣＳＩより高く、又は、非周期的ＣＳＩを搬送するＰＵＳＣＨが存在する場合、非周期的ＣＳＩを搬送するＰＵＳＣＨの電力割当優先度が周期的ＣＳＩを搬送するＰＵＣＣＨの電力割当優先度に等しく、又はそれより大きく、又はそれより小さい。
【００２５】
本願実施例による端末は、確定ユニットと、判断ユニットと、電力制御ユニットとを含む。当該確定ユニットは、各搬送波群での上りチャネルの目標送信電力を確定する。ここで、上記端末に少なくとも２つの搬送波群が配置され、各搬送波群の上り制御情報ＵＣＩは、ＵＣＩが位置する搬送波群に対応する少なくとも１つの上り搬送波の物理上り制御チャネルＰＵＣＣＨ及び／又は物理上りシェアドチャネルＰＵＳＣＨでフィードバックされる。当該判断ユニットは、同時に伝送する上りチャネルの目標送信電力の和が端末の許容最大送信電力を超えたかを判断する。当該電力制御ユニットは、上記判断ユニットにより超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行う。
【００２６】
上記電力制御ユニットは、具体的に、搬送されたＵＣＩのＵＣＩタイプの優先度に基づいて電力低下を行い、又は、搬送されたＵＣＩのＵＣＩタイプの優先度及び搬送波の優先度に基づいて電力低下を行い、又は、搬送されたＵＣＩのＵＣＩタイプの優先度及びチャネルの優先度に基づいて電力低下を行い、又は、搬送されたＵＣＩのＵＣＩタイプの優先度、搬送波の優先度、チャネルの優先度に基づいて電力低下を行うことが好ましい。
【００２７】
上記いずれの端末実施例に基づき、上記ＵＣＩタイプの優先度は、スケジューリング要求ＳＲの優先度≧肯定応答／否定応答ＡＣＫ／ＮＡＣＫの優先度＞チャネル状態情報ＣＳＩの優先度であることが好ましい。
【００２８】
上記搬送波の優先度は、主要素搬送波の優先度＞他要素搬送波の優先度、及び／又は、主要素搬送波を含む搬送波群での搬送波の優先度＞主要素搬送波を含まない搬送波群での搬送波の優先度を含むことが好ましい。
【００２９】
上記チャネルの優先度は、ＰＵＣＣＨの優先度＞ＰＵＳＣＨの優先度、及び／又は、ＰＵＣＣＨの優先度＞ＵＣＩを搬送するＰＵＳＣＨの優先度＞ＵＣＩを搬送しないＰＵＳＣＨの優先度、及び／又は、現在サブフレームで物理ランダムアクセスチャネルＰＲＡＣＨを含むと、ＰＲＡＣＨの優先度≧ＰＵＣＣＨの優先度＞ＰＵＳＣＨの優先度、及び／又は、現在サブフレームでＰＲＡＣＨを含むと、ＰＲＡＣＨの優先度≧ＰＵＣＣＨの優先度＞ＵＣＩを搬送するＰＵＳＣＨの優先度＞ＵＣＩを搬送しないＰＵＳＣＨの優先度を含むことが好ましい。
【００３０】
上記電力制御ユニットは、具体的に、以下の方式を採用して、搬送されたＵＣＩのＵＣＩタイプの優先度に基づく電力低下を実現し、即ち、搬送されたＵＣＩのＵＣＩタイプの優先度に基づいて電力割当優先度を確定し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度という優先度スキームＡを確定し、上記優先度スキームＡに基づいて、電力割当優先度の低い順に上記ＰＵＣＣＨ及び／又はＰＵＳＣＨに対し逐次電力低下を行うことが好ましい。
【００３１】
上記優先度スキームＡは、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有し、少なくとも同一種類のＵＣＩタイプを含むＵＣＩを搬送する複数のＰＵＣＣＨとＰＵＳＣＨに同一の電力割当優先度を有することを更に含むことが好ましい。
【００３２】
上記電力制御ユニットは、具体的に、以下の方式を採用して、搬送されたＵＣＩのＵＣＩタイプの優先度及び搬送波の優先度に基づいく電力低下を実現し、即ち、搬送されたＵＣＩのＵＣＩタイプの優先度及び搬送波の優先度に基づいて、優先度スキームＢ又は優先度スキームＣを含む電力割当優先度スキームを確定し、上記優先度スキームＢ又は優先度スキームＣに基づいて、電力割当優先度の低い順に上記ＰＵＣＣＨ及び／又はＰＵＳＣＨに対し逐次電力低下を行うことが好ましい。
上記優先度スキームＢ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一ＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義する。
上記優先度スキームＣ：
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、且つ、主要素搬送波を含む搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まない搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、
又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義する。
【００３３】
上記優先度スキームＢ及び／又は上記優先度スキームＣは、主要素搬送波を含まない搬送波群のＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義し、又は、主要素搬送波を含まないＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義することを更に含むことが好ましい。
【００３４】
上記電力制御ユニットは、具体的に、以下の方式を採用して、搬送されたＵＣＩのＵＣＩタイプの優先度及びチャネルの優先度に基づいく電力低下を実現し、即ち、搬送されたＵＣＩのＵＣＩタイプの優先度及びチャネルの優先度に基づいて、優先度スキームＤ又は優先度スキームＥを含む電力割当優先度を確定し、優先度スキームＤ又は優先度スキームＥに基づいて、電力割当優先度の低い順に上記ＰＵＣＣＨ及び／又はＰＵＳＣＨに対し逐次電力低下を行うことが好ましい。
上記優先度スキームＤ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義する。
上記優先度スキームＥ：
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの送信電力＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度。
【００３５】
上記優先度スキームＤ及び／又は上記優先度スキームＥは、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有することを更に含むことが好ましい。
【００３６】
上記電力制御ユニットは、具体的に、以下の方式を採用して、搬送されたＵＣＩのＵＣＩタイプの優先度、搬送波の優先度、チャネルの優先度に基づいく電力低下を実現し、即ち、搬送されたＵＣＩのＵＣＩタイプの優先度、搬送波の優先度、チャネルの優先度に基づいて、優先度スキームＦ、優先度スキームＧ、優先度スキームＨ、優先度スキームＩ、優先度スキームＪ又は優先度スキームＫを含む電力割当優先度を確定し、上記優先度スキームＦ、優先度スキームＧ、優先度スキームＨ、優先度スキームＩ、優先度スキームＪ又は優先度スキームＫに基づいて、電力割当優先度の低い順に上記ＰＵＣＣＨ及び／又はＰＵＳＣＨに対し逐次電力低下を行うことが好ましい。
上記優先度スキームＦ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義し、
且つ、主要素搬送波を含む搬送波群のＵＣＩを搬送し且つＵＣＩに少なくとも同一種類のＵＣＩタイプを含むＰＵＣＣＨとＰＵＳＣＨ、及び、主要素搬送波を含まない搬送波群のＵＣＩを搬送し且つＵＣＩに少なくとも同一種類のＵＣＩタイプを含むＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義する。
上記優先度スキームＧ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義する。
上記優先度スキームＨ：
ＵＣＩを搬送するＰＵＣＣＨの電力割当優先度＞ＵＣＩを搬送するＰＵＳＣＨの電力割当優先度、
且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、
且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義する。
上記優先度スキームＩ：
ＵＣＩを搬送するＰＵＣＣＨの電力割当優先度＞ＵＣＩを搬送するＰＵＳＣＨの電力割当優先度、
且つ、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度、
且つ、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度、
且つ、主要素搬送波を含む搬送波群のＵＣＩを搬送するＰＵＣＣＨ及び主要素搬送波を含まない搬送波群のＵＣＩを搬送するＰＵＣＣＨ、又は、主要素搬送波を含むＵＣＩを搬送するＰＵＣＣＨ及び主要素搬送波を含まないＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＳＣＨ及び主要素搬送波を含まない搬送波群のＵＣＩを搬送するＰＵＳＣＨ、又は、主要素搬送波を含むＵＣＩを搬送するＰＵＳＣＨ及び主要素搬送波を含まないＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義する。
上記優先度スキームＪ：
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ又は主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義し、
且つ、主要素搬送波を含まない搬送波群のＵＣＩを搬送するＰＵＣＣＨとＰＵＳＣＨ又は主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＵＣＩを搬送するＰＵＳＣＨの電力割当優先度＞ＵＣＩを搬送しないＰＵＳＣＨの電力割当優先度と定義する。
上記優先度スキームＫ：
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義する。
【００３７】
上記優先度スキームＦ、優先度スキームＧ、優先度スキームＨ、優先度スキームＩ、優先度スキームＪ又は優先度スキームＫにおいて、主要素搬送波を含まない搬送波群のＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義し、又は、主要素搬送波を含まないＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義することを更に含むことが好ましい。
【００３８】
上記いずれの端末実施例に基づき、上記電力制御ユニットは、電力低下を行うべき上りチャネルに同一の電力割当優先度を有する複数上りチャネルが存在する場合、上記複数上りチャネルに対し等比例的に電力低下を行うことが好ましい。ここで、上記上りチャネルは、ＰＵＣＣＨ、ＰＵＳＣＨ、ＰＲＡＣＨのうちの１つ又は複数の種類を含む。
【００３９】
上記いずれの端末実施例に基づいて、上記電力制御ユニットは、多種類ＵＣＩタイプのＵＣＩが同時に１つの上りチャネルで搬送される場合、上記多種類ＵＣＩタイプに対応する最高優先度に基づいて、搬送された上りチャネルの電力割当優先度を確定することが好ましい。
【００４０】
上記いずれの端末実施例に基づいて、ＣＳＩは周期的ＣＳＩと非周期的ＣＳＩを含むことが好ましく、非周期的ＣＳＩの優先度が周期的ＣＳＩより高く、又は、非周期的ＣＳＩを搬送するＰＵＳＣＨが存在する場合、非周期的ＣＳＩを搬送するＰＵＳＣＨの電力割当優先度が周期的ＣＳＩを搬送するＰＵＣＣＨの電力割当優先度に等しく、又はそれより大きく、又はそれより小さい。
【００４１】
同じ技術思想に基づいて、本願実施例は、別種の端末を提供する。
【００４２】
当該端末は、プロセッサと、プロセッサによる制御でデータを送受信するためのトランシーバと、プロセスによる操作実行時のデータを格納するためのメモリを含む。プロセッサは、メモリの中のプログラムを読み出して以下のプロセスを実行する。即ち、各搬送波群での上りチャネルの目標送信電力を確定する。ここで、上記端末に少なくとも２つの搬送波群が配置され、各搬送波群の上り制御情報ＵＣＩは、ＵＣＩが位置する搬送波群に対応する少なくとも１つの上り搬送波の物理上り制御チャネルＰＵＣＣＨ及び／又は物理上りシェアドチャネルＰＵＳＣＨでフィードバックされる。同時に伝送する上りチャネルの目標送信電力の和が端末の許容最大送信電力を超えたかを判断する。超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行う。
【００４３】
プロセッサは、メモリの中のプログラムを読み出して以下のプロセスを実行することが好ましい。即ち、搬送されたＵＣＩのＵＣＩタイプの優先度に基づいて電力低下を行い、又は、搬送されたＵＣＩのＵＣＩタイプの優先度及び搬送波の優先度に基づいて電力低下を行い、又は、搬送されたＵＣＩのＵＣＩタイプの優先度及びチャネルの優先度に基づいて電力低下を行い、又は、搬送されたＵＣＩのＵＣＩタイプの優先度、搬送波の優先度、チャネルの優先度に基づいて電力低下を行う。
【００４４】
上記いずれの端末実施例に基づき、上記ＵＣＩタイプの優先度は、スケジューリング要求ＳＲの優先度≧肯定応答／否定応答ＡＣＫ／ＮＡＣＫの優先度＞チャネル状態情報ＣＳＩの優先度であることが好ましい。
【００４５】
上記搬送波の優先度は、主要素搬送波の優先度＞他要素搬送波の優先度、及び／又は、主要素搬送波を含む搬送波群での搬送波の優先度＞主要素搬送波を含まない搬送波群での搬送波の優先度を含むことが好ましい。
【００４６】
上記チャネルの優先度は、ＰＵＣＣＨの優先度＞ＰＵＳＣＨの優先度、及び／又は、ＰＵＣＣＨの優先度＞ＵＣＩを搬送するＰＵＳＣＨの優先度＞ＵＣＩを搬送しないＰＵＳＣＨの優先度、及び／又は、現在サブフレームで物理ランダムアクセスチャネルＰＲＡＣＨを含むと、ＰＲＡＣＨの優先度≧ＰＵＣＣＨの優先度＞ＰＵＳＣＨの優先度、及び／又は、現在サブフレームでＰＲＡＣＨを含むと、ＰＲＡＣＨの優先度≧ＰＵＣＣＨの優先度＞ＵＣＩを搬送するＰＵＳＣＨの優先度＞ＵＣＩを搬送しないＰＵＳＣＨの優先度を含むことが好ましい。
【００４７】
プロセッサは、メモリの中のプログラムを読み出して以下のプロセスを実行することが好ましい。即ち、搬送されたＵＣＩのＵＣＩタイプの優先度に基づいて電力割当優先度を確定し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度という優先度スキームＡを確定し、上記優先度スキームＡに基づいて、電力割当優先度の低い順に上記ＰＵＣＣＨ及び／又はＰＵＳＣＨに対し逐次電力低下を行う。
【００４８】
上記優先度スキームＡは、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有し、少なくとも同一種類のＵＣＩタイプを含むＵＣＩを搬送する複数のＰＵＣＣＨとＰＵＳＣＨに同一の電力割当優先度を有することを更に含むことが好ましい。
【００４９】
プロセッサは、メモリの中のプログラムを読み出して以下のプロセスを実行することが好ましい。即ち、搬送されたＵＣＩのＵＣＩタイプの優先度及び搬送波の優先度に基づいて、優先度スキームＢ又は優先度スキームＣを含む電力割当優先度スキームを確定し、上記優先度スキームＢ又は優先度スキームＣに基づいて、電力割当優先度の低い順に上記ＰＵＣＣＨ及び／又はＰＵＳＣＨに対し逐次電力低下を行う。
上記優先度スキームＢ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一ＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義する。
上記優先度スキームＣ：
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、且つ、主要素搬送波を含む搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まない搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、
又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義する。
【００５０】
上記優先度スキームＢ及び／又は上記優先度スキームＣは、主要素搬送波を含まない搬送波群のＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義し、
又は、主要素搬送波を含まないＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義することを更に含むことが好ましい。
【００５１】
プロセッサは、メモリの中のプログラムを読み出して以下のプロセスを実行することが好ましい。即ち、搬送されたＵＣＩのＵＣＩタイプの優先度及びチャネルの優先度に基づいて、優先度スキームＤ又は優先度スキームＥを含む電力割当優先度を確定し、優先度スキームＤ又は優先度スキームＥに基づいて、電力割当優先度の低い順に上記ＰＵＣＣＨ及び／又はＰＵＳＣＨに対し逐次電力低下を行う。
上記優先度スキームＤ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義する。
上記優先度スキームＥ：
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの送信電力＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度。
【００５２】
上記優先度スキームＤ及び／又は上記優先度スキームＥは、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有することを更に含むことが好ましい。
【００５３】
プロセッサは、メモリの中のプログラムを読み出して以下のプロセスを実行することが好ましい。即ち、搬送されたＵＣＩのＵＣＩタイプの優先度、搬送波の優先度、チャネルの優先度に基づいて、優先度スキームＦ、優先度スキームＧ、優先度スキームＨ、優先度スキームＩ、優先度スキームＪ又は優先度スキームＫを含む電力割当優先度を確定し、上記優先度スキームＦ、優先度スキームＧ、優先度スキームＨ、優先度スキームＩ、優先度スキームＪ又は優先度スキームＫに基づいて、電力割当優先度の低い順に上記ＰＵＣＣＨ及び／又はＰＵＳＣＨに対し逐次電力低下を行う。
上記優先度スキームＦ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義し、
且つ、主要素搬送波を含む搬送波群のＵＣＩを搬送し且つＵＣＩに少なくとも同一種類のＵＣＩタイプを含むＰＵＣＣＨとＰＵＳＣＨ、及び、主要素搬送波を含まない搬送波群のＵＣＩを搬送し且つＵＣＩに少なくとも同一種類のＵＣＩタイプを含むＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義する。
上記優先度スキームＧ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義する。
上記優先度スキームＨ：
ＵＣＩを搬送するＰＵＣＣＨの電力割当優先度＞ＵＣＩを搬送するＰＵＳＣＨの電力割当優先度、
且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、
且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義する。
上記優先度スキームＩ：
ＵＣＩを搬送するＰＵＣＣＨの電力割当優先度＞ＵＣＩを搬送するＰＵＳＣＨの電力割当優先度、
且つ、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度、
且つ、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度、
且つ、主要素搬送波を含む搬送波群のＵＣＩを搬送するＰＵＣＣＨ及び主要素搬送波を含まない搬送波群のＵＣＩを搬送するＰＵＣＣＨ、又は、主要素搬送波を含むＵＣＩを搬送するＰＵＣＣＨ及び主要素搬送波を含まないＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＳＣＨ及び主要素搬送波を含まない搬送波群のＵＣＩを搬送するＰＵＳＣＨ、又は、主要素搬送波を含むＵＣＩを搬送するＰＵＳＣＨ及び主要素搬送波を含まないＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義する。
上記優先度スキームＪ：
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ又は主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義し、
且つ、主要素搬送波を含まない搬送波群のＵＣＩを搬送するＰＵＣＣＨとＰＵＳＣＨ又は主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義する。
上記優先度スキームＫ：
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義する。
【００５４】
上記優先度スキームＦ、優先度スキームＧ、優先度スキームＨ、優先度スキームＩ、優先度スキームＪ又は優先度スキームＫにおいて、主要素搬送波を含まない搬送波群のＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義し、又は、主要素搬送波を含まないＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義することを更に含むことが好ましい。
【００５５】
上記いずれの端末実施例に基づいて、プロセッサは、メモリの中のプログラムを読み出して、以下のプロセスを実行することが好ましい。即ち、電力低下を行うべき上りチャネルに同一の電力割当優先度を有する複数上りチャネルが存在する場合、上記複数上りチャネルに対し等比例的に電力低下を行う。ここで、上記上りチャネルは、ＰＵＣＣＨ、ＰＵＳＣＨ、ＰＲＡＣＨのうちの１つ又は複数の種類を含む。
【００５６】
上記いずれの端末実施例に基づいて、プロセッサは、メモリの中のプログラムを読み出して、以下のプロセスを実行することが好ましい。即ち、多種類ＵＣＩタイプのＵＣＩが同時に１つの上りチャネルで搬送される場合、上記多種類ＵＣＩタイプに対応する最高優先度に基づいて、搬送された上りチャネルの電力割当優先度を確定する。
【００５７】
上記いずれの端末実施例に基づいて、ＣＳＩは周期的ＣＳＩと非周期的ＣＳＩを含むことが好ましく、ここで、非周期的ＣＳＩの優先度が周期的ＣＳＩより高く、又は、非周期的ＣＳＩを搬送するＰＵＳＣＨが存在する場合、非周期的ＣＳＩを搬送するＰＵＳＣＨの電力割当優先度が周期的ＣＳＩを搬送するＰＵＣＣＨの電力割当優先度に等しく、又はそれより大きく、又はそれより小さい。
【発明の効果】
【００５８】
本願の上記実施例は、異なる搬送波群のＵＣＩが搬送されるＰＵＣＣＨ及び／又はＰＵＳＣＨに対し、少なくとも搬送されたＵＣＩのＵＣＩタイプの優先度に基づいて電力低下を行う。例えば、搬送されたＵＣＩのＵＣＩタイプの優先度に基づいて電力低下を行い、又は、搬送されたＵＣＩのＵＣＩタイプの優先度及び搬送波の優先度に基づいて電力低下を行い、又は、搬送されたＵＣＩのＵＣＩタイプの優先度及びチャネルの優先度に基づいて電力低下を行い、又は、搬送されたＵＣＩのＵＣＩタイプの優先度、搬送波の優先度、チャネルの優先度に基づいて電力低下を行う。よって、異なる搬送波のＵＣＩをそれぞれ搬送するＰＵＣＣＨ及び／又はＰＵＳＣＨの同時伝送がサポートされる場合、ＵＣＩを搬送する上りチャネルに対し送信電力制御を行うことにより、電力制御後のＵＥ総送信電力がＵＥの許容最大送信電力を超えないようにする。
【図面の簡単な説明】
【００５９】
本願実施例の技術をより明確に説明するために、以下、実施例の記載に使用される図面を簡単に紹介する。以下に記載する図面は、本発明の一部の実施例に過ぎないことが明らかである。当業者にとって、創造性のある作業を付することなく、これらの図面から他の図面が得られる。
【００６０】
【図１】本願実施例による上りチャネルの電力制御フローチャートである。
【図２】本願実施例による一種の端末の構造模式図である。
【図３】本願実施例による別種の端末の構造模式図である。
【発明を実施するための形態】
【００６１】
本願実施例は、異なる搬送波のＵＣＩを搬送するＰＵＣＣＨ及び／又はＰＵＳＣＨの同時伝送をサポートする場合、ＵＣＩを搬送する上りチャネルに対し送信電力制御を行って、電力制御後のＵＥの総送信電力がＵＥの許容最大送信電力を超えないように保証するための電力制御方法を提案する。本願実施例は、ＬＴＥシステム及びその後続となる進化システム、又は類似な他通信システムに適用することができる。
【００６２】
本願の目的、技術及び利点をより明確にするために、以下、図面とともに、本願を更に詳細に記載する。記載する実施例は、本願の一部の実施例に過ぎず、ずべての実施例ではないことが明らかである。当業者が創造性のある作業を付することなく得られるその他の全ての実施例は、いずれも本発明による保護範囲に属するものである。
【００６３】
図１は、本願実施例による上りチャネルの電力制御フローチャートである。当該フローは、端末側で実現される。当該フローは、図示のように、以下のステップを含む。
【００６４】
ステップ１０１において、端末は、各搬送波群での上りチャネルの目標送信電力を確定する。ここで、上記端末に少なくとも２つの搬送波群が配置され、各搬送波群のＵＣＩは、ＵＣＩが位置する搬送波群に対応する少なくとも１つの上り搬送波のＰＵＣＣＨ及び／又はＰＵＳＣＨでフィードバックされる。
【００６５】
ステップ１０２において、上記端末は、同時に伝送する上りチャネルの目標送信電力の和が端末の許容最大送信電力を超えたかを判断する。超えたと判断した場合、ステップ１０３を実行する。
【００６６】
ここの「同時に伝送する」とは、送信時刻においてオーバーラップが存在する上りチャネルであり、例えば、異なる搬送波群の間のフレームタイミングが同期する場合、同一の上りサブフレームで送信する上りチャネル、又は、異なる搬送波群の間のフレームタイミングが同期しない場合、同一の送信時刻で伝送が存在する上りチャネルである。
【００６７】
ステップ１０３において、上記端末は、同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行う。
【００６８】
更に、上記端末は、ステップ１０３による電力調整の後に、調整後の電力に基づいてデータ伝送を行うことができる（図示のステップ１０４に示される）。
【００６９】
更に、ステップ１０２で上記端末による判断が未超過であると、上記端末は、現在電力設定に基づいてデータ伝送を行うことができる（図示のステップ１０４に示される）。
【００７０】
図１に示すステップ１０３において、上記端末は、定義済みの優先度ポリシーに基づいて電力低下を行う。定義済みの優先度ポリシーによっては、上記の少なくとも搬送されたＵＣＩのＵＣＩタイプの優先度に基づいて電力低下を行うことが以下の複数ケースのうちの１つを含む。
【００７１】
（１）搬送されたＵＣＩのＵＣＩタイプの優先度に基づいて電力低下を行う。
ＵＣＩタイプは、ＵＣＩに含まれる異なるコンテンツを指し、例えば、ＵＣＩに含まれるコンテンツによっては、ＳＲ、ＡＣＫ／ＮＡＣＫ、又はＣＳＩである。ＵＣＩタイプの優先度は、ＳＲの優先度≧ＡＣＫ／ＮＡＣＫの優先度＞ＣＳＩの優先度と定義することができる。
ＣＳＩに周期的ＣＳＩと非周期的ＣＳＩを含む場合、非周期的ＣＳＩの優先度＞周期的ＣＳＩの優先度であることが好ましい。
【００７２】
（２）搬送されたＵＣＩのＵＣＩタイプの優先度及び搬送波の優先度に基づいて電力低下を行う。
搬送波の優先度は、以下複数の定義がある。
搬送波の優先度の定義のその１：主要素搬送波の優先度＞他要素搬送波の優先度。
搬送波の優先度の定義のその２：主要素搬送波を含む搬送波群での搬送波の優先度＞主要素搬送波を含まない搬送波群での搬送波の優先度。
搬送波の優先度の定義のその３：主要素搬送波の優先度＞他要素搬送波の優先度、且つ、主要素搬送波を含む搬送波群での搬送波の優先度＞主要素搬送波を含まない搬送波群での搬送波の優先度。
【００７３】
（３）搬送されたＵＣＩのＵＣＩタイプの優先度及びチャネルの優先度に基づいて電力低下を行う。
チャネルの優先度は、以下複数の定義のうちの１つ又は複数の可能な組み合わせを含む。
ｉ）ＰＵＣＣＨの優先度＞ＰＵＳＣＨの優先度。
ｉｉ）ＰＵＣＣＨの優先度＞ＵＣＩを搬送するＰＵＳＣＨの優先度＞ＵＣＩを搬送しないＰＵＳＣＨの優先度。
ｉｉｉ）現在サブフレームに物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）を含むと、ＰＲＡＣＨの優先度≧ＰＵＣＣＨの優先度＞ＰＵＳＣＨの優先度。
ｉｖ）現在サブフレームにＰＲＡＣＨを含むと、ＰＲＡＣＨの優先度≧ＰＵＣＣＨの優先度＞ＵＣＩを搬送するＰＵＳＣＨの優先度＞ＵＣＩを搬送しないＰＵＳＣＨの優先度。
また、チャネルの優先度の上記各種定義をベースとして、現在サブフレームにサウンディング参照信号ＳＲＳ（Ｓｏｕｎｄｉｎｇ  Ｒｅｆｅｒｅｎｃｅ  Ｓｉｇｎａｌ）も含むと、ＳＲＳの優先度が最も低い。
【００７４】
（４）搬送されたＵＣＩのＵＣＩタイプの優先度、搬送波の優先度、チャネルの優先度に基づいて電力低下を行う。
即ち、以上定義されたＵＣＩタイプの優先度、搬送波の優先度、チャネルの優先度の互いの組み合わせであり、優先して使用する優先度によっては、例えば、ＵＣＩタイプの優先度を優先的に使用したり、ＵＣＩタイプの優先度の定義をベースとして搬送波の優先度を使用したり、ＵＣＩタイプと搬送波タイプの優先度を組み合わせた優先度で更にチャネルの優先度を使用したりして、多種類の組み合わせた優先度を得ることができる。
【００７５】
以下、上述した４種類の優先度ポリシーに基づいて、電力低下の処理フローを詳細に記載する。
１）搬送されたＵＣＩのＵＣＩタイプの優先度に基づいて電力低下を行う。
【００７６】
搬送されたＵＣＩのＵＣＩタイプの優先度に基づいて電力低下を行うフローは、搬送されたＵＣＩのＵＣＩタイプの優先度に基づいて電力割当優先度を確定し、優先度スキームＡを得ることと、優先度スキームＡに基づいて、電力割当優先度の低い順にＰＵＣＣＨ及び／又はＰＵＳＣＨに対し逐次電力低下を行うことを含む。
【００７７】
優先度スキームＡは、具体的に、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度であることが好ましい。
【００７８】
上述の優先度スキームＡをベースとして、更に、少なくとも同一種類のＵＣＩタイプを含むＵＣＩを搬送する複数のＰＵＣＣＨに同一の電力割当優先度を有すること、少なくとも同一種類のＵＣＩタイプを含むＵＣＩを搬送する複数のＰＵＳＣＨに同一の電力割当優先度を有すること、少なくとも同一種類のＵＣＩタイプを含むＵＣＩを搬送する複数のＰＵＣＣＨとＰＵＳＣＨに同一の電力割当優先度を有すると規定できることが好ましい。
【００７９】
例えば、ＳＲを搬送する複数のＰＵＣＣＨの電力割当優先度が同じであり、ＡＣＫ／ＮＡＣＫを搬送する複数のＰＵＣＣＨの電力割当優先度が同じであり、ＡＣＫ／ＮＡＣＫを搬送する複数のＰＵＳＣＨの電力割当優先度が同じであり、ＡＣＫ／ＮＡＣＫを搬送するＰＵＣＣＨとＡＣＫ／ＮＡＣＫを搬送するＰＵＳＣＨの電力割当優先度が同じであり、ＣＳＩを搬送する複数のＰＵＣＣＨの電力割当優先度が同じであり、ＣＳＩを搬送する複数のＰＵＳＣＨの電力割当優先度が同じであり、ＣＳＩを搬送するＰＵＣＣＨとＣＳＩを搬送するＰＵＳＣＨの電力割当優先度が同じである。
【００８０】
対応して、優先度スキームＡに基づいて、電力割当優先度の低い順にＰＵＣＣＨ及び／又はＰＵＳＣＨに対し逐次電力低下を行うプロセスは、以下を含む（実際の状況に応じて、以下プロセスの一部のステップが省略されてもよい。例えば、ＵＣＩを搬送しないＰＵＳＣＨが存在しない場合、ＵＣＩを搬送しないＰＵＳＣＨの対応ステップを実行せずに、直接次のステップを実行する。ＡＣＫ／ＮＡＣＫを搬送するＰＵＣＣＨとＰＵＳＣＨが存在しない場合、ＡＣＫ／ＮＡＣＫを搬送するＰＵＣＣＨとＰＵＳＣＨの対応ステップを実行せずに、直接次のステップを実行する。後続のプロセスにおいても適用する）。
【００８１】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、これらのＰＵＳＣＨに対し等比例的に電力低下を行う。
【００８２】
ＵＣＩを搬送しないＰＵＳＣＨの送信電力が０に低下しても、上記端末の総送信電力が相変わらず端末の許容最大送信電力を超える場合、更にＣＳＩを搬送するＰＵＣＣＨ及び／又はＰＵＳＣＨの送信電力を低下させ（ここの「及び／又は」は、現在伝送にＰＵＣＣＨのみを含み、又はＰＵＳＣＨのみを含み、又はＰＵＣＣＨとＰＵＳＣＨを同時に含むとの３種類のケースを表現する）、残りのチャネルの送信電力を一定に保持する。ここで、上記ＣＳＩを搬送するＰＵＣＣＨ及び／又はＰＵＳＣＨが複数存在すると、これらのＰＵＣＣＨ及び／又はＰＵＳＣＨに対し等比例的に電力低下を行う。
【００８３】
ＣＳＩを搬送するＰＵＳＣＨと（ここの「と」は、同一レベルの優先度の全チャネルの送信電力がすべて０に低下するときに、現在伝送に常にＰＵＣＣＨとＰＵＳＣＨを含むというわけではなく、ＰＵＣＣＨのみ、又はＰＵＳＣＨのみを含んでもよい）ＰＵＳＣＨの送信電力が０に低下しても、上記端末の総送信電力が相変わらず端末の許容最大送信電力を超える場合、更にＡＣＫ／ＮＡＣＫを搬送するＰＵＣＣＨ及び／又はＰＵＳＣＨの送信電力を低下させ、残りのチャネルの送信電力を一定に保持する。ここで、上記ＡＣＫ／ＮＡＣＫを搬送するＰＵＣＣＨ及び／又はＰＵＳＣＨが複数存在すると、これらのＰＵＣＣＨ及び／又はＰＵＳＣＨに対し等比例的に電力低下を行う。
【００８４】
ＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更にＳＲを搬送するＰＵＣＣＨの送信電力を低下させ、残りのチャネルの送信電力を一定に保持する。ここで、上記ＳＲを搬送するＰＵＣＣＨが複数存在すると、これらのＰＵＣＣＨに対し等比例的に電力低下を行う。
２）搬送されたＵＣＩのＵＣＩタイプの優先度及び搬送波の優先度に基づいて電力低下を行う。
【００８５】
搬送されたＵＣＩのＵＣＩタイプの優先度及び搬送波の優先度に基づいて電力低下を行うフローは、搬送されたＵＣＩのＵＣＩタイプの優先度及び搬送波の優先度に基づいて電力割当優先度を確定し、優先度スキームＢ又は優先度スキームＣを得ることと、優先度スキームＢ又は優先度スキームＣに基づいて、電力割当優先度の低い順にＰＵＣＣＨ及び／又はＰＵＳＣＨに対し逐次電力低下を行うことを含む。
【００８６】
上記優先度スキームＢは、まずＵＣＩタイプの優先度で並べ替え、それから搬送波の優先度で並べ替えるように確定されることが好ましく、搬送波の優先度の定義が上述のとおりである（２種類のケースを含む）。
当該方式で確定した優先度スキームＢは、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、（少なくとも同一ＵＣＩタイプを含むＵＣＩを搬送するＰＵＣＣＨ及び／又はＰＵＳＣＨに対し下記のように定義することが好ましい）主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度であり、又は、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、（少なくとも同一ＵＣＩタイプを含むＵＣＩを搬送するＰＵＣＣＨ及び／又はＰＵＳＣＨに対し下記のように定義することが好ましい）主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度である。
【００８７】
優先度スキームＢでは、更に、主要素搬送波を含まない搬送波群のＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義し、又は、主要素搬送波を含まないＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義するように規定できることが好ましい。
【００８８】
例えば、優先度スキームＢの第１種類の表現は、主要素搬送波を含む搬送波群のＳＲを搬送するＰＵＣＣＨの電力割当優先度＞主要素搬送波を含まない搬送波群のＳＲを搬送するＰＵＣＣＨの電力割当優先度≧主要素搬送波を含む搬送波群のＡＣＫ／ＮＡＣＫを搬送するＰＵＣＣＨとＰＵＳＣＨの電力割当優先度＞主要素搬送波を含まない搬送波群のＡＣＫ／ＮＡＣＫを搬送するＰＵＣＣＨとＰＵＳＣＨの電力割当優先度＞主要素搬送波を含む搬送波群のＣＳＩを搬送するＰＵＣＣＨとＰＵＳＣＨの電力割当優先度＞主要素搬送波を含まない搬送波群のＣＳＩを搬送するＰＵＣＣＨとＰＵＳＣＨの電力割当優先度＞ＵＣＩを搬送しないＰＵＳＣＨの電力割当優先度である。
【００８９】
上記第１種類の表現において、主要素搬送波を含まない搬送波群のＳＲを搬送するＰＵＣＣＨが複数存在すると、当該複数のＰＵＣＣＨの電力割当優先度が同一であり、主要素搬送波を含まない搬送波群のＡＣＫ／ＮＡＣＫを搬送するＰＵＣＣＨが複数存在すると、当該複数のＰＵＣＣＨの電力割当優先度が同一であり、主要素搬送波を含まない搬送波群のＡＣＫ／ＮＡＣＫを搬送するＰＵＳＣＨが複数存在すると、当該複数のＰＵＳＣＨの電力割当優先度が同一であり、主要素搬送波を含まない搬送波群のＡＣＫ／ＮＡＣＫを搬送するＰＵＣＣＨとＰＵＳＣＨが複数存在すると、当該複数のＰＵＣＣＨとＰＵＳＣＨの電力割当優先度が同一であり、主要素搬送波を含まない搬送波群のＣＳＩを搬送するＰＵＣＣＨが複数存在すると、当該複数のＰＵＣＣＨの電力割当優先度が同一であり、主要素搬送波を含まない搬送波群のＣＳＩを搬送するＰＵＳＣＨが複数存在すると、当該複数のＰＵＳＣＨの電力割当優先度が同一であり、主要素搬送波を含まない搬送波群のＣＳＩを搬送するＰＵＣＣＨとＰＵＳＣＨが複数存在すると、当該複数のＰＵＣＣＨとＰＵＳＣＨの電力割当優先度が同一であることが好ましい。
【００９０】
優先度スキームＢの上記第１種類の表現形式に基づいて、電力割当優先度の低い順にＰＵＣＣＨ及び／又はＰＵＳＣＨに対し逐次電力低下を行うプロセスは、以下を含む。
【００９１】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、これらのＰＵＳＣＨに対し等比例的に電力低下を行う。
【００９２】
ＵＣＩを搬送しないＰＵＳＣＨの送信電力が０に低下しても、上記端末の総送信電力が相変わらず端末の許容最大送信電力を超える場合、更にＣＳＩを搬送するＰＵＣＣＨ及び／又はＰＵＳＣＨの送信電力を低下させ、残りのチャネルの送信電力を一定に保持する。ここで、１）ＣＳＩを搬送するＰＵＣＣＨ及び／又はＰＵＳＣＨのうち、主要素搬送波を含む搬送波群のＣＳＩを搬送するＰＵＣＣＨ及び／又はＰＵＳＣＨと、主要素搬送波を含まない搬送波群のＣＳＩを搬送するＰＵＣＣＨ及び／又はＰＵＳＣＨが同時に存在する場合、まず上記主要素搬送波を含まない搬送波群のＣＳＩを搬送するＰＵＣＣＨ及び／又はＰＵＳＣＨの送信電力を低下させ、残りのチャネルの送信電力を一定に保持する。上記主要素搬送波を含まない搬送波群のＣＳＩを搬送するＰＵＣＣＨ及び／又はＰＵＳＣＨが複数存在すると、複数の上記主要素搬送波を含まない搬送波群のＣＳＩを搬送するＰＵＣＣＨ及び／又はＰＵＳＣＨに対し等比例的に電力低下を行う。主要素搬送波を含まない搬送波群のＣＳＩを搬送するＰＵＣＣＨとＰＵＳＣＨの送信電力が０に低下しても、上記端末の総送信電力が相変わらず端末の許容最大送信電力を超える場合、更に主要素搬送波を含む搬送波群のＣＳＩを搬送するＰＵＣＣＨ及び／又はＰＵＳＣＨの送信電力を低下させる。上記主要素搬送波を含む搬送波群のＣＳＩを搬送するＰＵＣＣＨ及び／又はＰＵＳＣＨが複数存在する場合、複数の上記主要素搬送波を含む搬送波群のＣＳＩを搬送するＰＵＣＣＨ及び／又はＰＵＳＣＨに対し等比例的に電力低下を行う。２）ＣＳＩを搬送するＰＵＣＣＨ及び／又はＰＵＳＣＨのうち、主要素搬送波を含む搬送波群のＣＳＩを搬送する複数のＰＵＣＣＨ及び／又はＰＵＳＣＨのみが存在し、又は主要素搬送波を含まない搬送波群のＣＳＩを搬送する複数のＰＵＣＣＨ及び／又はＰＵＳＣＨのみ存在する場合、複数の上記ＰＵＣＣＨ及び／又はＰＵＳＣＨに対し等比例的に電力低下を行う。
【００９３】
上記ＣＳＩを搬送するＰＵＣＣＨとＰＵＳＣＨの送信電力が０に低下しても、上記端末の総送信電力が相変わらず端末の許容最大送信電力を超える場合、更にＡＣＫ／ＮＡＣＫを搬送するＰＵＣＣＨ及び／又はＰＵＳＣＨの送信電力を低下させ、残りのチャネルの送信電力を一定に保持する。ここで、１）ＡＣＫ／ＮＡＣＫを搬送するＰＵＣＣＨ及び／又はＰＵＳＣＨのうち、主要素搬送波を含む搬送波群のＵＣＩを搬送するＰＵＣＣＨ及び／又はＰＵＳＣＨと、主要素搬送波を含まない搬送波群のＡＣＫ／ＮＡＣＫを搬送するＰＵＣＣＨ及び／又はＰＵＳＣＨが同時に存在する場合、まず上記主要素搬送波を含まない搬送波群のＡＣＫ／ＮＡＣＫを搬送するＰＵＣＣＨ及び／又はＰＵＳＣＨの送信電力を低下させ、残りのチャネルの送信電力を一定に保持する。上記主要素搬送波を含まない搬送波群のＡＣＫ／ＮＡＣＫを搬送するＰＵＣＣＨ及び／又はＰＵＳＣＨが複数存在すると、複数の上記主要素搬送波を含まない搬送波群のＡＣＫ／ＮＡＣＫを搬送するＰＵＣＣＨ及び／又はＰＵＳＣＨに対し等比例的に電力低下を行う。上記主要素搬送波を含まない搬送波群のＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更に主要素搬送波を含む搬送波群のＡＣＫ／ＮＡＣＫを搬送するＰＵＣＣＨ及び／又はＰＵＳＣＨの送信電力を低下させる。上記主要素搬送波を含む搬送波群のＡＣＫ／ＮＡＣＫを搬送するＰＵＣＣＨ及び／又はＰＵＳＣＨが複数存在する場合、複数の上記主要素搬送波を含む搬送波群のＡＣＫ／ＮＡＣＫを搬送するＰＵＣＣＨ及び／又はＰＵＳＣＨに対し等比例的に電力低下を行う。２）ＡＣＫ／ＮＡＣＫを搬送するＰＵＣＣＨ及び／又はＰＵＳＣＨのうち、主要素搬送波を含む搬送波群のＡＣＫ／ＮＡＣＫを搬送する複数のＰＵＣＣＨ及び／又はＰＵＳＣＨのみが存在し、又は主要素搬送波を含まない搬送波群のＡＣＫ／ＮＡＣＫを搬送する複数のＰＵＣＣＨ及び／又はＰＵＳＣＨのみ存在する場合、複数の上記ＰＵＣＣＨ及び／又はＰＵＳＣＨに対し等比例的に電力低下を行う。
【００９４】
上記ＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更にＳＲを搬送するＰＵＣＣＨの送信電力を低下させ、残りのチャネルの送信電力を一定に保持する。ここで、１）ＳＲを搬送するＰＵＣＣＨのうち、主要素搬送波を含む搬送波群のＳＲを搬送するＰＵＣＣＨと、主要素搬送波を含まない搬送波群のＳＲを搬送するＰＵＣＣＨが同時に存在する場合、まず上記主要素搬送波を含まない搬送波群のＳＲを搬送するＰＵＣＣＨの送信電力を低下させ、残りのチャネルの送信電力を一定に保持する。上記主要素搬送波を含まない搬送波群のＳＲを搬送するＰＵＣＣＨが複数存在すると、複数の上記主要素搬送波を含まない搬送波群のＳＲを搬送するＰＵＣＣＨに対し等比例的に電力低下を行う。上記主要素搬送波を含まない搬送波群のＳＲを搬送するＰＵＣＣＨの送信電力が０に低下しても、上記端末の総送信電力が相変わらず端末の許容最大送信電力を超える場合、更に主要素搬送波を含む搬送波群のＳＲを搬送するＰＵＣＣＨの送信電力を低下させる。上記主要素搬送波を含む搬送波群のＳＲを搬送するＰＵＣＣＨが複数存在する場合、複数の上記主要素搬送波を含む搬送波群のＳＲを搬送するＰＵＣＣＨに対し等比例的に電力低下を行う。２）ＳＲを搬送するＰＵＣＣＨのうち、主要素搬送波を含む搬送波群のＳＲを搬送する複数のＰＵＣＣＨのみが存在し、又は主要素搬送波を含まない搬送波群のＳＲを搬送する複数のＰＵＣＣＨのみ存在する場合、複数の上記ＰＵＣＣＨに対し等比例的に電力低下を行う。
【００９５】
優先度スキームＢの第２種類の表現は、主要素搬送波を含むＳＲを搬送するＰＵＣＣＨの電力割当優先度＞主要素搬送波を含まないＳＲを搬送するＰＵＣＣＨの電力割当優先度≧主要素搬送波を含むＡＣＫ／ＮＡＣＫを搬送するＰＵＣＣＨとＰＵＳＣＨの電力割当優先度＞主要素搬送波を含まないＡＣＫ／ＮＡＣＫを搬送するＰＵＣＣＨとＰＵＳＣＨの電力割当優先度＞主要素搬送波を含むＣＳＩを搬送するＰＵＣＣＨとＰＵＳＣＨの電力割当優先度＞主要素搬送波を含まないＣＳＩを搬送するＰＵＣＣＨとＰＵＳＣＨの電力割当優先度＞ＵＣＩを搬送しないＰＵＳＣＨの電力割当優先度である。
【００９６】
上記優先度スキームＢの第２種類の表現において、主要素搬送波を含まないＳＲを搬送するＰＵＣＣＨが複数存在すると、当該複数のＰＵＣＣＨの電力割当優先度が同一であり、主要素搬送波を含まないＡＣＫ／ＮＡＣＫを搬送するＰＵＣＣＨが複数存在すると、当該複数のＰＵＣＣＨの電力割当優先度が同一であり、主要素搬送波を含まないＡＣＫ／ＮＡＣＫを搬送するＰＵＳＣＨが複数存在すると、当該複数のＰＵＳＣＨの電力割当優先度が同一であり、主要素搬送波を含まないＡＣＫ／ＮＡＣＫを搬送するＰＵＣＣＨとＰＵＳＣＨが複数存在すると、当該複数のＰＵＣＣＨとＰＵＳＣＨの電力割当優先度が同一であり、主要素搬送波を含まないＣＳＩを搬送するＰＵＣＣＨが複数存在すると、当該複数のＰＵＣＣＨの電力割当優先度が同一であり、主要素搬送波を含まないＣＳＩを搬送するＰＵＳＣＨが複数存在すると、当該複数のＰＵＳＣＨの電力割当優先度が同一であり、主要素搬送波を含まないＣＳＩを搬送するＰＵＣＣＨとＰＵＳＣＨが複数存在すると、当該複数のＰＵＣＣＨとＰＵＳＣＨの電力割当優先度が同一であることが好ましい。
【００９７】
優先度スキームＢの上記第２種類の表現形式に基づいて、電力割当優先度の低い順にＰＵＣＣＨ及び／又はＰＵＳＣＨに対し逐次電力低下を行うことは、以下を含む。
【００９８】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、複数の上記ＰＵＳＣＨに対し等比例的に電力低下を行う。
【００９９】
上記ＵＣＩを搬送しないＰＵＳＣＨの送信電力が０に低下しても、上記端末の総送信電力が相変わらず端末の許容最大送信電力を超える場合、更にＣＳＩを搬送するＰＵＣＣＨ及び／又はＰＵＳＣＨの送信電力を低下させ、残りのチャネルの送信電力を一定に保持する。ここで、１）ＣＳＩを搬送するＰＵＣＣＨ及び／又はＰＵＳＣＨのうち、主要素搬送波を含むＣＳＩを搬送するＰＵＣＣＨ及び／又はＰＵＳＣＨと、主要素搬送波を含まないＣＳＩを搬送するＰＵＣＣＨ及び／又はＰＵＳＣＨが同時に存在する場合、まず上記主要素搬送波を含まないＣＳＩを搬送するＰＵＣＣＨ及び／又はＰＵＳＣＨの送信電力を低下させ、残りのチャネルの送信電力を一定に保持する。上記主要素搬送波を含まないＣＳＩを搬送するＰＵＣＣＨ及び／又はＰＵＳＣＨが複数存在すると、上記主要素搬送波を含まないＣＳＩを搬送するＰＵＣＣＨ及び／又はＰＵＳＣＨに対し等比例的に電力低下を行う。上記主要素搬送波を含まないＣＳＩを搬送するＰＵＣＣＨとＰＵＳＣＨの送信電力が０に低下しても、上記端末の総送信電力が相変わらず端末の許容最大送信電力を超える場合、更に主要素搬送波を含むＣＳＩを搬送するＰＵＣＣＨ及び／又はＰＵＳＣＨの送信電力を低下させる。上記主要素搬送波を含むＣＳＩを搬送するＰＵＣＣＨ及び／又はＰＵＳＣＨが複数存在する場合、複数の上記主要素搬送波を含むＣＳＩを搬送するＰＵＣＣＨ及び／又はＰＵＳＣＨに対し等比例的に電力低下を行う。２）ＣＳＩを搬送するＰＵＣＣＨ及び／又はＰＵＳＣＨのうち、主要素搬送波を含むＣＳＩを搬送する複数のＰＵＣＣＨ及び／又はＰＵＳＣＨしか存在せず、又は主要素搬送波を含まないＣＳＩを搬送する複数のＰＵＣＣＨ及び／又はＰＵＳＣＨしか存在しない場合、複数の上記ＰＵＣＣＨ及び／又はＰＵＳＣＨに対し等比例的に電力低下を行う。
【０１００】
上記ＣＳＩを搬送するＰＵＣＣＨとＰＵＳＣＨの送信電力が０に低下しても、上記端末の総送信電力が相変わらず端末の許容最大送信電力を超える場合、更にＡＣＫ／ＮＡＣＫを搬送するＰＵＣＣＨ及び／又はＰＵＳＣＨの送信電力を低下させ、残りのチャネルの送信電力を一定に保持する。ここで、１）ＡＣＫ／ＮＡＣＫを搬送するＰＵＣＣＨ及び／又はＰＵＳＣＨのうち、主要素搬送波を含むＵＣＩを搬送するＰＵＣＣＨ及び／又はＰＵＳＣＨと、主要素搬送波を含まないＡＣＫ／ＮＡＣＫを搬送するＰＵＣＣＨ及び／又はＰＵＳＣＨが同時に存在する場合、まず上記主要素搬送波を含まないＡＣＫ／ＮＡＣＫを搬送するＰＵＣＣＨ及び／又はＰＵＳＣＨの送信電力を低下させ、残りのチャネルの送信電力を一定に保持する。上記主要素搬送波を含まないＡＣＫ／ＮＡＣＫ  を搬送するＰＵＣＣＨ及び／又はＰＵＳＣＨが複数存在すると、上記主要素搬送波を含まないＡＣＫ／ＮＡＣＫを搬送するＰＵＣＣＨ及び／又はＰＵＳＣＨに対し等比例的に電力低下を行う。上記主要素搬送波を含まないＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更に主要素搬送波を含むＡＣＫ／ＮＡＣＫを搬送するＰＵＣＣＨ及び／又はＰＵＳＣＨの送信電力を低下させる。上記主要素搬送波を含むＡＣＫ／ＮＡＣＫを搬送するＰＵＣＣＨ及び／又はＰＵＳＣＨが複数存在する場合、複数の上記主要素搬送波を含むＡＣＫ／ＮＡＣＫ  を搬送するＰＵＣＣＨ及び／又はＰＵＳＣＨに対し等比例的に電力低下を行う。２）ＡＣＫ／ＮＡＣＫを搬送するＰＵＣＣＨ及び／又はＰＵＳＣＨのうち、主要素搬送波を含むＡＣＫ／ＮＡＣＫを搬送する複数のＰＵＣＣＨ及び／又はＰＵＳＣＨしか存在せず、又は主要素搬送波を含まないＡＣＫ／ＮＡＣＫを搬送する複数のＰＵＣＣＨ及び／又はＰＵＳＣＨしか存在しない場合、複数の上記ＰＵＣＣＨ及び／又はＰＵＳＣＨに対し等比例的に電力低下を行う。
【０１０１】
上記ＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更にＳＲを搬送するＰＵＣＣＨの送信電力を低下させ、残りのチャネルの送信電力を一定に保持する。ここで、１）ＳＲを搬送するＰＵＣＣＨのうち、主要素搬送波を含むＳＲを搬送するＰＵＣＣＨと、主要素搬送波を含まないＳＲを搬送するＰＵＣＣＨが同時に存在する場合、まず上記主要素搬送波を含まないＳＲを搬送するＰＵＣＣＨの送信電力を低下させ、残りのチャネルの送信電力を一定に保持する。上記主要素搬送波を含まないＳＲを搬送するＰＵＣＣＨが複数存在すると、複数の上記主要素搬送波を含まないＳＲを搬送するＰＵＣＣＨに対し等比例的に電力低下を行う。上記主要素搬送波を含まないＳＲを搬送するＰＵＣＣＨの送信電力が０に低下しても、上記端末の総送信電力が相変わらず端末の許容最大送信電力を超える場合、更に主要素搬送波を含むＳＲを搬送するＰＵＣＣＨの送信電力を低下させる。上記主要素搬送波を含むＳＲを搬送するＰＵＣＣＨが複数存在する場合、複数の上記主要素搬送波を含むＳＲを搬送するＰＵＣＣＨに対し等比例的に電力低下を行う。２）ＳＲを搬送するＰＵＣＣＨのうち、主要素搬送波を含むＳＲを搬送する複数のＰＵＣＣＨしか存在せず、又は主要素搬送波を含まないＳＲを搬送する複数のＰＵＣＣＨしか存在しない場合、複数の上記ＰＵＣＣＨに対し等比例的に電力低下を行う。
【０１０２】
上記優先度スキームＣは、まず搬送波の優先度で並べ替え、それからＵＣＩの優先度で並べ替えるように確定されることが好ましく、搬送波の優先度の定義が上述のとおりである（２種類のケースを含む）。当該方式で確定した優先度スキームＣは、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、且つ、主要素搬送波を含む搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まない搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義する。
【０１０３】
上記優先度スキームＣにおいて、主要素搬送波を含まない搬送波群のＵＣＩを搬送するＰＵＣＣＨとＰＵＳＣＨに対し、更に、少なくとも同一種類のＵＣＩタイプを含むＵＣＩを搬送するＰＵＣＣＨが複数存在すると、当該複数のＰＵＣＣＨの電力割当優先度が同じであり、少なくとも同一種類のＵＣＩタイプを含むＵＣＩを搬送するＰＵＳＣＨが複数存在すると、当該複数のＰＵＳＣＨの電力割当優先度が同じであり、少なくとも同一種類のＵＣＩタイプを含むＵＣＩを搬送するＰＵＣＣＨとＰＵＳＣＨが複数存在すると、当該複数のＰＵＣＣＨとＰＵＳＣＨの電力割当優先度が同じであると規定できることが好ましい。
【０１０４】
優先度スキームＣは、更に、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義するものであってもよい。
【０１０５】
上記優先度スキームＣにおいて、主要素搬送波を含まないＵＣＩを搬送するＰＵＣＣＨとＰＵＳＣＨに対し、更に、少なくとも同一種類のＵＣＩタイプを含むＵＣＩを搬送するＰＵＣＣＨが複数存在すると、当該複数のＰＵＣＣＨの電力割当優先度が同じであり、少なくとも同一種類のＵＣＩタイプを含むＵＣＩを搬送するＰＵＳＣＨが複数存在すると、当該複数のＰＵＳＣＨの電力割当優先度が同じであり、少なくとも同一種類のＵＣＩタイプを含むＵＣＩを搬送するＰＵＣＣＨとＰＵＳＣＨが複数存在すると、当該複数のＰＵＣＣＨとＰＵＳＣＨの電力割当優先度が同じであると規定できることが好ましい。
【０１０６】
例えば、優先度スキームＣの第１種類の表現は、主要素搬送波を含む搬送波群のＳＲを搬送するＰＵＣＣＨの電力割当優先度≧主要素搬送波を含む搬送波群のＡＣＫ／ＮＡＣＫを搬送するＰＵＣＣＨとＰＵＳＣＨの電力割当優先度＞主要素搬送波を含む搬送波群のＣＳＩを搬送するＰＵＣＣＨとＰＵＳＣＨの電力割当優先度＞主要素搬送波を含まない搬送波群のＳＲを搬送するＰＵＣＣＨの電力割当優先度≧主要素搬送波を含まない搬送波群のＡＣＫ／ＮＡＣＫを搬送するＰＵＣＣＨとＰＵＳＣＨの電力割当優先度＞主要素搬送波を含まない搬送波群のＣＳＩを搬送するＰＵＣＣＨとＰＵＳＣＨの電力割当優先度＞ＵＣＩを搬送しないＰＵＳＣＨの電力割当優先度である。
【０１０７】
上記優先度スキームＣの第１種類の表現において、主要素搬送波を含まない搬送波群のＳＲを搬送するＰＵＣＣＨが複数存在すると、当該複数のＰＵＣＣＨの電力割当優先度が同じであり、主要素搬送波を含まない搬送波群のＡＣＫ／ＮＡＣＫを搬送するＰＵＣＣＨが複数存在すると、当該複数のＰＵＣＣＨの電力割当優先度が同じであり、主要素搬送波を含まない搬送波群のＡＣＫ／ＮＡＣＫを搬送するＰＵＳＣＨが複数存在すると、当該複数のＰＵＳＣＨの電力割当優先度が同じであり、主要素搬送波を含まない搬送波群のＡＣＫ／ＮＡＣＫを搬送するＰＵＣＣＨとＰＵＳＣＨが複数存在すると、当該複数のＰＵＣＣＨとＰＵＳＣＨの電力割当優先度が同じであり、主要素搬送波を含まない搬送波群のＣＳＩを搬送するＰＵＣＣＨが複数存在すると、当該複数のＰＵＣＣＨの電力割当優先度が同じであり、主要素搬送波を含まない搬送波群のＣＳＩを搬送するＰＵＳＣＨが複数存在すると、当該複数のＰＵＳＣＨの電力割当優先度が同じであり、主要素搬送波を含まない搬送波群のＣＳＩを搬送するＰＵＣＣＨとＰＵＳＣＨが複数存在すると、当該複数のＰＵＣＣＨとＰＵＳＣＨの電力割当優先度が同じであることが好ましい。
【０１０８】
優先度スキームＣの上記第１種類の表現に基づいて、電力割当優先度の低い順にＰＵＣＣＨ及び／又はＰＵＳＣＨに対し逐次電力低下を行うプロセスは、以下を含む（実際の状況に応じて、以下プロセスの一部のステップが省略されてもよい。例えば、ＵＣＩを搬送しないＰＵＳＣＨが存在しない場合、ＵＣＩを搬送しないＰＵＳＣＨの対応ステップを実行せずに、直接次のステップを実行する。主要素搬送波を含まない搬送波群のＳＲを搬送するＰＵＣＣＨが存在しない場合、主要素搬送波を含まない搬送波群のＳＲを搬送するＰＵＣＣＨの対応ステップを実行せずに、直接次のステップを実行する。後続のプロセスにおいても適用する）。
【０１０９】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、複数の上記ＰＵＳＣＨに対し等比例的に電力低下を行う。
【０１１０】
ＵＣＩを搬送しないＰＵＳＣＨの送信電力が０まで低下しても、上記端末の総送信電力が相変わらず端末の許容最大送信電力を超える場合、更に主要素搬送波を含まない搬送波群のＣＳＩを搬送するＰＵＣＣＨ及び／又はＰＵＳＣＨの送信電力を低下させ、残りのチャネルの送信電力を一定に保持する。ここで、主要素搬送波を含まない搬送波群のＣＳＩを搬送するＰＵＣＣＨ及び／又はＰＵＳＣＨが複数存在すると、複数の上記主要素搬送波を含まない搬送波群のＣＳＩを搬送するＰＵＣＣＨ及び／又はＰＵＳＣＨに対し等比例的に電力低下を行う。
【０１１１】
主要素搬送波を含まない搬送波群のＣＳＩを搬送するＰＵＣＣＨとＰＵＳＣＨの送信電力が０に低下しても、上記端末の総送信電力が相変わらず端末の許容最大送信電力を超える場合、更に主要素搬送波を含まない搬送波群のＡＣＫ／ＮＡＣＫを搬送するＰＵＣＣＨ及び／又はＰＵＳＣＨの送信電力を低下させ、残りのチャネルの送信電力を一定に保持する。ここで、上記主要素搬送波を含まない搬送波群のＡＣＫ／ＮＡＣＫを搬送するＰＵＣＣＨ及び／又はＰＵＳＣＨが複数存在すると、複数の上記主要素搬送波を含まない搬送波群のＡＣＫ／ＮＡＣＫを搬送するＰＵＣＣＨ及び／又はＰＵＳＣＨに対し等比例的に電力低下を行う。
【０１１２】
主要素搬送波を含まない搬送波群のＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更に主要素搬送波を含まない搬送波群のＳＲを搬送するＰＵＣＣＨの送信電力を低下させ、残りのチャネルの送信電力を一定に保持する。ここで、上記主要素搬送波を含まない搬送波群のＳＲを搬送するＰＵＣＣＨが複数存在すると、複数の上記主要素搬送波を含まない搬送波群のＳＲを搬送するＰＵＣＣＨに対し等比例的に電力低下を行う。
【０１１３】
主要素搬送波を含まない搬送波群のＳＲを搬送するＰＵＣＣＨの送信電力が０に低下しても、上記端末の総送信電力が相変わらず端末の許容最大送信電力を超える場合、更に主要素搬送波を含む搬送波群のＣＳＩを搬送するＰＵＣＣＨ及び／又はＰＵＳＣＨの送信電力を低下させ、残りのチャネルの送信電力を一定に保持する。ここで、上記主要素搬送波を含む搬送波群のＣＳＩを搬送するＰＵＣＣＨ及び／又はＰＵＳＣＨが複数存在すると、複数の上記主要素搬送波を含む搬送波群のＣＳＩを搬送するＰＵＣＣＨ及び／又はＰＵＳＣＨに対し等比例的に電力低下を行う。
【０１１４】
主要素搬送波を含む搬送波群のＣＳＩを搬送するＰＵＣＣＨとＰＵＳＣＨの送信電力が０に低下しても、上記端末の総送信電力が相変わらず端末の許容最大送信電力を超える場合、更に主要素搬送波を含む搬送波群のＡＣＫ／ＮＡＣＫを搬送するＰＵＣＣＨ及び／又はＰＵＳＣＨの送信電力を低下させ、残りのチャネルの送信電力を一定に保持する。ここで、上記主要素搬送波を含む搬送波群のＡＣＫ／ＮＡＣＫを搬送するＰＵＣＣＨ及び／又はＰＵＳＣＨが複数存在すると、複数の上記主要素搬送波を含む搬送波群のＡＣＫ／ＮＡＣＫを搬送するＰＵＣＣＨ及び／又はＰＵＳＣＨに対し等比例的に電力低下を行う。
【０１１５】
主要素搬送波を含む搬送波群のＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更に主要素搬送波を含む搬送波群のＳＲを搬送するＰＵＣＣＨの送信電力を低下させ、残りのチャネルの送信電力を一定に保持する。ここで、上記主要素搬送波を含む搬送波群のＳＲを搬送するＰＵＣＣＨが複数存在すると、複数の上記主要素搬送波を含む搬送波群のＳＲを搬送するＰＵＣＣＨに対し等比例的に電力低下を行う。
【０１１６】
優先度スキームＣの第２種類の表現は、主要素搬送波を含むＳＲを搬送するＰＵＣＣＨの電力割当優先度≧主要素搬送波を含むＡＣＫ／ＮＡＣＫを搬送するＰＵＣＣＨとＰＵＳＣＨの電力割当優先度＞主要素搬送波を含むＣＳＩを搬送するＰＵＣＣＨとＰＵＳＣＨの電力割当優先度＞主要素搬送波を含まないＳＲを搬送するＰＵＣＣＨの電力割当優先度≧主要素搬送波を含まないＡＣＫ／ＮＡＣＫを搬送するＰＵＣＣＨとＰＵＳＣＨの電力割当優先度＞主要素搬送波を含まないＣＳＩを搬送するＰＵＣＣＨとＰＵＳＣＨの電力割当優先度＞ＵＣＩを搬送しないＰＵＳＣＨの電力割当優先度である。
【０１１７】
上記優先度スキームＣの第２種類の表現において、主要素搬送波を含まないＳＲを搬送するＰＵＣＣＨが複数存在すると、当該複数のＰＵＣＣＨの電力割当優先度が同じであり、主要素搬送波を含まないＡＣＫ／ＮＡＣＫを搬送するＰＵＣＣＨが複数存在すると、当該複数のＰＵＣＣＨの電力割当優先度が同じであり、主要素搬送波を含まないＡＣＫ／ＮＡＣＫを搬送するＰＵＳＣＨが複数存在すると、当該複数のＰＵＳＣＨの電力割当優先度が同じであり、主要素搬送波を含まないＡＣＫ／ＮＡＣＫを搬送するＰＵＣＣＨとＰＵＳＣＨが複数存在すると、当該複数のＰＵＣＣＨとＰＵＳＣＨの電力割当優先度が同じであり、主要素搬送波を含まないＣＳＩを搬送するＰＵＣＣＨが複数存在すると、当該複数のＰＵＣＣＨの電力割当優先度が同じであり、主要素搬送波を含まないＣＳＩを搬送するＰＵＳＣＨが複数存在すると、当該複数のＰＵＳＣＨの電力割当優先度が同じであり、主要素搬送波を含まないＣＳＩを搬送するＰＵＣＣＨとＰＵＳＣＨが複数存在すると、当該複数のＰＵＣＣＨとＰＵＳＣＨの電力割当優先度が同じであることが好ましい。
【０１１８】
優先度スキームＣの上記第２種類の表現に基づいて、電力割当優先度の低い順にＰＵＣＣＨ及び／又はＰＵＳＣＨに対し逐次電力低下を行うプロセスは、以下を含む（実際の状況に応じて、以下プロセスの一部のステップが省略されてもよい）。
【０１１９】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、複数の上記ＰＵＳＣＨに対し等比例的に電力低下を行う。
【０１２０】
ＵＣＩを搬送しないＰＵＳＣＨの送信電力が０まで低下しても、上記端末の総送信電力が相変わらず端末の許容最大送信電力を超える場合、更に主要素搬送波を含まないＣＳＩを搬送するＰＵＣＣＨ及び／又はＰＵＳＣＨの送信電力を低下させ、残りのチャネルの送信電力を一定に保持する。ここで、主要素搬送波を含まないＣＳＩを搬送するＰＵＣＣＨ及び／又はＰＵＳＣＨが複数存在すると、複数の上記主要素搬送波を含まないＣＳＩを搬送するＰＵＣＣＨ及び／又はＰＵＳＣＨに対し等比例的に電力低下を行う。
【０１２１】
主要素搬送波を含まないＣＳＩを搬送するＰＵＣＣＨとＰＵＳＣＨの送信電力が０に低下しても、上記端末の総送信電力が相変わらず端末の許容最大送信電力を超える場合、更に主要素搬送波を含まないＡＣＫ／ＮＡＣＫを搬送するＰＵＣＣＨ及び／又はＰＵＳＣＨの送信電力を低下させ、残りのチャネルの送信電力を一定に保持する。ここで、上記主要素搬送波を含まないＡＣＫ／ＮＡＣＫを搬送するＰＵＣＣＨ及び／又はＰＵＳＣＨが複数存在すると、複数の上記主要素搬送波を含まないＡＣＫ／ＮＡＣＫを搬送するＰＵＣＣＨ及び／又はＰＵＳＣＨに対し等比例的に電力低下を行う。
【０１２２】
主要素搬送波を含まないＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更に主要素搬送波を含まないＳＲを搬送するＰＵＣＣＨの送信電力を低下させ、残りのチャネルの送信電力を一定に保持する。ここで、上記主要素搬送波を含まないＳＲを搬送するＰＵＣＣＨが複数存在すると、複数の上記主要素搬送波を含まないＳＲを搬送するＰＵＣＣＨに対し等比例的に電力低下を行う。
【０１２３】
主要素搬送波を含まないＳＲを搬送するＰＵＣＣＨの送信電力が０に低下しても、上記端末の総送信電力が相変わらず端末の許容最大送信電力を超える場合、更に主要素搬送波を含むＣＳＩを搬送するＰＵＣＣＨ及び／又はＰＵＳＣＨの送信電力を低下させ、残りのチャネルの送信電力を一定に保持する。ここで、上記主要素搬送波を含むＣＳＩを搬送するＰＵＣＣＨ及び／又はＰＵＳＣＨが複数存在すると、複数の上記主要素搬送波を含むＣＳＩを搬送するＰＵＣＣＨ及び／又はＰＵＳＣＨに対し等比例的に電力低下を行う。
【０１２４】
主要素搬送波を含むＣＳＩを搬送するＰＵＣＣＨとＰＵＳＣＨの送信電力が０に低下しても、上記端末の総送信電力が相変わらず端末の許容最大送信電力を超える場合、更に主要素搬送波を含むＡＣＫ／ＮＡＣＫを搬送するＰＵＣＣＨ及び／又はＰＵＳＣＨの送信電力を低下させ、残りのチャネルの送信電力を一定に保持する。ここで、上記主要素搬送波を含むＡＣＫ／ＮＡＣＫを搬送するＰＵＣＣＨ及び／又はＰＵＳＣＨが複数存在すると、複数の上記主要素搬送波を含むＡＣＫ／ＮＡＣＫを搬送するＰＵＣＣＨ及び／又はＰＵＳＣＨに対し等比例的に電力低下を行う。
【０１２５】
主要素搬送波を含むＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更に主要素搬送波を含むＳＲを搬送するＰＵＣＣＨの送信電力を低下させ、残りのチャネルの送信電力を一定に保持する。ここで、上記主要素搬送波を含むＳＲを搬送するＰＵＣＣＨが複数存在すると、複数の上記主要素搬送波を含むＳＲを搬送するＰＵＣＣＨに対し等比例的に電力低下を行う。
３）搬送されたＵＣＩのＵＣＩタイプの優先度及びチャネルの優先度に基づいて電力低下を行う。
【０１２６】
搬送されたＵＣＩのＵＣＩタイプの優先度及びチャネルの優先度に基づいて電力低下を行うプロセスは、搬送されたＵＣＩのＵＣＩタイプの優先度及びチャネルの優先度に基づいて電力割当優先度を確定し、優先度スキームＤ又は優先度スキームＥを得ることと、優先度スキームＤ又は優先度スキームＥに基づいて、電力割当優先度の低い順にＰＵＣＣＨ及び／又はＰＵＳＣＨに対し逐次電力低下を行うことを含む。
【０１２７】
上記優先度スキームＤは、まずＵＣＩの優先度で並べ替え、それからチャネルの優先度で並べ替えるように確定されることが好ましい。当該方式で確定した優先度スキームＤは、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、（少なくとも同一ＵＣＩタイプを含むＵＣＩを搬送するＰＵＣＣＨとＰＵＳＣＨに対し下記のように定義することが好ましい）ＵＣＩを搬送するＰＵＣＣＨの電力割当優先度＞ＵＣＩを搬送するＰＵＳＣＨの電力割当優先度である。
【０１２８】
優先度スキームＤにおいて、更に、少なくとも同一ＵＣＩタイプを含むＵＣＩを搬送するＰＵＣＣＨに同一の電力割当優先度を有し、少なくとも同一ＵＣＩタイプを含むＵＣＩを搬送するＰＵＳＣＨに同一の電力割当優先度を有すると規定できることが好ましい。
【０１２９】
例えば、優先度スキームＤの一種の表現は、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度である。
【０１３０】
上記優先度スキームＤの表現形式において、ＳＲを搬送する複数のＰＵＣＣＨの電力割当優先度が同一であり、ＡＣＫ／ＮＡＣＫを搬送する複数のＰＵＣＣＨの電力割当優先度が同一であり、ＡＣＫ／ＮＡＣＫを搬送する複数のＰＵＳＣＨの電力割当優先度が同一であり、ＣＳＩを搬送する複数のＰＵＣＣＨの電力割当優先度が同一であり、ＣＳＩを搬送する複数のＰＵＳＣＨの電力割当優先度が同一であることが好ましい。
【０１３１】
優先度スキームＤの上記表現形式に基づいて、電力割当優先度の低い順にＰＵＣＣＨ及び／又はＰＵＳＣＨに対し逐次電力低下を行うプロセスは、以下を含む（実際の状況に応じて、以下プロセスの一部のステップが省略されてもよい）。
【０１３２】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、複数の上記ＰＵＳＣＨに対し等比例的に電力低下を行う。
【０１３３】
ＵＣＩを搬送しないＰＵＳＣＨの送信電力が０に低下しても、上記端末の総送信電力が相変わらず端末の許容最大送信電力を超える場合、更にＣＳＩを搬送するＰＵＳＣＨの送信電力を低下させ、残りのチャネルの送信電力を一定に保持する。ここで、上記ＣＳＩを搬送するＰＵＳＣＨが複数存在すると、複数の上記ＣＳＩを搬送するＰＵＳＣＨ対し等比例的に電力低下を行う。
【０１３４】
ＣＳＩを搬送するＰＵＳＣＨの送信電力が０に低下しても、上記端末の総送信電力が相変わらず端末の許容最大送信電力を超える場合、更にＣＳＩを搬送するＰＵＣＣＨの送信電力を低下させ、残りのチャネルの送信電力を一定に保持する。ここで、上記ＣＳＩを搬送するＰＵＣＣＨが複数存在すると、複数の上記ＣＳＩを搬送するＰＵＣＣＨ対し等比例的に電力低下を行う。
【０１３５】
ＣＳＩを搬送するＰＵＣＣＨの送信電力が０に低下しても、上記端末の総送信電力が相変わらず端末の許容最大送信電力を超える場合、更にＡＣＫ／ＮＡＣＫを搬送するＰＵＳＣＨの送信電力を低下させ、残りのチャネルの送信電力を一定に保持する。ここで、上記ＡＣＫ／ＮＡＣＫを搬送するＰＵＳＣＨが複数存在すると、複数の上記ＡＣＫ／ＮＡＣＫを搬送するＰＵＳＣＨ対し等比例的に電力低下を行う。
【０１３６】
ＡＣＫ／ＮＡＣＫを搬送するＰＵＳＣＨの送信電力が０に低下しても、上記端末の総送信電力が相変わらず端末の許容最大送信電力を超える場合、更にＡＣＫ／ＮＡＣＫを搬送するＰＵＣＣＨの送信電力を低下させる。ここで、上記ＡＣＫ／ＮＡＣＫを搬送するＰＵＣＣＨが複数存在すると、複数の上記ＡＣＫ／ＮＡＣＫを搬送するＰＵＣＣＨ対し等比例的に電力低下を行う。
【０１３７】
ＡＣＫ／ＮＡＣＫを搬送するＰＵＣＣＨの送信電力が０に低下しても、上記端末の総送信電力が相変わらず端末の許容最大送信電力を超える場合、更にＳＲを搬送するＰＵＣＣＨの送信電力を低下させる。ここで、上記ＳＲを搬送するＰＵＣＣＨが複数存在すると、複数の上記ＳＲを搬送するＰＵＣＣＨ対し等比例的に電力低下を行う。
【０１３８】
上記優先度スキームＥは、まずチャネルの優先度で並べ替え、それからＵＣＩの優先度で並べ替えるように確定されることが好ましい。当該方式で確定した優先度スキームＥは、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの送信電力＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度である。
【０１３９】
優先度スキームＥにおいて、更に、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると規定できることが好ましい。
【０１４０】
例えば、優先度スキームＥの一種の表現は、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度＞ＡＣＫ／ＮＡＣＫを搬送するＰＵＳＣＨの電力割当優先度＞ＣＳＩを搬送するＰＵＳＣＨの送信電力＞ＵＣＩを搬送しないＰＵＳＣＨの電力割当優先度である。
【０１４１】
上記優先度スキームＥの表現形式において、ＳＲを搬送する複数のＰＵＣＣＨの電力割当優先度が同一であり、ＡＣＫ／ＮＡＣＫを搬送する複数のＰＵＣＣＨの電力割当優先度が同一であり、ＡＣＫ／ＮＡＣＫを搬送する複数のＰＵＳＣＨの電力割当優先度が同一であり、ＣＳＩを搬送する複数のＰＵＣＣＨの電力割当優先度が同一であり、ＣＳＩを搬送する複数のＰＵＳＣＨの電力割当優先度が同一であることが好ましい。
【０１４２】
優先度スキームＥの上記表現形式に基づいて、電力割当優先度の低い順にＰＵＣＣＨ及び／又はＰＵＳＣＨに対し逐次電力低下を行うプロセスは、以下を含む（実際の状況に応じて、以下プロセスの一部のステップが省略されてもよい）。
【０１４３】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、複数の上記ＰＵＳＣＨに対し等比例的に電力低下を行う。
【０１４４】
ＵＣＩを搬送しないＰＵＳＣＨの送信電力が０に低下しても、上記端末の総送信電力が相変わらず端末の許容最大送信電力を超える場合、更にＣＳＩを搬送するＰＵＳＣＨの送信電力を低下させ、残りのチャネルの送信電力を一定に保持する。ここで、上記ＣＳＩを搬送するＰＵＳＣＨが複数存在すると、複数の上記ＣＳＩを搬送するＰＵＳＣＨ対し等比例的に電力低下を行う。
【０１４５】
ＣＳＩを搬送するＰＵＳＣＨの送信電力が０に低下しても、上記端末の総送信電力が相変わらず端末の許容最大送信電力を超える場合、更にＡＣＫ／ＮＡＣＫを搬送するＰＵＳＣＨの送信電力を低下させ、残りのチャネルの送信電力を一定に保持する。ここで、上記ＡＣＫ／ＮＡＣＫを搬送するＰＵＳＣＨが複数存在すると、複数の上記ＡＣＫ／ＮＡＣＫを搬送するＰＵＳＣＨ対し等比例的に電力低下を行う。
【０１４６】
ＡＣＫ／ＮＡＣＫを搬送するＰＵＳＣＨの送信電力が０に低下しても、上記端末の総送信電力が相変わらず端末の許容最大送信電力を超える場合、更にＣＳＩを搬送するＰＵＣＣＨの送信電力を低下させ、残りのチャネルの送信電力を一定に保持する。ここで、上記ＣＳＩを搬送するＰＵＣＣＨが複数存在すると、複数の上記ＣＳＩを搬送するＰＵＣＣＨ対し等比例的に電力低下を行う。
【０１４７】
ＣＳＩを搬送するＰＵＣＣＨの送信電力が０に低下しても、上記端末の総送信電力が相変わらず端末の許容最大送信電力を超える場合、更にＡＣＫ／ＮＡＣＫを搬送するＰＵＣＣＨの送信電力を低下させ、残りのチャネルの送信電力を一定に保持する。ここで、上記ＡＣＫ／ＮＡＣＫを搬送するＰＵＣＣＨが複数存在すると、複数の上記ＡＣＫ／ＮＡＣＫを搬送するＰＵＣＣＨ対し等比例的に電力低下を行う。
【０１４８】
ＡＣＫ／ＮＡＣＫを搬送するＰＵＣＣＨの送信電力が０に低下しても、上記端末の総送信電力が相変わらず端末の許容最大送信電力を超える場合、更にＳＲを搬送するＰＵＣＣＨの送信電力を低下させる。ここで、上記ＳＲを搬送するＰＵＣＣＨが複数存在すると、複数の上記ＳＲを搬送するＰＵＣＣＨ対し等比例的に電力低下を行う。
４）搬送されたＵＣＩのＵＣＩタイプの優先度、搬送波の優先度、チャネルの優先度に基づいて電力低下を行う。
【０１４９】
搬送されたＵＣＩのＵＣＩタイプの優先度、搬送波の優先度、チャネルの優先度に基づいて電力低下を行うプロセスは、搬送されたＵＣＩのＵＣＩタイプの優先度、搬送波の優先度、チャネルの優先度に基づいて電力割当優先度を確定し、優先度スキームＦ、優先度スキームＧ、優先度スキームＨ、優先度スキームＩ、優先度スキームＪ又は優先度スキームＫを得ることと、上記優先度スキームＦ、優先度スキームＧ、優先度スキームＨ、優先度スキームＩ、優先度スキームＪ又は優先度スキームＫに基づいて、電力割当優先度の低い順に上記ＰＵＣＣＨ及び／又はＰＵＳＣＨに対し逐次電力低下を行うことを含む。
【０１５０】
上記優先度スキームＦは、まずＵＣＩの優先度で並べ替え、それから搬送波の優先度で並べ替え、最後にチャネルの優先度で並べ替えるように確定されることが好ましい。当該方式で確定した優先度スキームＦは、以下の２種類の優先度定義を含む。
【０１５１】
優先度スキームＦの第１種類の優先度定義は、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、（少なくとも同一ＵＣＩタイプを含むＵＣＩを搬送するＰＵＣＣＨ及び／又はＰＵＳＣＨに対し下記のように定義することが好ましい）主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、且つ、（主要素搬送波を含む搬送波群のＵＣＩを搬送し且つＵＣＩに少なくとも同一種類のＵＣＩタイプを含むＰＵＣＣＨとＰＵＳＣＨ、及び、主要素搬送波を含まない搬送波群のＵＣＩを搬送し且つＵＣＩに少なくとも同一種類のＵＣＩタイプを含むＰＵＣＣＨとＰＵＳＣＨに対し下記のように定義することが好ましい）ＵＣＩを搬送するＰＵＣＣＨの電力割当優先度＞ＵＣＩを搬送するＰＵＳＣＨの電力割当優先度である。
【０１５２】
上記優先度スキームＦにおいて、更に、主要素搬送波を含まない搬送波群のＵＣＩを搬送するＰＵＣＣＨが複数存在し且つ複数の上記ＰＵＣＣＨに少なくとも同一種類のＵＣＩタイプのＵＣＩを含む場合、複数の上記ＰＵＣＣＨに同一の電力割当優先度を有し、主要素搬送波を含まない搬送波群のＵＣＩを搬送するＰＵＳＣＨが複数存在し且つ複数の上記ＰＵＳＣＨに少なくとも同一種類のＵＣＩタイプのＵＣＩを含む場合、複数の上記ＰＵＳＣＨに同一の電力割当優先度を有すると規定できることが好ましい。
【０１５３】
優先度スキームＦの第２種類の優先度定義は、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、（少なくとも同一ＵＣＩタイプを含むＵＣＩを搬送するＰＵＣＣＨ及び／又はＰＵＳＣＨに対し下記のように定義することが好ましい）主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、（主要素搬送波を含むＵＣＩを搬送し且つＵＣＩに少なくとも同一種類のＵＣＩタイプを含むＰＵＣＣＨとＰＵＳＣＨ、及び、主要素搬送波を含まないＵＣＩを搬送し且つＵＣＩに少なくとも同一種類のＵＣＩタイプを含むＰＵＣＣＨとＰＵＳＣＨに対し下記のように定義することが好ましい）ＵＣＩを搬送するＰＵＣＣＨの電力割当優先度＞ＵＣＩを搬送するＰＵＳＣＨの電力割当優先度である。
【０１５４】
上記優先度スキームＦにおいて、更に、主要素搬送波を含まないＵＣＩを搬送するＰＵＣＣＨが複数存在し且つ複数の上記ＰＵＣＣＨに少なくとも同一種類のＵＣＩタイプのＵＣＩを含む場合、複数の上記ＰＵＣＣＨに同一の電力割当優先度を有し、主要素搬送波を含まないＵＣＩを搬送するＰＵＳＣＨが複数存在し且つ複数の上記ＰＵＳＣＨに少なくとも同一種類のＵＣＩタイプのＵＣＩを含む場合、複数の上記ＰＵＳＣＨに同一の電力割当優先度を有すると規定できることが好ましい。
【０１５５】
例えば、優先度スキームＦの第１種類の表現は、主要素搬送波を含む搬送波群のＳＲを搬送するＰＵＣＣＨの電力割当優先度＞主要素搬送波を含まない搬送波群のＳＲを搬送するＰＵＣＣＨの電力割当優先度≧主要素搬送波を含む搬送波群のＡＣＫ／ＮＡＣＫを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含まない搬送波群のＡＣＫ／ＮＡＣＫを搬送するＰＵＣＣＨの電力割当優先度＞主要素搬送波を含まない搬送波群のＡＣＫ／ＮＡＣＫを搬送するＰＵＳＣＨの電力割当優先度＞主要素搬送波を含む搬送波群のＣＳＩを搬送するＰＵＣＣＨの電力割当優先度＞主要素搬送波を含む搬送波群のＣＳＩを搬送するＰＵＳＣＨの電力割当優先度＞主要素搬送波を含まない搬送波群のＣＳＩを搬送するＰＵＣＣＨの電力割当優先度＞主要素搬送波を含まない搬送波群のＣＳＩを搬送するＰＵＳＣＨの送信電力＞ＵＣＩを搬送しないＰＵＳＣＨの電力割当優先度である。
【０１５６】
上記優先度スキームＦの第１種類の表現において、主要素搬送波を含まない搬送波群のＳＲを搬送するＰＵＣＣＨが複数ある場合、複数の上記ＰＵＣＣＨに同一の電力割当優先度を有し、主要素搬送波を含まない搬送波群のＡＣＫ／ＮＡＣＫを搬送するＰＵＣＣＨが複数ある場合、複数の上記ＰＵＣＣＨに同一の電力割当優先度を有し、主要素搬送波を含まない搬送波群のＣＳＩを搬送するＰＵＣＣＨが複数ある場合、複数の上記ＰＵＣＣＨに同一の電力割当優先度を有し、主要素搬送波を含まない搬送波群のＡＣＫ／ＮＡＣＫを搬送するＰＵＳＣＨが複数ある場合、複数の上記ＰＵＳＣＨに同一の電力割当優先度を有し、主要素搬送波を含まない搬送波群のＣＳＩを搬送するＰＵＳＣＨが複数ある場合、複数の上記ＰＵＳＣＨに同一の電力割当優先度を有することが好ましい。
【０１５７】
優先度スキームＦの上記第１種類の表現形式に基づいて、電力割当優先度の低い順にＰＵＣＣＨ及び／又はＰＵＳＣＨに対し逐次電力低下を行うプロセスは、以下を含む（実際の状況に応じて、以下プロセスの一部のステップが省略されてもよい）。
【０１５８】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、複数の上記ＰＵＳＣＨに対し等比例的に電力低下を行う。
【０１５９】
ＵＣＩを搬送しないＰＵＳＣＨの送信電力が０に低下しても、上記端末の総送信電力が相変わらず端末の許容最大送信電力を超える場合、更に主要素搬送波を含まない搬送波群のＣＳＩを搬送するＰＵＳＣＨの送信電力を低下させ、残りのチャネルの送信電力を一定に保持する。ここで、主要素搬送波を含まない搬送波群のＣＳＩを搬送するＰＵＳＣＨが複数存在すると、複数の上記主要素搬送波を含まない搬送波群のＣＳＩを搬送するＰＵＳＣＨに対し等比例的に電力低下を行う。
【０１６０】
主要素搬送波を含まない搬送波群のＣＳＩを搬送するＰＵＳＣＨの送信電力が０に低下しても、上記端末の総送信電力が相変わらず端末の許容最大送信電力を超える場合、更に主要素搬送波を含まない搬送波群のＣＳＩを搬送するＰＵＣＣＨの送信電力を低下させ、残りのチャネルの送信電力を一定に保持する。ここで、主要素搬送波を含まない搬送波群のＣＳＩを搬送するＰＵＣＣＨが複数存在すると、複数の上記主要素搬送波を含まない搬送波群のＣＳＩを搬送するＰＵＣＣＨに対し等比例的に電力低下を行う。
【０１６１】
主要素搬送波を含まない搬送波群のＣＳＩを搬送するＰＵＣＣＨの送信電力が０に低下しても、上記端末の総送信電力が相変わらず端末の許容最大送信電力を超える場合、更に主要素搬送波を含む搬送波群のＣＳＩを搬送するＰＵＳＣＨの送信電力を低下させ、残りのチャネルの送信電力を一定に保持する。ここで、主要素搬送波を含む搬送波群のＣＳＩを搬送するＰＵＳＣＨが複数存在すると、複数の上記主要素搬送波を含む搬送波群のＣＳＩを搬送するＰＵＳＣＨに対し等比例的に電力低下を行う。
【０１６２】
主要素搬送波を含む搬送波群のＣＳＩを搬送するＰＵＳＣＨの送信電力が０に低下しても、上記端末の総送信電力が相変わらず端末の許容最大送信電力を超える場合、更に主要素搬送波を含む搬送波群のＣＳＩを搬送するＰＵＣＣＨの送信電力を低下させ、残りのチャネルの送信電力を一定に保持する。ここで、主要素搬送波を含む搬送波群のＣＳＩを搬送するＰＵＣＣＨが複数存在すると、複数の上記主要素搬送波を含む搬送波群のＣＳＩを搬送するＰＵＣＣＨに対し等比例的に電力低下を行う。
【０１６３】
主要素搬送波を含む搬送波群のＣＳＩを搬送するＰＵＣＣＨの送信電力が０に低下しても、上記端末の総送信電力が相変わらず端末の許容最大送信電力を超える場合、更に主要素搬送波を含まない搬送波群のＡＣＫ／ＮＡＣＫを搬送するＰＵＳＣＨの送信電力を低下させ、残りのチャネルの送信電力を一定に保持する。ここで、主要素搬送波を含まない搬送波群のＡＣＫ／ＮＡＣＫを搬送するＰＵＳＣＨが複数存在すると、複数の上記主要素搬送波を含まない搬送波群のＡＣＫ／ＮＡＣＫを搬送するＰＵＳＣＨに対し等比例的に電力低下を行う。
【０１６４】
主要素搬送波を含まない搬送波群のＡＣＫ／ＮＡＣＫを搬送するＰＵＳＣＨの送信電力が０に低下しても、上記端末の総送信電力が相変わらず端末の許容最大送信電力を超える場合、更に主要素搬送波を含まない搬送波群のＡＣＫ／ＮＡＣＫを搬送するＰＵＣＣＨの送信電力を低下させ、残りのチャネルの送信電力を一定に保持する。ここで、主要素搬送波を含まない搬送波群のＡＣＫ／ＮＡＣＫを搬送するＰＵＣＣＨが複数存在すると、複数の上記主要素搬送波を含まない搬送波群のＡＣＫ／ＮＡＣＫを搬送するＰＵＣＣＨに対し等比例的に電力低下を行う。
【０１６５】
主要素搬送波を含まない搬送波群のＡＣＫ／ＮＡＣＫを搬送するＰＵＣＣＨの送信電力が０に低下しても、上記端末の総送信電力が相変わらず端末の許容最大送信電力を超える場合、更に主要素搬送波を含む搬送波群のＡＣＫ／ＮＡＣＫを搬送するＰＵＳＣＨの送信電力を低下させ、残りのチャネルの送信電力を一定に保持する。ここで、主要素搬送波を含む搬送波群のＡＣＫ／ＮＡＣＫを搬送するＰＵＳＣＨが複数存在すると、複数の上記主要素搬送波を含む搬送波群のＡＣＫ／ＮＡＣＫを搬送するＰＵＳＣＨに対し等比例的に電力低下を行う。
【０１６６】
主要素搬送波を含む搬送波群のＡＣＫ／ＮＡＣＫを搬送するＰＵＳＣＨの送信電力が０に低下しても、上記端末の総送信電力が相変わらず端末の許容最大送信電力を超える場合、更に主要素搬送波を含む搬送波群のＡＣＫ／ＮＡＣＫを搬送するＰＵＣＣＨの送信電力を低下させ、残りのチャネルの送信電力を一定に保持する。ここで、主要素搬送波を含む搬送波群のＡＣＫ／ＮＡＣＫを搬送するＰＵＣＣＨが複数存在すると、複数の上記主要素搬送波を含む搬送波群のＡＣＫ／ＮＡＣＫを搬送するＰＵＣＣＨに対し等比例的に電力低下を行う。
【０１６７】
主要素搬送波を含む搬送波群のＡＣＫ／ＮＡＣＫを搬送するＰＵＣＣＨの送信電力が０に低下しても、上記端末の総送信電力が相変わらず端末の許容最大送信電力を超える場合、更に主要素搬送波を含まない搬送波群のＳＲを搬送するＰＵＣＣＨの送信電力を低下させ、残りのチャネルの送信電力を一定に保持する。ここで、主要素搬送波を含まない搬送波群のＳＲを搬送するＰＵＣＣＨが複数存在すると、複数の上記主要素搬送波を含まない搬送波群のＳＲを搬送するＰＵＣＣＨに対し等比例的に電力低下を行う。
【０１６８】
主要素搬送波を含まない搬送波群のＳＲを搬送するＰＵＣＣＨの送信電力が０に低下しても、上記端末の総送信電力が相変わらず端末の許容最大送信電力を超える場合、更に主要素搬送波を含む搬送波群のＳＲを搬送するＰＵＣＣＨの送信電力を低下させ、残りのチャネルの送信電力を一定に保持する。ここで、主要素搬送波を含む搬送波群のＳＲを搬送するＰＵＣＣＨが複数存在すると、複数の上記主要素搬送波を含む搬送波群のＳＲを搬送するＰＵＣＣＨに対し等比例的に電力低下を行う。
【０１６９】
優先度スキームＦの第２種類の表現は、主要素搬送波を含むＳＲを搬送するＰＵＣＣＨの電力割当優先度＞主要素搬送波を含まないＳＲを搬送するＰＵＣＣＨの電力割当優先度≧主要素搬送波を含むＡＣＫ／ＮＡＣＫを搬送するＰＵＣＣＨの電力割当優先度＞主要素搬送波を含むＡＣＫ／ＮＡＣＫを搬送するＰＵＳＣＨの電力割当優先度＞主要素搬送波を含まないＡＣＫ／ＮＡＣＫを搬送するＰＵＣＣＨの電力割当優先度＞主要素搬送波を含まないＡＣＫ／ＮＡＣＫを搬送するＰＵＳＣＨの電力割当優先度＞主要素搬送波を含むＣＳＩを搬送するＰＵＣＣＨの電力割当優先度＞主要素搬送波を含むＣＳＩを搬送するＰＵＳＣＨの電力割当優先度＞主要素搬送波を含まないＣＳＩを搬送するＰＵＣＣＨの電力割当優先度＞主要素搬送波を含まないＣＳＩを搬送するＰＵＳＣＨの送信電力＞ＵＣＩを搬送しないＰＵＳＣＨの電力割当優先度である。
【０１７０】
上記優先度スキームＦの第２種類の表現において、主要素搬送波を含まないＳＲを搬送するＰＵＣＣＨが複数ある場合、複数の上記ＰＵＣＣＨに同一の電力割当優先度を有し、主要素搬送波を含まないＡＣＫ／ＮＡＣＫを搬送するＰＵＣＣＨが複数ある場合、複数の上記ＰＵＣＣＨに同一の電力割当優先度を有し、主要素搬送波を含まないＣＳＩを搬送するＰＵＣＣＨが複数ある場合、複数の上記ＰＵＣＣＨに同一の電力割当優先度を有し、主要素搬送波を含まないＡＣＫ／ＮＡＣＫを搬送するＰＵＳＣＨが複数ある場合、複数の上記ＰＵＳＣＨに同一の電力割当優先度を有し、主要素搬送波を含まないＣＳＩを搬送するＰＵＳＣＨが複数ある場合、複数の上記ＰＵＳＣＨに同一の電力割当優先度を有することが好ましい。
【０１７１】
優先度スキームＦの上記第２種類の表現形式に基づいて、電力割当優先度の低い順にＰＵＣＣＨ及び／又はＰＵＳＣＨに対し逐次電力低下を行うプロセスは、以下を含む（実際の状況に応じて、以下プロセスの一部のステップが省略されてもよい）。
【０１７２】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、複数の上記ＰＵＳＣＨに対し等比例的に電力低下を行う。
【０１７３】
ＵＣＩを搬送しないＰＵＳＣＨの送信電力が０に低下しても、上記端末の総送信電力が相変わらず端末の許容最大送信電力を超える場合、更に主要素搬送波を含まないＣＳＩを搬送するＰＵＳＣＨの送信電力を低下させ、残りのチャネルの送信電力を一定に保持する。ここで、主要素搬送波を含まないＣＳＩを搬送するＰＵＳＣＨが複数存在すると、複数の上記主要素搬送波を含まないＣＳＩを搬送するＰＵＳＣＨに対し等比例的に電力低下を行う。
【０１７４】
主要素搬送波を含まないＣＳＩを搬送するＰＵＳＣＨの送信電力が０に低下しても、上記端末の総送信電力が相変わらず端末の許容最大送信電力を超える場合、更に主要素搬送波を含まないＣＳＩを搬送するＰＵＣＣＨの送信電力を低下させ、残りのチャネルの送信電力を一定に保持する。ここで、主要素搬送波を含まないＣＳＩを搬送するＰＵＣＣＨが複数存在すると、複数の上記主要素搬送波を含まないＣＳＩを搬送するＰＵＣＣＨに対し等比例的に電力低下を行う。
【０１７５】
主要素搬送波を含まないＣＳＩを搬送するＰＵＣＣＨの送信電力が０に低下しても、上記端末の総送信電力が相変わらず端末の許容最大送信電力を超える場合、更に主要素搬送波を含むＣＳＩを搬送するＰＵＳＣＨの送信電力を低下させ、残りのチャネルの送信電力を一定に保持する。ここで、主要素搬送波を含むＣＳＩを搬送するＰＵＳＣＨが複数存在すると、複数の上記主要素搬送波を含むＣＳＩを搬送するＰＵＳＣＨに対し等比例的に電力低下を行う。
【０１７６】
主要素搬送波を含むＣＳＩを搬送するＰＵＳＣＨの送信電力が０に低下しても、上記端末の総送信電力が相変わらず端末の許容最大送信電力を超える場合、更に主要素搬送波を含むＣＳＩを搬送するＰＵＣＣＨの送信電力を低下させ、残りのチャネルの送信電力を一定に保持する。ここで、主要素搬送波を含むＣＳＩを搬送するＰＵＣＣＨが複数存在すると、複数の上記主要素搬送波を含むＣＳＩを搬送するＰＵＣＣＨに対し等比例的に電力低下を行う。
【０１７７】
主要素搬送波を含むＣＳＩを搬送するＰＵＣＣＨの送信電力が０に低下しても、上記端末の総送信電力が相変わらず端末の許容最大送信電力を超える場合、更に主要素搬送波を含まないＡＣＫ／ＮＡＣＫを搬送するＰＵＳＣＨの送信電力を低下させ、残りのチャネルの送信電力を一定に保持する。ここで、主要素搬送波を含まないＡＣＫ／ＮＡＣＫを搬送するＰＵＳＣＨが複数存在すると、複数の上記主要素搬送波を含まないＡＣＫ／ＮＡＣＫ  を搬送するＰＵＳＣＨに対し等比例的に電力低下を行う。
【０１７８】
主要素搬送波を含まないＡＣＫ／ＮＡＣＫを搬送するＰＵＳＣＨの送信電力が０に低下しても、上記端末の総送信電力が相変わらず端末の許容最大送信電力を超える場合、更に主要素搬送波を含まないＡＣＫ／ＮＡＣＫを搬送するＰＵＣＣＨの送信電力を低下させ、残りのチャネルの送信電力を一定に保持する。ここで、主要素搬送波を含まないＡＣＫ／ＮＡＣＫを搬送するＰＵＣＣＨが複数存在すると、複数の上記主要素搬送波を含まないＡＣＫ／ＮＡＣＫを搬送するＰＵＣＣＨに対し等比例的に電力低下を行う。
【０１７９】
主要素搬送波を含まないＡＣＫ／ＮＡＣＫを搬送するＰＵＣＣＨの送信電力が０に低下しても、上記端末の総送信電力が相変わらず端末の許容最大送信電力を超える場合、更に主要素搬送波を含むＡＣＫ／ＮＡＣＫを搬送するＰＵＳＣＨの送信電力を低下させ、残りのチャネルの送信電力を一定に保持する。ここで、主要素搬送波を含むＡＣＫ／ＮＡＣＫを搬送するＰＵＳＣＨが複数存在すると、複数の上記主要素搬送波を含むＡＣＫ／ＮＡＣＫを搬送するＰＵＳＣＨに対し等比例的に電力低下を行う。
【０１８０】
主要素搬送波を含むＡＣＫ／ＮＡＣＫを搬送するＰＵＳＣＨの送信電力が０に低下しても、上記端末の総送信電力が相変わらず端末の許容最大送信電力を超える場合、更に主要素搬送波を含むＡＣＫ／ＮＡＣＫを搬送するＰＵＣＣＨの送信電力を低下させ、残りのチャネルの送信電力を一定に保持する。ここで、主要素搬送波を含むＡＣＫ／ＮＡＣＫを搬送するＰＵＣＣＨが複数存在すると、複数の上記主要素搬送波を含むＡＣＫ／ＮＡＣＫを搬送するＰＵＣＣＨに対し等比例的に電力低下を行う。
【０１８１】
主要素搬送波を含むＡＣＫ／ＮＡＣＫを搬送するＰＵＣＣＨの送信電力が０に低下しても、上記端末の総送信電力が相変わらず端末の許容最大送信電力を超える場合、更に主要素搬送波を含まないＳＲを搬送するＰＵＣＣＨの送信電力を低下させ、残りのチャネルの送信電力を一定に保持する。ここで、主要素搬送波を含まないＳＲを搬送するＰＵＣＣＨが複数存在すると、複数の上記主要素搬送波を含まないＳＲを搬送するＰＵＣＣＨに対し等比例的に電力低下を行う。
【０１８２】
主要素搬送波を含まないＳＲを搬送するＰＵＣＣＨの送信電力が０に低下しても、上記端末の総送信電力が相変わらず端末の許容最大送信電力を超える場合、更に主要素搬送波を含むＳＲを搬送するＰＵＣＣＨの送信電力を低下させ、残りのチャネルの送信電力を一定に保持する。ここで、主要素搬送波を含むＳＲを搬送するＰＵＣＣＨが複数存在すると、複数の上記主要素搬送波を含むＳＲを搬送するＰＵＣＣＨに対し等比例的に電力低下を行う。
【０１８３】
上記優先度スキームＧは、まずＵＣＩタイプの優先度で並べ替え、それからチャネルの優先度で並べ替え、最後に搬送波の優先度で並べ替えるように確定されることが好ましい。当該方式で確定した優先度スキームＧは、以下の２種類の優先度定義を含む。
【０１８４】
優先度スキームＧの第１種類の優先度定義は、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、（少なくとも同一ＵＣＩタイプを含むＵＣＩを搬送するＰＵＣＣＨとＰＵＳＣＨに対し下記のように定義することが好ましい）ＵＣＩを搬送するＰＵＣＣＨの電力割当優先度＞ＵＣＩを搬送するＰＵＳＣＨの電力割当優先度、且つ、（少なくとも同一ＵＣＩタイプを含むＵＣＩを搬送するＰＵＣＣＨに対し下記のように定義することが好ましい）ＵＣＩを搬送するＰＵＣＣＨに対し、更に、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度と定義し、且つ、（少なくとも同一ＵＣＩタイプを含むＵＣＩを搬送するＰＵＳＣＨに対し下記のように定義することが好ましい）ＵＣＩを搬送するＰＵＳＣＨに対し、更に、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度と定義するものである。
【０１８５】
上記優先度スキームＧにおいて、更に、主要素搬送波を含まない搬送波群のＵＣＩを搬送するＰＵＣＣＨが複数存在し且つ複数の上記ＰＵＣＣＨに少なくとも同一種類のＵＣＩタイプのＵＣＩを含む場合、複数の上記ＰＵＣＣＨに同一の電力割当優先度を有し、主要素搬送波を含まない搬送波群のＵＣＩを搬送するＰＵＳＣＨが複数存在し且つ複数の上記ＰＵＳＣＨに少なくとも同一種類のＵＣＩタイプのＵＣＩを含む場合、複数の上記ＰＵＳＣＨに同一の電力割当優先度を有すると規定できることが好ましい。
【０１８６】
優先度スキームＧの第２種類の優先度定義は、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、（少なくとも同一ＵＣＩタイプを含むＵＣＩを搬送するＰＵＣＣＨとＰＵＳＣＨに対し下記のように定義することが好ましい）ＵＣＩを搬送するＰＵＣＣＨの電力割当優先度＞ＵＣＩを搬送するＰＵＳＣＨの電力割当優先度、且つ、（少なくとも同一ＵＣＩタイプを含むＵＣＩを搬送するＰＵＣＣＨに対し下記のように定義することが好ましい）ＵＣＩを搬送するＰＵＣＣＨに対し、更に、主要素搬送波を含むＵＣＩを搬送するＰＵＣＣＨの電力割当優先度＞主要素搬送波を含まないＵＣＩを搬送するＰＵＣＣＨの電力割当優先度と定義し、且つ、（少なくとも同一ＵＣＩタイプを含むＵＣＩを搬送するＰＵＳＣＨに対し下記のように定義することが好ましい）ＵＣＩを搬送するＰＵＳＣＨに対し、更に、主要素搬送波を含むＵＣＩを搬送するＰＵＳＣＨの電力割当優先度＞主要素搬送波を含まないＵＣＩを搬送するＰＵＳＣＨの電力割当優先度と定義するものである。
【０１８７】
上記優先度スキームＧにおいて、更に、主要素搬送波を含まないＵＣＩを搬送するＰＵＣＣＨが複数存在し且つ複数の上記ＰＵＣＣＨに少なくとも同一ＵＣＩタイプのＵＣＩを含む場合、複数の上記ＰＵＣＣＨに同一の電力割当優先度を有し、主要素搬送波を含まないＵＣＩを搬送するＰＵＳＣＨが複数存在し且つ複数の上記ＰＵＳＣＨに少なくとも同一ＵＣＩタイプのＵＣＩを含む場合、複数の上記ＰＵＳＣＨに同一の電力割当優先度を有すると規定できることが好ましい。
【０１８８】
例えば、以上の優先度定義に基づいて、優先度スキームＧの第１種類の表現は、主要素搬送波を含む搬送波群のＳＲを搬送するＰＵＣＣＨの電力割当優先度＞主要素搬送波を含まない搬送波群のＳＲを搬送するＰＵＣＣＨの電力割当優先度≧主要素搬送波を含む搬送波群のＡＣＫ／ＮＡＣＫを搬送するＰＵＣＣＨの電力割当優先度＞主要素搬送波を含まない搬送波群のＡＣＫ／ＮＡＣＫを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含まない搬送波群のＡＣＫ／ＮＡＣＫを搬送するＰＵＳＣＨの電力割当優先度＞主要素搬送波を含む搬送波群のＣＳＩを搬送するＰＵＣＣＨの電力割当優先度＞主要素搬送波を含まない搬送波群のＣＳＩを搬送するＰＵＣＣＨの電力割当優先度＞主要素搬送波を含む搬送波群のＣＳＩを搬送するＰＵＳＣＨの電力割当優先度＞主要素搬送波を含まない搬送波群のＣＳＩを搬送するＰＵＳＣＨの送信電力＞ＵＣＩを搬送しないＰＵＳＣＨの電力割当優先度である。ここで、主要素搬送波を含まない搬送波群のＳＲを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＣＣＨが複数あると、複数の上記ＰＵＣＣＨに同一の電力割当優先度を有し、主要素搬送波を含まない搬送波群のＣＳＩを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＳＣＨが複数あると、複数の上記ＰＵＳＣＨに同一の電力割当優先度を有し、主要素搬送波を含まない搬送波群のＣＳＩを搬送するＰＵＳＣＨが複数あると、複数の上記ＰＵＳＣＨに同一の電力割当優先度を有する。
【０１８９】
優先度スキームＧの上記第１種類の表現形式に基づいて、電力割当優先度の低い順にＰＵＣＣＨ及び／又はＰＵＳＣＨに対し逐次電力低下を行うプロセスは、以下を含む（実際の状況に応じて、以下プロセスの一部のステップが省略されてもよい）。
【０１９０】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、これらのＰＵＳＣＨに対し等比例的に電力低下を行う。
【０１９１】
ＵＣＩを搬送しないＰＵＳＣＨの送信電力が０に低下しても、上記端末の総送信電力が相変わらず端末の許容最大送信電力を超える場合、更に主要素搬送波を含まない搬送波群のＣＳＩを搬送するＰＵＳＣＨの送信電力を低下させ、残りのチャネルの送信電力を一定に保持する。ここで、主要素搬送波を含まないＣＳＩを搬送するＰＵＳＣＨが複数存在すると、これらのＰＵＳＣＨに対し等比例的に電力低下を行う。
【０１９２】
主要素搬送波を含まない搬送波群のＣＳＩを搬送するＰＵＳＣＨの送信電力が０に低下しても、上記端末の総送信電力が相変わらず端末の許容最大送信電力を超える場合、更に主要素搬送波を含む搬送波群のＣＳＩを搬送するＰＵＳＣＨの送信電力を低下させ、残りのチャネルの送信電力を一定に保持する。ここで、主要素搬送波を含まない搬送波群のＣＳＩを搬送するＰＵＳＣＨが複数存在すると、これらのＰＵＳＣＨに対し等比例的に電力低下を行う。
【０１９３】
主要素搬送波を含む搬送波群のＣＳＩを搬送するＰＵＳＣＨの送信電力が０に低下しても、上記端末の総送信電力が相変わらず端末の許容最大送信電力を超える場合、更に主要素搬送波を含まない搬送波群のＣＳＩを搬送するＰＵＣＣＨの送信電力を低下させ、残りのチャネルの送信電力を一定に保持する。ここで、主要素搬送波を含まない搬送波群のＣＳＩを搬送するＰＵＣＣＨが複数存在すると、これらのＰＵＣＣＨに対し等比例的に電力低下を行う。
【０１９４】
主要素搬送波を含まない搬送波群のＣＳＩを搬送するＰＵＣＣＨの送信電力が０に低下しても、上記端末の総送信電力が相変わらず端末の許容最大送信電力を超える場合、更に主要素搬送波を含む搬送波群のＣＳＩを搬送するＰＵＣＣＨの送信電力を低下させ、残りのチャネルの送信電力を一定に保持する。ここで、主要素搬送波を含む搬送波群のＣＳＩを搬送するＰＵＣＣＨが複数存在すると、これらのＰＵＣＣＨに対し等比例的に電力低下を行う。
【０１９５】
主要素搬送波を含む搬送波群のＣＳＩを搬送するＰＵＣＣＨの送信電力が０に低下しても、上記端末の総送信電力が相変わらず端末の許容最大送信電力を超える場合、更に主要素搬送波を含まない搬送波群のＡＣＫ／ＮＡＣＫを搬送するＰＵＳＣＨの送信電力を低下させ、残りのチャネルの送信電力を一定に保持する。ここで、主要素搬送波を含まない搬送波群のＡＣＫ／ＮＡＣＫを搬送するＰＵＳＣＨが複数存在すると、これらのＰＵＳＣＨに対し等比例的に電力低下を行う。
【０１９６】
主要素搬送波を含まない搬送波群のＡＣＫ／ＮＡＣＫ  を搬送するＰＵＳＣＨの送信電力が０に低下しても、上記端末の総送信電力が相変わらず端末の許容最大送信電力を超える場合、更に主要素搬送波を含むＡＣＫ／ＮＡＣＫを搬送するＰＵＳＣＨの送信電力を低下させ、残りのチャネルの送信電力を一定に保持する。ここで、主要素搬送波を含む搬送波群のＡＣＫ／ＮＡＣＫを搬送するＰＵＳＣＨが複数存在すると、これらのＰＵＳＣＨに対し等比例的に電力低下を行う。
【０１９７】
主要素搬送波を含む搬送波群のＡＣＫ／ＮＡＣＫを搬送するＰＵＳＣＨの送信電力が０に低下しても、上記端末の総送信電力が相変わらず端末の許容最大送信電力を超える場合、更に主要素搬送波を含まない搬送波群のＡＣＫ／ＮＡＣＫを搬送するＰＵＣＣＨの送信電力を低下させ、残りのチャネルの送信電力を一定に保持する。ここで、主要素搬送波を含まない搬送波群のＡＣＫ／ＮＡＣＫを搬送するＰＵＣＣＨが複数存在すると、これらのＰＵＣＣＨに対し等比例的に電力低下を行う。
【０１９８】
主要素搬送波を含まない搬送波群のＡＣＫ／ＮＡＣＫを搬送するＰＵＣＣＨの送信電力が０に低下しても、上記端末の総送信電力が相変わらず端末の許容最大送信電力を超える場合、更に主要素搬送波を含む搬送波群のＡＣＫ／ＮＡＣＫを搬送するＰＵＣＣＨの送信電力を低下させ、残りのチャネルの送信電力を一定に保持する。ここで、主要素搬送波を含む搬送波群のＡＣＫ／ＮＡＣＫを搬送するＰＵＣＣＨが複数存在すると、これらのＰＵＣＣＨに対し等比例的に電力低下を行う。
【０１９９】
主要素搬送波を含む搬送波群のＡＣＫ／ＮＡＣＫを搬送するＰＵＣＣＨの送信電力が０に低下しても、上記端末の総送信電力が相変わらず端末の許容最大送信電力を超える場合、更に主要素搬送波を含まない搬送波群のＳＲを搬送するＰＵＣＣＨの送信電力を低下させ、残りのチャネルの送信電力を一定に保持する。ここで、主要素搬送波を含まない搬送波群のＳＲを搬送するＰＵＣＣＨが複数存在すると、これらのＰＵＣＣＨに対し等比例的に電力低下を行う。
【０２００】
主要素搬送波を含まない搬送波群のＳＲを搬送するＰＵＣＣＨの送信電力が０に低下しても、上記端末の総送信電力が相変わらず端末の許容最大送信電力を超える場合、更に主要素搬送波を含む搬送波群のＳＲを搬送するＰＵＣＣＨの送信電力を低下させ、残りのチャネルの送信電力を一定に保持する。ここで、主要素搬送波を含む搬送波群のＳＲを搬送するＰＵＣＣＨが複数存在すると、これらのＰＵＣＣＨに対し等比例的に電力低下を行う。
【０２０１】
以上の優先度定義に基づいて、優先度スキームＧの第２種類の表現は、主要素搬送波を含むＳＲを搬送するＰＵＣＣＨの電力割当優先度＞主要素搬送波を含まないＳＲを搬送するＰＵＣＣＨの電力割当優先度≧主要素搬送波を含むＡＣＫ／ＮＡＣＫを搬送するＰＵＣＣＨの電力割当優先度＞主要素搬送波を含まないＡＣＫ／ＮＡＣＫを搬送するＰＵＣＣＨの電力割当優先度＞主要素搬送波を含むＡＣＫ／ＮＡＣＫを搬送するＰＵＳＣＨの電力割当優先度＞主要素搬送波を含まないＡＣＫ／ＮＡＣＫを搬送するＰＵＳＣＨの電力割当優先度＞主要素搬送波を含むＣＳＩを搬送するＰＵＣＣＨの電力割当優先度＞主要素搬送波を含まないＣＳＩを搬送するＰＵＣＣＨの電力割当優先度＞主要素搬送波を含むＣＳＩを搬送するＰＵＳＣＨの電力割当優先度＞主要素搬送波を含まないＣＳＩを搬送するＰＵＳＣＨの送信電力＞ＵＣＩを搬送しないＰＵＳＣＨの電力割当優先度である。
【０２０２】
ここで、主要素搬送波を含まないＳＲを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＣＣＨが複数あると、複数の上記ＰＵＣＣＨに同一の電力割当優先度を有し、主要素搬送波を含まないＣＳＩを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＳＣＨが複数あると、複数の上記ＰＵＳＣＨに同一の電力割当優先度を有し、主要素搬送波を含まないＣＳＩを搬送するＰＵＳＣＨが複数あると、複数の上記ＰＵＳＣＨに同一の電力割当優先度を有する。
【０２０３】
優先度スキームＧの上記第２種類の表現形式に基づいて、電力割当優先度の低い順にＰＵＣＣＨ及び／又はＰＵＳＣＨに対し逐次電力低下をプロセスとは、以下を含む（実際の状況に応じて、以下プロセスの一部のステップが省略されてもよい）。
【０２０４】
まずＵＣＩを搬送しないＰＵＳＣＨの送信電力を低下させ、残りのチャネルの送信電力を一定に保持する。ここで、上記ＵＣＩを搬送しないＰＵＳＣＨが複数存在すると、これらのＰＵＳＣＨに対し等比例的に電力低下を行う。
【０２０５】
ＵＣＩを搬送しないＰＵＳＣＨの送信電力が０に低下しても、上記端末の総送信電力が相変わらず端末の許容最大送信電力を超える場合、更に主要素搬送波を含まないＣＳＩを搬送するＰＵＳＣＨの送信電力を低下させ、残りのチャネルの送信電力を一定に保持する。ここで、主要素搬送波を含まないＣＳＩを搬送するＰＵＳＣＨが複数存在すると、これらのＰＵＳＣＨに対し等比例的に電力低下を行う。
【０２０６】
主要素搬送波を含まないＣＳＩを搬送するＰＵＳＣＨの送信電力が０に低下しても、上記端末の総送信電力が相変わらず端末の許容最大送信電力を超える場合、更に主要素搬送波を含むＣＳＩを搬送するＰＵＳＣＨの送信電力を低下させ、残りのチャネルの送信電力を一定に保持する。ここで、主要素搬送波を含むＣＳＩを搬送するＰＵＳＣＨが複数存在すると、これらのＰＵＳＣＨに対し等比例的に電力低下を行う。
【０２０７】
主要素搬送波を含むＣＳＩを搬送するＰＵＳＣＨの送信電力が０に低下しても、上記端末の総送信電力が相変わらず端末の許容最大送信電力を超える場合、更に主要素搬送波を含まないＣＳＩを搬送するＰＵＣＣＨの送信電力を低下させ、残りのチャネルの送信電力を一定に保持する。ここで、主要素搬送波を含まないＣＳＩを搬送するＰＵＣＣＨが複数存在すると、これらのＰＵＣＣＨに対し等比例的に電力低下を行う。
【０２０８】
主要素搬送波を含まないＣＳＩを搬送するＰＵＣＣＨの送信電力が０に低下しても、上記端末の総送信電力が相変わらず端末の許容最大送信電力を超える場合、更に主要素搬送波を含むＣＳＩを搬送するＰＵＣＣＨの送信電力を低下させ、残りのチャネルの送信電力を一定に保持する。ここで、主要素搬送波を含むＣＳＩを搬送するＰＵＣＣＨが複数存在すると、これらのＰＵＣＣＨに対し等比例的に電力低下を行う。
【０２０９】
主要素搬送波を含むＣＳＩを搬送するＰＵＣＣＨの送信電力が０に低下しても、上記端末の総送信電力が相変わらず端末の許容最大送信電力を超える場合、更に主要素搬送波を含まないＡＣＫ／ＮＡＣＫを搬送するＰＵＳＣＨの送信電力を低下させ、残りのチャネルの送信電力を一定に保持する。ここで、主要素搬送波を含まないＡＣＫ／ＮＡＣＫを搬送するＰＵＳＣＨが複数存在すると、これらのＰＵＳＣＨに対し等比例的に電力低下を行う。
【０２１０】
主要素搬送波を含まないＡＣＫ／ＮＡＣＫを搬送するＰＵＳＣＨの送信電力が０に低下しても、上記端末の総送信電力が相変わらず端末の許容最大送信電力を超える場合、更に主要素搬送波を含むＡＣＫ／ＮＡＣＫを搬送するＰＵＳＣＨの送信電力を低下させ、残りのチャネルの送信電力を一定に保持する。ここで、主要素搬送波を含むＡＣＫ／ＮＡＣＫを搬送するＰＵＳＣＨが複数存在すると、これらのＰＵＳＣＨに対し等比例的に電力低下を行う。
【０２１１】
主要素搬送波を含むＡＣＫ／ＮＡＣＫを搬送するＰＵＳＣＨの送信電力が０に低下しても、上記端末の総送信電力が相変わらず端末の許容最大送信電力を超える場合、更に主要素搬送波を含まないＡＣＫ／ＮＡＣＫを搬送するＰＵＣＣＨの送信電力を低下させ、残りのチャネルの送信電力を一定に保持する。ここで、主要素搬送波を含まないＡＣＫ／ＮＡＣＫを搬送するＰＵＣＣＨが複数存在すると、これらのＰＵＣＣＨに対し等比例的に電力低下を行う。
【０２１２】
主要素搬送波を含まないＡＣＫ／ＮＡＣＫを搬送するＰＵＣＣＨの送信電力が０に低下しても、上記端末の総送信電力が相変わらず端末の許容最大送信電力を超える場合、更に主要素搬送波を含むＡＣＫ／ＮＡＣＫを搬送するＰＵＣＣＨの送信電力を低下させ、残りのチャネルの送信電力を一定に保持する。ここで、主要素搬送波を含むＡＣＫ／ＮＡＣＫを搬送するＰＵＣＣＨが複数存在すると、これらのＰＵＣＣＨに対し等比例的に電力低下を行う。
【０２１３】
主要素搬送波を含むＡＣＫ／ＮＡＣＫを搬送するＰＵＣＣＨの送信電力が０に低下しても、上記端末の総送信電力が相変わらず端末の許容最大送信電力を超える場合、更に主要素搬送波を含まないＳＲを搬送するＰＵＣＣＨの送信電力を低下させ、残りのチャネルの送信電力を一定に保持する。ここで、主要素搬送波を含まないＳＲを搬送するＰＵＣＣＨが複数存在すると、これらのＰＵＣＣＨに対し等比例的に電力低下を行う。
【０２１４】
主要素搬送波を含まないＳＲを搬送するＰＵＣＣＨの送信電力が０に低下しても、上記端末の総送信電力が相変わらず端末の許容最大送信電力を超える場合、更に主要素搬送波を含むＳＲを搬送するＰＵＣＣＨの送信電力を低下させ、残りのチャネルの送信電力を一定に保持する。ここで、主要素搬送波を含むＳＲを搬送するＰＵＣＣＨが複数存在すると、これらのＰＵＣＣＨに対し等比例的に電力低下を行う。
【０２１５】
上記優先度スキームＨは、ＵＣＩを搬送するＰＵＣＣＨの電力割当優先度＞ＵＣＩを搬送するＰＵＳＣＨの電力割当優先度、且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、且つ、少なくとも同一種類のＵＣＩタイプを含むＵＣＩを搬送するＰＵＣＣＨに対し（以下２種類のうちの１つを含む）、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、且つ、少なくとも同一種類のＵＣＩタイプを含むＵＣＩを搬送するＰＵＳＣＨに対し（以下２種類のうちの１つを含む）、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義することを含む。
【０２１６】
上記優先度スキームＨにおいて、更に、主要素搬送波を含まない搬送波群のＵＣＩを搬送するＰＵＣＣＨが複数存在し且つ複数の上記ＰＵＣＣＨに少なくとも同一種類のＵＣＩタイプのＵＣＩを含む場合、複数の上記ＰＵＣＣＨに同一の電力割当優先度を有し、主要素搬送波を含まない搬送波群のＵＣＩを搬送するＰＵＳＣＨが複数存在し且つ複数の上記ＰＵＳＣＨに少なくとも同一種類のＵＣＩタイプのＵＣＩを含む場合、複数の上記ＰＵＳＣＨに同一の電力割当優先度を有し、又は、主要素搬送波を含まないＵＣＩを搬送するＰＵＣＣＨが複数存在し且つ複数の上記ＰＵＣＣＨに少なくとも同一種類のＵＣＩタイプのＵＣＩを含む場合、複数の上記ＰＵＣＣＨに同一の電力割当優先度を有し、主要素搬送波を含まないＵＣＩを搬送するＰＵＳＣＨが複数存在し且つ複数の上記ＰＵＳＣＨに少なくとも同一種類のＵＣＩタイプのＵＣＩを含む場合、複数の上記ＰＵＳＣＨに同一の電力割当優先度を有すると規定できることが好ましい。
【０２１７】
例えば、優先度スキームＨの第１種類の表現は、主要素搬送波を含む搬送波群のＳＲを搬送するＰＵＣＣＨの電力割当優先度＞主要素搬送波を含まない搬送波群のＳＲを搬送するＰＵＣＣＨの電力割当優先度＞主要素搬送波を含む搬送波群のＡＣＫ／ＮＡＣＫを搬送するＰＵＣＣＨの電力割当優先度＞主要素搬送波を含まない搬送波群のＡＣＫ／ＮＡＣＫを搬送するＰＵＣＣＨの電力割当優先度＞主要素搬送波を含む搬送波群のＣＳＩを搬送するＰＵＣＣＨの電力割当優先度＞主要素搬送波を含まない搬送波群のＣＳＩを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含まない搬送波群のＡＣＫ／ＮＡＣＫを搬送するＰＵＳＣＨの電力割当優先度＞主要素搬送波を含む搬送波群のＣＳＩを搬送するＰＵＳＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。ここで、主要素搬送波を含まないＳＲを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＣＣＨが複数あると、複数の上記ＰＵＣＣＨに同一の電力割当優先度を有し、主要素搬送波を含まないＣＳＩを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＳＣＨが複数あると、複数の上記ＰＵＳＣＨに同一の電力割当優先度を有し、主要素搬送波を含まないＣＳＩを搬送するＰＵＳＣＨが複数あると、複数の上記ＰＵＳＣＨに同一の電力割当優先度を有する。
【０２１８】
例えば、優先度スキームＨの第２種類の表現は、主要素搬送波を含むＳＲを搬送するＰＵＣＣＨの電力割当優先度＞主要素搬送波を含まないＳＲを搬送するＰＵＣＣＨの電力割当優先度＞主要素搬送波を含むＡＣＫ／ＮＡＣＫを搬送するＰＵＣＣＨの電力割当優先度＞主要素搬送波を含まないＡＣＫ／ＮＡＣＫを搬送するＰＵＣＣＨの電力割当優先度＞主要素搬送波を含むＣＳＩを搬送するＰＵＣＣＨの電力割当優先度＞主要素搬送波を含まないＣＳＩを搬送するＰＵＣＣＨの電力割当優先度＞主要素搬送波を含むＡＣＫ／ＮＡＣＫを搬送するＰＵＳＣＨの電力割当優先度＞主要素搬送波を含まないＡＣＫ／ＮＡＣＫを搬送するＰＵＳＣＨの電力割当優先度＞主要素搬送波を含むＣＳＩを搬送するＰＵＳＣＨの電力割当優先度＞主要素搬送波を含まないＣＳＩを搬送するＰＵＳＣＨの電力割当優先度＞ＵＣＩを搬送しないＰＵＳＣＨの電力割当優先度である。ここで、主要素搬送波を含まないＳＲを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＣＣＨが複数あると、複数の上記ＰＵＣＣＨに同一の電力割当優先度を有し、主要素搬送波を含まないＣＳＩを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＳＣＨが複数あると、複数の上記ＰＵＳＣＨに同一の電力割当優先度を有し、主要素搬送波を含まないＣＳＩを搬送するＰＵＳＣＨが複数あると、複数の上記ＰＵＳＣＨに同一の電力割当優先度を有する。
【０２１９】
優先度スキームＨの上記表現形式に基づいて、電力割当優先度の低い順にＰＵＣＣＨ及び／又はＰＵＳＣＨに対し逐次電力低下を行うプロセスは、上記優先度スキームの対応プロセスに類似し、単に優先度定義の順番が変わるだけであるため、ここでは繰り返して説明しない。
【０２２０】
上記優先度スキームＩは、まずチャネルの優先度で並べ替え、それから搬送波の優先度で並べ替え、最後にＵＣＩタイプの優先度で並べ替えるように確定されることが好ましい。当該方式で確定した優先度スキームＩは、以下の２種類の優先度定義を含む。
【０２２１】
第１の表現形式：
ＵＣＩを搬送するＰＵＣＣＨの電力割当優先度＞ＵＣＩを搬送するＰＵＳＣＨの電力割当優先度、且つ、
ＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度と定義し、且つ、
ＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度と定義し、且つ、
主要素搬送波を含む搬送波群のＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、且つ、
主要素搬送波を含まない搬送波群のＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、且つ、
主要素搬送波を含む搬送波群のＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義し、且つ、
主要素搬送波を含まない搬送波群のＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義する。
【０２２２】
第２の表現形式：
ＵＣＩを搬送するＰＵＣＣＨの電力割当優先度＞ＵＣＩを搬送するＰＵＳＣＨの電力割当優先度、且つ、
ＵＣＩを搬送するＰＵＣＣＨに対し、主要素搬送波を含むＵＣＩを搬送するＰＵＣＣＨの電力割当優先度＞主要素搬送波を含まないＵＣＩを搬送するＰＵＣＣＨの電力割当優先度と定義し、且つ、
ＵＣＩを搬送するＰＵＳＣＨに対し、主要素搬送波を含むＵＣＩを搬送するＰＵＳＣＨの電力割当優先度＞主要素搬送波を含まないＵＣＩを搬送するＰＵＳＣＨの電力割当優先度と定義し、且つ、
主要素搬送波を含む搬送波群のＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、且つ、
主要素搬送波を含まない搬送波群のＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、且つ、
主要素搬送波を含む搬送波群のＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義し、且つ、
主要素搬送波を含まない搬送波群のＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義する。
【０２２３】
例えば、優先度スキームＩの第１の表現は、主要素搬送波を含む搬送波群のＳＲを搬送するＰＵＣＣＨの電力割当優先度＞主要素搬送波を含む搬送波群のＡＣＫ／ＮＡＣＫを搬送するＰＵＣＣＨの電力割当優先度＞主要素搬送波を含む搬送波群のＣＳＩを搬送するＰＵＣＣＨの電力割当優先度＞主要素搬送波を含まない搬送波群のＳＲを搬送するＰＵＣＣＨの電力割当優先度＞主要素搬送波を含まない搬送波群のＡＣＫ／ＮＡＣＫを搬送するＰＵＣＣＨの電力割当優先度＞主要素搬送波を含まない搬送波群のＣＳＩを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含む搬送波群のＣＳＩを搬送するＰＵＳＣＨの電力割当優先度＞主要素搬送波を含まない搬送波群のＡＣＫ／ＮＡＣＫを搬送するＰＵＳＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。ここで、主要素搬送波を含まないＳＲを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＣＣＨが複数あると、複数の上記ＰＵＣＣＨに同一の電力割当優先度を有し、主要素搬送波を含まないＣＳＩを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＳＣＨが複数あると、複数の上記ＰＵＳＣＨに同一の電力割当優先度を有し、主要素搬送波を含まないＣＳＩを搬送するＰＵＳＣＨが複数あると、複数の上記ＰＵＳＣＨに同一の電力割当優先度を有する。
【０２２４】
例えば、優先度スキームＩの第２の表現は、主要素搬送波を含むＳＲを搬送するＰＵＣＣＨの電力割当優先度＞主要素搬送波を含むＡＣＫ／ＮＡＣＫを搬送するＰＵＣＣＨの電力割当優先度＞主要素搬送波を含むＣＳＩを搬送するＰＵＣＣＨの電力割当優先度＞主要素搬送波を含まないＳＲを搬送するＰＵＣＣＨの電力割当優先度＞主要素搬送波を含まないＡＣＫ／ＮＡＣＫを搬送するＰＵＣＣＨの電力割当優先度＞主要素搬送波を含まないＣＳＩを搬送するＰＵＣＣＨの電力割当優先度＞主要素搬送波を含むＡＣＫ／ＮＡＣＫを搬送するＰＵＳＣＨの電力割当優先度＞主要素搬送波を含むＣＳＩを搬送するＰＵＳＣＨの電力割当優先度＞主要素搬送波を含まないＡＣＫ／ＮＡＣＫを搬送するＰＵＳＣＨの電力割当優先度＞主要素搬送波を含まないＣＳＩを搬送するＰＵＳＣＨの電力割当優先度＞ＵＣＩを搬送しないＰＵＳＣＨの電力割当優先度である。ここで、主要素搬送波を含まないＳＲを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＣＣＨが複数あると、複数の上記ＰＵＣＣＨに同一の電力割当優先度を有し、主要素搬送波を含まないＣＳＩを搬送するＰＵＳＣＨが複数あると、複数の上記ＰＵＣＣＨに同一の電力割当優先度を有し、主要素搬送波を含まないＡＣＫ／ＮＡＣＫを搬送するＰＵＳＣＨが複数あると、複数の上記ＰＵＳＣＨに同一の電力割当優先度を有し、主要素搬送波を含まないＣＳＩを搬送するＰＵＳＣＨが複数あると、複数の上記ＰＵＳＣＨに同一の電力割当優先度を有する。
【０２２５】
優先度スキームＩの上記表現形式に基づいて、電力割当優先度の低い順にＰＵＣＣＨ及び／又はＰＵＳＣＨに対し逐次電力低下を行うプロセスは、上記優先度スキームの対応プロセスに類似し、単に優先度定義の順番が変わるだけであるため、ここでは繰り返して説明しない。
【０２２６】
上記優先度スキームＪは、まず搬送波の優先度で並べ替え、それからチャネルの優先度で並べ替え、最後にＵＣＩタイプの優先度で並べ替えるように確定されることが好ましい。
当該方式で確定した優先度スキームＪは、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、主要素搬送波を含む搬送波群のＵＣＩを搬送するＰＵＣＣＨとＰＵＳＣＨ又は主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義し、且つ、主要素搬送波を含まない搬送波群のＵＣＩを搬送するＰＵＣＣＨとＰＵＳＣＨ又は主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義することを含む。
【０２２７】
例えば、優先度スキームＪの第１の表現は、主要素搬送波を含む搬送波群のＳＲを搬送するＰＵＣＣＨの電力割当優先度≧主要素搬送波を含む搬送波群のＡＣＫ／ＮＡＣＫを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含む搬送波群のＣＳＩを搬送するＰＵＣＣＨの電力割当優先度＞主要素搬送波を含む搬送波群のＣＳＩを搬送するＰＵＳＣＨの電力割当優先度＞主要素搬送波を含まない搬送波群のＳＲを搬送するＰＵＣＣＨの電力割当優先度≧主要素搬送波を含まない搬送波群のＡＣＫ／ＮＡＣＫを搬送するＰＵＣＣＨの電力割当優先度＞主要素搬送波を含まない搬送波群のＡＣＫ／ＮＡＣＫを搬送するＰＵＳＣＨの電力割当優先度＞主要素搬送波を含まない搬送波群のＣＳＩを搬送するＰＵＣＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。ここで、主要素搬送波を含まないＳＲを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＣＣＨが複数あると、複数の上記ＰＵＣＣＨに同一の電力割当優先度を有し、主要素搬送波を含まないＣＳＩを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＳＣＨが複数あると、複数の上記ＰＵＳＣＨに同一の電力割当優先度を有し、主要素搬送波を含まないＣＳＩを搬送するＰＵＳＣＨが複数あると、複数の上記ＰＵＳＣＨに同一の電力割当優先度を有する。
【０２２８】
例えば、優先度スキームＪの第２の表現は、主要素搬送波を含むＳＲを搬送するＰＵＣＣＨの電力割当優先度≧主要素搬送波を含むＡＣＫ／ＮＡＣＫを搬送するＰＵＣＣＨの電力割当優先度＞主要素搬送波を含むＡＣＫ／ＮＡＣＫを搬送するＰＵＳＣＨの電力割当優先度＞主要素搬送波を含むＣＳＩを搬送するＰＵＣＣＨの電力割当優先度＞主要素搬送波を含むＣＳＩを搬送するＰＵＳＣＨの電力割当優先度＞主要素搬送波を含まないＳＲを搬送するＰＵＣＣＨの電力割当優先度≧主要素搬送波を含まないＡＣＫ／ＮＡＣＫを搬送するＰＵＣＣＨの電力割当優先度＞主要素搬送波を含まないＡＣＫ／ＮＡＣＫを搬送するＰＵＳＣＨの電力割当優先度＞主要素搬送波を含まないＣＳＩを搬送するＰＵＣＣＨの電力割当優先度＞主要素搬送波を含まないＣＳＩを搬送するＰＵＳＣＨの電力割当優先度＞ＵＣＩを搬送しないＰＵＳＣＨの電力割当優先度である。ここで、主要素搬送波を含まないＳＲを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＣＣＨが複数あると、複数の上記ＰＵＣＣＨに同一の電力割当優先度を有し、主要素搬送波を含まないＣＳＩを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＳＣＨが複数あると、複数の上記ＰＵＳＣＨに同一の電力割当優先度を有し、主要素搬送波を含まないＣＳＩを搬送するＰＵＳＣＨが複数あると、複数の上記ＰＵＳＣＨに同一の電力割当優先度を有する。
【０２２９】
優先度スキームＪの上記表現形式に基づいて、電力割当優先度の低い順にＰＵＣＣＨ及び／又はＰＵＳＣＨに対し逐次電力低下を行うプロセスは、上記優先度スキームの対応プロセスに類似し、単に優先度定義の順番が変わるだけであるため、ここでは繰り返して説明しない。
【０２３０】
上記優先度スキームＫは、まず搬送波の優先度で並べ替え、それからＵＣＩタイプの優先度で並べ替え、最後にチャネルの優先度で並べ替えるように確定されることが好ましい。
当該方式で確定した優先度スキームＫは、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、（主要素搬送波を含む搬送波群のＵＣＩを搬送するＰＵＣＣＨとＰＵＳＣＨ、及び主要素搬送波を含まない搬送波群のＵＣＩを搬送するＰＵＣＣＨとＰＵＳＣＨに対し下記のように定義し、又は主要素搬送波を含むＵＣＩを搬送するＰＵＣＣＨとＰＵＳＣＨ、及び主要素搬送波を含まないＵＣＩを搬送するＰＵＣＣＨとＰＵＳＣＨに対し下記のように定義することが好ましい）ＵＣＩを搬送するＰＵＣＣＨの電力割当優先度＞ＵＣＩを搬送するＰＵＳＣＨの電力割当優先度、且つ、（主要素搬送波を含む搬送波群のＵＣＩを搬送するＰＵＣＣＨとＰＵＳＣＨ、及び主要素搬送波を含まない搬送波群のＵＣＩを搬送するＰＵＣＣＨとＰＵＳＣＨに対し下記のように定義し、又は主要素搬送波を含むＵＣＩを搬送するＰＵＣＣＨとＰＵＳＣＨ、及び主要素搬送波を含まないＵＣＩを搬送するＰＵＣＣＨとＰＵＳＣＨに対し下記のように定義することが好ましい）ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、（主要素搬送波を含む搬送波群のＵＣＩを搬送するＰＵＣＣＨとＰＵＳＣＨ、及び主要素搬送波を含まない搬送波群のＵＣＩを搬送するＰＵＣＣＨとＰＵＳＣＨに対し下記のように定義し、又は主要素搬送波を含むＵＣＩを搬送するＰＵＣＣＨとＰＵＳＣＨ、及び主要素搬送波を含まないＵＣＩを搬送するＰＵＣＣＨとＰＵＳＣＨに対し下記のように定義することが好ましい）ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義することを含む。
【０２３１】
例えば、優先度スキームＫの第１の表現は、主要素搬送波を含む搬送波群のＳＲを搬送するＰＵＣＣＨの電力割当優先度≧主要素搬送波を含む搬送波群のＡＣＫ／ＮＡＣＫを搬送するＰＵＣＣＨの電力割当優先度＞主要素搬送波を含む搬送波群のＣＳＩを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含む搬送波群のＣＳＩを搬送するＰＵＳＣＨの電力割当優先度＞主要素搬送波を含まない搬送波群のＳＲを搬送するＰＵＣＣＨの電力割当優先度≧主要素搬送波を含まない搬送波群のＡＣＫ／ＮＡＣＫを搬送するＰＵＣＣＨの電力割当優先度＞主要素搬送波を含まない搬送波群のＣＳＩを搬送するＰＵＣＣＨの電力割当優先度＞主要素搬送波を含まない搬送波群のＡＣＫ／ＮＡＣＫを搬送するＰＵＳＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。ここで、主要素搬送波を含まないＳＲを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＣＣＨが複数あると、複数の上記ＰＵＣＣＨに同一の電力割当優先度を有し、主要素搬送波を含まないＣＳＩを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＳＣＨが複数あると、複数の上記ＰＵＳＣＨに同一の電力割当優先度を有し、主要素搬送波を含まないＣＳＩを搬送するＰＵＳＣＨが複数あると、複数の上記ＰＵＳＣＨに同一の電力割当優先度を有する。
【０２３２】
例えば、優先度スキームＫの第２の表現は、主要素搬送波を含むＳＲを搬送するＰＵＣＣＨの電力割当優先度≧主要素搬送波を含むＡＣＫ／ＮＡＣＫを搬送するＰＵＣＣＨの電力割当優先度＞主要素搬送波を含むＣＳＩを搬送するＰＵＣＣＨの電力割当優先度＞主要素搬送波を含むＡＣＫ／ＮＡＣＫを搬送するＰＵＳＣＨの電力割当優先度＞主要素搬送波を含むＣＳＩを搬送するＰＵＳＣＨの電力割当優先度＞主要素搬送波を含まないＳＲを搬送するＰＵＣＣＨの電力割当優先度≧主要素搬送波を含まないＡＣＫ／ＮＡＣＫを搬送するＰＵＣＣＨの電力割当優先度＞主要素搬送波を含まないＣＳＩを搬送するＰＵＣＣＨの電力割当優先度＞主要素搬送波を含まないＡＣＫ／ＮＡＣＫを搬送するＰＵＳＣＨの電力割当優先度＞主要素搬送波を含まないＣＳＩを搬送するＰＵＳＣＨの電力割当優先度＞ＵＣＩを搬送しないＰＵＳＣＨの電力割当優先度である。ここで、主要素搬送波を含まないＳＲを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＣＣＨが複数あると、複数の上記ＰＵＣＣＨに同一の電力割当優先度を有し、主要素搬送波を含まないＣＳＩを搬送するＰＵＣＣＨが複数あると、複数の上記ＰＵＣＣＨに同一の電力割当優先度を有し、主要素搬送波を含まないＡＣＫ／ＮＡＣＫを搬送するＰＵＳＣＨが複数あると、複数の上記ＰＵＳＣＨに同一の電力割当優先度を有し、主要素搬送波を含まないＣＳＩを搬送するＰＵＳＣＨが複数あると、複数の上記ＰＵＳＣＨに同一の電力割当優先度を有する。
【０２３３】
上述した電力低下プロセスにおいて、ＰＲＡＣＨが存在すると、ＰＲＡＣＨの電力割当優先度が最も高いと確定する。ＰＲＡＣＨの電力割当優先度を以上定義した電力割当優先度と組み合わせた後に、当該電力割当優先度に基づいて上りチャネルに対し電力低下を行う。ＰＲＡＣＨが複数存在すると、複数のＰＲＡＣＨの電力割当優先度が同じである。
【０２３４】
優先度スキームＫの上記表現形式に基づいて、電力割当優先度の低い順にＰＵＣＣＨ及び／又はＰＵＳＣＨに対し逐次電力低下を行うプロセスは、上記優先度スキームの対応プロセスに類似し、単に優先度定義の順番が変わるだけであるため、ここでは繰り返して説明しない。
【０２３５】
上記各実施例において、電力低下を行うべき上りチャネルに同一の電力割当優先度を有する複数上りチャネルが存在する場合、上記複数上りチャネルに対し等比例的に電力低下を行うことが好ましい。ここで、上記上りチャネルは、ＰＵＣＣＨ、ＰＵＳＣＨ、ＰＲＡＣＨのうちの１つ又は複数の種類を含む。
【０２３６】
上記各実施例において、ＣＳＩに周期的ＣＳＩと非周期的ＣＳＩを含む場合、非周期的ＣＳＩを搬送するＰＵＳＣＨが存在すると、非周期的ＣＳＩを搬送するＰＵＳＣＨの電力割当優先度が周期的ＣＳＩを搬送するＰＵＣＣＨの電力割当優先度に等しく、又はそれより大きく、又はそれより小さいことが好ましい。更に、非周期的ＣＳＩの報告を保証するために、非周期的ＣＳＩを搬送するＰＵＳＣＨの電力割当優先度が周期的ＣＳＩを搬送するＰＵＣＣＨの電力割当優先度より大きいと約束することができる。
【０２３７】
更に、上記各実施例において、多種類ＵＣＩタイプのＵＣＩが同時に１つの上りチャネル（ＰＵＣＣＨ又はＰＵＳＣＨ）で搬送される場合（１つの上りチャネルでＳＲとＡＣＫ／ＮＡＣＫ、又はＡＣＫ／ＮＡＣＫとＣＳＩ、又はＳＲ、ＡＣＫ／ＮＡＣＫ及びＣＳＩが同時に存在する）、上記多種類ＵＣＩタイプに対応する最高優先度に基づいて、搬送された上りチャネルの電力割当優先度を確定することが好ましい。即ち、ＵＣＩに１つ以上のＵＣＩタイプを含む場合、最高の優先度を有するＵＣＩタイプに基づいて電力割当優先度を確定する。即ち、当該上りチャネルが複数のＵＣＩタイプのうち最高優先度を有するＵＣＩタイプを搬送する上りチャネルであることに基づいて、上述した優先度定義に基づいて電力割当優先度を確定する。又は、当該上りチャネルがそのうちの一種のＵＣＩタイプを搬送する上りチャネルであることに基づいて、上述した優先度定義に基づいて電力割当優先度を確定し、異なるＵＣＩタイプに取得される電力割当優先度のうちの最高優先度を当該上りチャネルの電力割当優先度とする。
【０２３８】
例えば、ＵＣＩにＡＣＫ／ＮＡＣＫとＣＳＩが同時に存在する場合、ＡＣＫ／ＮＡＣＫの優先度がＣＳＩの優先度より高くなると、ＡＣＫ／ＮＡＣＫの優先度を、当該ＵＣＩを搬送する上りチャネルの電力割当優先度とする。即ち、当該上りチャネルがＡＣＫ／ＮＡＣＫを搬送する上りチャネルであることに基づいて、上述した優先度定義に基づいて当該上りチャネルの電力割当優先度を確定する。
【０２３９】
また、ＵＣＩにＡＣＫ／ＮＡＣＫとＳＲが同時に存在する場合、ＳＲの優先度がＡＣＫ／ＮＡＣＫの優先度より高くなると、ＳＲの優先度を、当該ＵＣＩを搬送する上りチャネルの電力割当優先度とする。即ち、当該上りチャネルがＳＲを搬送する上りチャネルであることに基づいて、上述した優先度定義に基づいて当該上りチャネルの電力割当優先度を確定する。
【０２４０】
更に、ＵＣＩにＡＣＫ／ＮＡＣＫ、ＳＲ及びＣＳＩが同時に存在する場合、ＳＲの優先度がＡＣＫ／ＮＡＣＫの優先度より高く、ＡＣＫ／ＮＡＣＫの優先度がＣＳＩの優先度より高くなると、ＳＲの優先度を、当該ＵＣＩを搬送する上りチャネルの電力割当優先度とする。即ち、当該上りチャネルがＳＲを搬送する上りチャネルであることに基づいて、上述した優先度定義に基づいて当該上りチャネルの電力割当優先度を確定する。
【０２４１】
上述した主要素搬送波を含む搬送波群、即ちＭＣＧ（Ｍａｓｔｅｒ  Ｃｅｌｌ  Ｇｒｏｕｐ）は、通常、１つのＵＥに１つしかなく、ＭＣＧに含まれるすべての搬送波が、ＭＣＧにサービシングするＭｅＮＢ（Ｍａｓｔｅｒ  ｅＮＢ）によりスケジューリングされる。上述した主要素搬送波を含まない搬送波群、即ちＳＣＧ（Ｓｅｃｏｎｄａｒｙ  Ｃｅｌｌ  Ｇｒｏｕｐ）は、通常、１つのＵＥに１つを有してもよく、複数を有してもよい。ＳＣＧに含まれるすべての搬送波は、当該ＳＣＧにサービシングするＳｅＮＢ（Ｓｅｃｏｎｄａｒｙ  ｅＮＢ）によりスケジューリングされる。
【０２４２】
上述した実施例のうち、搬送波優先度を使用した実施例について、更にＵＣＩを搬送しないＰＵＳＣＨに対し、主要素搬送波を含む搬送波群で伝送するＵＣＩ未搬送ＰＵＳＣＨの電力割当優先度＞主要素搬送波を含まない搬送波群で伝送するＵＣＩ未搬送ＰＵＳＣＨの電力割当優先度と定義することが好ましい。すると、上述の優先度スキームＢ、Ｃ、Ｆ、Ｇ、Ｈ、Ｉ、Ｊ、Ｋにおいて、ＵＣＩ未搬送ＰＵＳＣＨは、主要素搬送波を含む搬送波群で伝送するＵＣＩ未搬送ＰＵＳＣＨの電力割当優先度＞主要素搬送波を含まない搬送波群で伝送するＵＣＩ未搬送ＰＵＳＣＨの電力割当優先度に差し替えることができる。よって、上述定義に基づく優先度スキームＢ、Ｃ、Ｆ、Ｇ、Ｈ、Ｉ、Ｊ、Ｋは、新規の優先度定義となり、具体的な優先度の内容は繰り返して説明しない。
【０２４３】
同じ技術思想に基づき、本願実施例は、端末を提供する。
【０２４４】
図２は、本願実施例による端末の構造模式図である。図示のように、当該端末は、確定ユニット２１０と、判断ユニット２２０と、電力制御ユニット２３０とを含む。
確定ユニット２１０は、各搬送波群での上りチャネルの目標送信電力を確定する。ここで、上記端末に少なくとも２つの搬送波群が配置され、各搬送波群の上り制御情報ＵＣＩは、ＵＣＩが位置する搬送波群に対応する少なくとも１つの上り搬送波の物理上り制御チャネルＰＵＣＣＨ及び／又は物理上りシェアドチャネルＰＵＳＣＨでフィードバックされる。
判断ユニット２２０は、同時に伝送する上りチャネルの目標送信電力の和が端末の許容最大送信電力を超えたかを判断する。
電力制御ユニット２３０は、判断ユニット２２０により超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行う。
【０２４５】
電力制御ユニット２３０は、搬送されたＵＣＩのＵＣＩタイプの優先度に基づいて電力低下を行い、又は、搬送されたＵＣＩのＵＣＩタイプの優先度及び搬送波の優先度に基づいて電力低下を行い、又は、搬送されたＵＣＩのＵＣＩタイプの優先度及びチャネルの優先度に基づいて電力低下を行い、又は、搬送されたＵＣＩのＵＣＩタイプの優先度、搬送波の優先度、チャネルの優先度に基づいて電力低下を行うことが好ましい。
【０２４６】
上記ＵＣＩタイプの優先度は、スケジューリング要求ＳＲの優先度≧肯定応答／否定応答ＡＣＫ／ＮＡＣＫの優先度＞チャネル状態情報ＣＳＩの優先度であることが好ましい。
【０２４７】
上記搬送波の優先度は、主要素搬送波の優先度＞他要素搬送波の優先度、及び／又は、主要素搬送波を含む搬送波群での搬送波の優先度＞主要素搬送波を含まない搬送波群での搬送波の優先度を含むことが好ましい。
【０２４８】
上記チャネルの優先度は、ＰＵＣＣＨの優先度＞ＰＵＳＣＨの優先度、及び／又は、ＰＵＣＣＨの優先度＞ＵＣＩを搬送するＰＵＳＣＨの優先度＞ＵＣＩを搬送しないＰＵＳＣＨの優先度、及び／又は、現在サブフレームで物理ランダムアクセスチャネルＰＲＡＣＨを含むと、ＰＲＡＣＨの優先度≧ＰＵＣＣＨの優先度＞ＰＵＳＣＨの優先度、及び／又は、現在サブフレームでＰＲＡＣＨを含むと、ＰＲＡＣＨの優先度≧ＰＵＣＣＨの優先度＞ＵＣＩを搬送するＰＵＳＣＨの優先度＞ＵＣＩを搬送しないＰＵＳＣＨの優先度を含むことが好ましい。
【０２４９】
電力制御ユニット２３０は、以下の方式を採用して、搬送されたＵＣＩのＵＣＩタイプの優先度に基づく電力低下を実現する。
搬送されたＵＣＩのＵＣＩタイプの優先度に基づいて電力割当優先度を確定し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度という優先度スキームＡを確定する。
上記優先度スキームＡに基づいて、電力割当優先度の低い順に上記ＰＵＣＣＨ及び／又はＰＵＳＣＨに対し逐次電力低下を行うことが好ましい。
【０２５０】
ここで、上記優先度スキームＡは、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有し、少なくとも同一種類のＵＣＩタイプを含むＵＣＩを搬送する複数のＰＵＣＣＨとＰＵＳＣＨに同一の電力割当優先度を有することを更に含む。
【０２５１】
電力制御ユニット２３０は、以下の方式を採用して、搬送されたＵＣＩのＵＣＩタイプの優先度及び搬送波の優先度に基づく電力低下を実現する。
搬送されたＵＣＩのＵＣＩタイプの優先度及び搬送波の優先度に基づいて、優先度スキームＢ又は優先度スキームＣを含む電力割当優先度を確定する。
上記優先度スキームＢ又は優先度スキームＣに基づいて、電力割当優先度の低い順に上記ＰＵＣＣＨ及び／又はＰＵＳＣＨに対し逐次電力低下を行う。
【０２５２】
ここで、上記優先度スキームＢ及びその好ましいスキーム、及び、上記優先度スキームＣ及びその好ましいスキームは、以上の記載を参考し、ここでは繰り返して説明しない。
【０２５３】
電力制御ユニット２３０は、以下の方式を採用して、搬送されたＵＣＩのＵＣＩタイプの優先度及びチャネルの優先度に基づく電力低下を実現する。
搬送されたＵＣＩのＵＣＩタイプの優先度及びチャネルの優先度に基づいて、優先度スキームＤ又は優先度スキームＥを含む電力割当優先度を確定する。
優先度スキームＤ又は優先度スキームＥに基づいて、電力割当優先度の低い順に上記ＰＵＣＣＨ及び／又はＰＵＳＣＨに対し逐次電力低下を行うことが好ましい。
【０２５４】
ここで、上記優先度スキームＤ及びその好ましいスキーム、及び、上記優先度スキームＥ及びその好ましいスキームは、以上の記載を参考し、ここでは繰り返して説明しない。
【０２５５】
電力制御ユニット２３０は、以下の方式を採用して、搬送されたＵＣＩのＵＣＩタイプの優先度、搬送波の優先度、チャネルの優先度に基づく電力低下を実現する。
搬送されたＵＣＩのＵＣＩタイプの優先度、搬送波の優先度、チャネルの優先度に基づいて、優先度スキームＦ、優先度スキームＧ、優先度スキームＨ、優先度スキームＩ、優先度スキームＪ又は優先度スキームＫを含む電力割当優先度を確定する。
上記優先度スキームＦ、優先度スキームＧ、優先度スキームＨ、優先度スキームＩ、優先度スキームＪ又は優先度スキームＫに基づいて、電力割当優先度の低い順に上記ＰＵＣＣＨ及び／又はＰＵＳＣＨに対し逐次電力低下を行うことが好ましい。
【０２５６】
ここで、、優先度スキームＦ、優先度スキームＧ、優先度スキームＨ、優先度スキームＩ、優先度スキームＪ又は優先度スキームＫ及びそれらの好ましいスキームは、以上の記載を参考し、ここでは繰り返して説明しない。
【０２５７】
電力制御ユニット２３０は、電力低下を行うべき上りチャネルに同一の電力割当優先度を有する複数上りチャネルが存在する場合、上記複数上りチャネルに対し等比例的に電力低下を行うことが好ましい。ここで、上記上りチャネルは、ＰＵＣＣＨ、ＰＵＳＣＨ、ＰＲＡＣＨのうちの１つ又は複数の種類を含む。
【０２５８】
電力制御ユニット２３０は、多種類ＵＣＩタイプのＵＣＩが同時に１つの上りチャネルで搬送される場合、上記多種類ＵＣＩタイプに対応する最高優先度に基づいて、搬送された上りチャネルの電力割当優先度を確定する。
【０２５９】
ＣＳＩは周期的ＣＳＩと非周期的ＣＳＩを含む。ここで、非周期的ＣＳＩの優先度が周期的ＣＳＩより高い。又は、非周期的ＣＳＩを搬送するＰＵＳＣＨが存在する場合、非周期的ＣＳＩを搬送するＰＵＳＣＨの電力割当優先度は、周期的ＣＳＩを搬送するＰＵＣＣＨの電力割当優先度に等しく、又はそれより大きく、又はそれより小さい。
【０２６０】
同じ技術思想に基づき、本願実施例は、別種の端末を提供する。
【０２６１】
図３は、本願実施例による端末の構造模式図である。
図示のように、当該端末は、プロセッサ３００と、プロセッサ３００による制御でデータを送受信するためのトランシーバ３１０を含む。
プロセッサ３００は、メモリ３２０の中のプログラムを読み出して以下のプロセスを実行する。即ち、各搬送波群での上りチャネルの目標送信電力を確定する。ここで、上記端末に少なくとも２つの搬送波群が配置され、各搬送波群の上り制御情報ＵＣＩは、ＵＣＩが位置する搬送波群に対応する少なくとも１つの上り搬送波の物理上り制御チャネルＰＵＣＣＨ及び／又は物理上りシェアドチャネルＰＵＳＣＨでフィードバックされる。同時に伝送する上りチャネルの目標送信電力の和が端末の許容最大送信電力を超えたかを判断する。超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行う。
【０２６２】
図３において、バスアーキテクチャは、任意数の相互接続するバスとブリッジを含み、具体的に、プロセッサ３００をはじめとする１つ又は複数のプロセサとメモリ３２０をはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー３１０は、複数の部品であってもよく、即ち送信機と受信機を含み、伝送媒体でほかの各種類の装置と通信するユニットとして提供される。ユーザ機器によっては、ユーザインタフェース３３０は、内部接続や外部接続する機器のインタフェースであってもよい。接続する機器は、キーパッド、ディスプレイ、スピーカ、マイクロフォン、ジョイスティックなどを含むが、それらに限られない。
【０２６３】
プロセッサ３００は、バスアーキテクチャと通常の処理を管理する。メモリ３２０は、プロセッサ３００による作業時に使用されるデータを記憶できる。
【０２６４】
以上の記載をまとめると、本願実施例は、複数のＰＵＣＣＨ及び／又はＵＣＩを搬送するＰＵＳＣＨの同時伝送がサポートされる場合、ＵＣＩを搬送する上りチャネルに対し送信電力制御を行うことにより、電力制御後のＵＥ総送信電力がＵＥの許容最大送信電力を超えないように保証するとともに、より重要なＵＣＩタイプの伝送性能をなるべく保証するための電力制御方法及び端末を提供する。
【０２６５】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを通用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【０２６６】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０２６７】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０２６８】
本発明の好ましい実施例を記載したが、当業者は、いったん創造性を持つ基本的概念を知ると、これらの実施例について別途に変更や修正をすることができる。従って、添付する請求項は、好ましい実施例、及び、本発明の範囲にカバーされる全ての変更や修正を含むものであると解釈されることを意図とする。
【０２６９】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
2017505061.tif 000003
【図２】
2017505061.tif 000004
【図３】
2017505061.tif 000005
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
上りチャネルの電力制御方法において、
端末に少なくとも２つ配置された搬送波群のうち各搬送波群の上り制御情報ＵＣＩは、ＵＣＩが位置する搬送波群に対応する少なくとも１つの上り搬送波の物理上り制御チャネルＰＵＣＣＨ及び／又は物理上りシェアドチャネルＰＵＳＣＨでフィードバックされ、
上記端末は、
各搬送波群での上りチャネルの目標送信電力を確定し、
同時に伝送する上りチャネルの目標送信電力の和が端末の許容最大送信電力を超えたかを判断し、
超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行うことを含むことを特徴とする上りチャネルの電力制御方法。
【請求項２】
上記の少なくとも搬送されたＵＣＩのＵＣＩタイプの優先度に基づいて電力低下を行うことは、
搬送されたＵＣＩのＵＣＩタイプの優先度に基づいて電力低下を行う；
搬送されたＵＣＩのＵＣＩタイプの優先度及び搬送波の優先度に基づいて電力低下を行う；
搬送されたＵＣＩのＵＣＩタイプの優先度及びチャネルの優先度に基づいて電力低下を行う；
搬送されたＵＣＩのＵＣＩタイプの優先度、搬送波の優先度、チャネルの優先度に基づいて電力低下を行うのいずれか１つを含むことを特徴とする請求項１に記載の方法。
【請求項３】
上記ＵＣＩタイプの優先度は、
スケジューリング要求ＳＲの優先度≧肯定応答／否定応答ＡＣＫ／ＮＡＣＫの優先度＞チャネル状態情報ＣＳＩの優先度であり、
及び／又は、
上記搬送波の優先度は、
主要素搬送波の優先度＞他要素搬送波の優先度、及び／又は、主要素搬送波を含む搬送波群での搬送波の優先度＞主要素搬送波を含まない搬送波群での搬送波の優先度を含み、
及び／又は、
上記チャネルの優先度は、
ＰＵＣＣＨの優先度＞ＰＵＳＣＨの優先度、及び／又は、ＰＵＣＣＨの優先度＞ＵＣＩを搬送するＰＵＳＣＨの優先度＞ＵＣＩを搬送しないＰＵＳＣＨの優先度、及び／又は、現在サブフレームで物理ランダムアクセスチャネルＰＲＡＣＨを含むと、ＰＲＡＣＨの優先度≧ＰＵＣＣＨの優先度＞ＰＵＳＣＨの優先度、及び／又は、現在サブフレームでＰＲＡＣＨを含むと、ＰＲＡＣＨの優先度≧ＰＵＣＣＨの優先度＞ＵＣＩを搬送するＰＵＳＣＨの優先度＞ＵＣＩを搬送しないＰＵＳＣＨの優先度を含むことを特徴とする請求項２に記載の方法。
【請求項４】
上記の搬送されたＵＣＩのＵＣＩタイプの優先度に基づいて電力低下を行うことは、
搬送されたＵＣＩのＵＣＩタイプの優先度に基づいて電力割当優先度を確定し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度という優先度スキームＡを確定し、
上記優先度スキームＡに基づいて、電力割当優先度の低い順に上記ＰＵＣＣＨ及び／又はＰＵＳＣＨに対し逐次電力低下を行うことを含むことを特徴とする請求項２に記載の方法。
【請求項５】
上記優先度スキームＡは、
少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有し、少なくとも同一種類のＵＣＩタイプを含むＵＣＩを搬送する複数のＰＵＣＣＨとＰＵＳＣＨに同一の電力割当優先度を有することを更に含むことを特徴とする請求項４に記載の方法。
【請求項６】
上記の搬送されたＵＣＩのＵＣＩタイプの優先度及び搬送波の優先度に基づいて電力低下を行うことは、
搬送されたＵＣＩのＵＣＩタイプの優先度及び搬送波の優先度に基づいて、優先度スキームＢ又は優先度スキームＣを含む電力割当優先度スキームを確定し、
上記優先度スキームＢ又は優先度スキームＣに基づいて、電力割当優先度の低い順に上記ＰＵＣＣＨ及び／又はＰＵＳＣＨに対し逐次電力低下を行うことを含み、
上記優先度スキームＢは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一ＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義することを含み、
上記優先度スキームＣは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、且つ、主要素搬送波を含む搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まない搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、
又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義することを含むことを特徴とする請求項２に記載の方法。
【請求項７】
上記優先度スキームＢ及び／又は上記優先度スキームＣは、
主要素搬送波を含まない搬送波群のＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義し、
又は、主要素搬送波を含まないＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義することを更に含むことを特徴とする請求項６に記載の方法。
【請求項８】
上記の搬送されたＵＣＩのＵＣＩタイプの優先度及びチャネルの優先度に基づいて電力低下を行うことは、
搬送されたＵＣＩのＵＣＩタイプの優先度及びチャネルの優先度に基づいて、優先度スキームＤ又は優先度スキームＥを含む電力割当優先度を確定し、
優先度スキームＤ又は優先度スキームＥに基づいて、電力割当優先度の低い順に上記ＰＵＣＣＨ及び／又はＰＵＳＣＨに対し逐次電力低下を行うことを含み、
上記優先度スキームＤは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義することを含み、
上記優先度スキームＥは、
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度を含むことを特徴とする請求項２に記載の方法。
【請求項９】
上記優先度スキームＤ及び／又は上記優先度スキームＥは、
少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有することを更に含むことを特徴とする請求項８に記載の方法。
【請求項１０】
上記の搬送されたＵＣＩのＵＣＩタイプの優先度、搬送波の優先度、チャネルの優先度に基づいて電力低下を行うことは、
搬送されたＵＣＩのＵＣＩタイプの優先度、搬送波の優先度、チャネルの優先度に基づいて、優先度スキームＦ、優先度スキームＧ、優先度スキームＨ、優先度スキームＩ、優先度スキームＪ又は優先度スキームＫを含む電力割当優先度を確定し、
上記優先度スキームＦ、優先度スキームＧ、優先度スキームＨ、優先度スキームＩ、優先度スキームＪ又は優先度スキームＫに基づいて、電力割当優先度の低い順に上記ＰＵＣＣＨ及び／又はＰＵＳＣＨに対し逐次電力低下を行うことを含み、
上記優先度スキームＦは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義し、
且つ、主要素搬送波を含む搬送波群のＵＣＩを搬送し且つＵＣＩに少なくとも同一種類のＵＣＩタイプを含むＰＵＣＣＨとＰＵＳＣＨ、及び、主要素搬送波を含まない搬送波群のＵＣＩを搬送し且つＵＣＩに少なくとも同一種類のＵＣＩタイプを含むＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義することを含み、
上記優先度スキームＧは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義することを含み、
上記優先度スキームＨは、
ＵＣＩを搬送するＰＵＣＣＨの電力割当優先度＞ＵＣＩを搬送するＰＵＳＣＨの電力割当優先度、
且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、
且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義することを含み、
上記優先度スキームＩは、
ＵＣＩを搬送するＰＵＣＣＨの電力割当優先度＞ＵＣＩを搬送するＰＵＳＣＨの電力割当優先度、
且つ、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度、
且つ、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度、
且つ、主要素搬送波を含む搬送波群のＵＣＩを搬送するＰＵＣＣＨ及び主要素搬送波を含まない搬送波群のＵＣＩを搬送するＰＵＣＣＨ、又は、主要素搬送波を含むＵＣＩを搬送するＰＵＣＣＨ及び主要素搬送波を含まないＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＳＣＨ及び主要素搬送波を含まない搬送波群のＵＣＩを搬送するＰＵＳＣＨ、又は、主要素搬送波を含むＵＣＩを搬送するＰＵＳＣＨ及び主要素搬送波を含まないＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義することを含み、
上記優先度スキームＪは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ又は主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義し、
且つ、主要素搬送波を含まない搬送波群のＵＣＩを搬送するＰＵＣＣＨとＰＵＳＣＨ又は主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義することを含み、
上記優先度スキームＫは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ、及び主要素搬送波を含まない搬送波群のＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度、且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義し、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度、且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義することを含むことを特徴とする請求項２に記載の方法。
【請求項１１】
上記優先度スキームＦ、優先度スキームＧ、優先度スキームＨ、優先度スキームＩ、優先度スキームＪ又は優先度スキームＫにおいて、
主要素搬送波を含まない搬送波群のＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義し、
又は、主要素搬送波を含まないＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義することを更に含むことを特徴とする請求項１０に記載の方法。
【請求項１２】
電力低下を行うべき上りチャネルに同一の電力割当優先度を有する複数上りチャネルが存在する場合、上記複数上りチャネルに対し等比例的に電力低下を行い、ここで、上記上りチャネルは、ＰＵＣＣＨ、ＰＵＳＣＨ、ＰＲＡＣＨのうちの１つ又は複数の種類を含むことを特徴とする請求項４〜１１のいずれか一項に記載の方法。
【請求項１３】
多種類ＵＣＩタイプのＵＣＩが同時に１つの上りチャネルで搬送される場合、上記多種類ＵＣＩタイプに対応する最高優先度に基づいて、搬送された上りチャネルの電力割当優先度を確定することを特徴とする請求項４〜１２のいずれか一項に記載の方法。
【請求項１４】
ＣＳＩは周期的ＣＳＩと非周期的ＣＳＩを含み、
ここで、非周期的ＣＳＩの優先度が周期的ＣＳＩより高く、
又は、非周期的ＣＳＩを搬送するＰＵＳＣＨが存在する場合、非周期的ＣＳＩを搬送するＰＵＳＣＨの電力割当優先度が周期的ＣＳＩを搬送するＰＵＣＣＨの電力割当優先度に等しく、又はそれより大きく、又はそれより小さいことを特徴とする請求項１〜１３のいずれか一項に記載の方法。
【請求項１５】
確定ユニットと、判断ユニットと、電力制御ユニットとを含む端末であって、
当該確定ユニットは、各搬送波群での上りチャネルの目標送信電力を確定し、ここで、上記端末に少なくとも２つの搬送波群が配置され、各搬送波群の上り制御情報ＵＣＩは、ＵＣＩが位置する搬送波群に対応する少なくとも１つの上り搬送波の物理上り制御チャネルＰＵＣＣＨ及び／又は物理上りシェアドチャネルＰＵＳＣＨでフィードバックされ、
当該判断ユニットは、同時に伝送する上りチャネルの目標送信電力の和が端末の許容最大送信電力を超えたかを判断し、
当該電力制御ユニットは、上記判断ユニットにより超えたと判断した場合、上記同時に伝送する上りチャネルのうち、異なる搬送波群のＵＣＩが搬送されるＰＵＣＣＨ及び／又はＰＵＳＣＨに対し、上記端末の現在上りサブフレームでの全上りチャネルの送信電力の和が端末の許容最大送信電力を超えないように、少なくとも搬送されたＵＣＩのＵＣＩタイプの優先度に基づいて電力低下を行うことを特徴とする端末。
【請求項１６】
上記電力制御ユニットは、具体的に、
搬送されたＵＣＩのＵＣＩタイプの優先度に基づいて電力低下を行い、又は、
搬送されたＵＣＩのＵＣＩタイプの優先度及び搬送波の優先度に基づいて電力低下を行い、又は、
搬送されたＵＣＩのＵＣＩタイプの優先度及びチャネルの優先度に基づいて電力低下を行い、又は、
搬送されたＵＣＩのＵＣＩタイプの優先度、搬送波の優先度、チャネルの優先度に基づいて電力低下を行うことを特徴とする請求項１５に記載の端末。
【請求項１７】
上記ＵＣＩタイプの優先度は、
スケジューリング要求ＳＲの優先度≧肯定応答／否定応答ＡＣＫ／ＮＡＣＫの優先度＞チャネル状態情報ＣＳＩの優先度であり、
及び／又は、
上記搬送波の優先度は、
主要素搬送波の優先度＞他要素搬送波の優先度、及び／又は、主要素搬送波を含む搬送波群での搬送波の優先度＞主要素搬送波を含まない搬送波群での搬送波の優先度を含み、
及び／又は、
上記チャネルの優先度は、
ＰＵＣＣＨの優先度＞ＰＵＳＣＨの優先度、及び／又は、ＰＵＣＣＨの優先度＞ＵＣＩを搬送するＰＵＳＣＨの優先度＞ＵＣＩを搬送しないＰＵＳＣＨの優先度、及び／又は、現在サブフレームで物理ランダムアクセスチャネルＰＲＡＣＨを含むと、ＰＲＡＣＨの優先度≧ＰＵＣＣＨの優先度＞ＰＵＳＣＨの優先度、及び／又は、現在サブフレームでＰＲＡＣＨを含むと、ＰＲＡＣＨの優先度≧ＰＵＣＣＨの優先度＞ＵＣＩを搬送するＰＵＳＣＨの優先度＞ＵＣＩを搬送しないＰＵＳＣＨの優先度を含むことを特徴とする請求項１６に記載の端末。
【請求項１８】
上記電力制御ユニットは、具体的に、
搬送されたＵＣＩのＵＣＩタイプの優先度に基づいて電力割当優先度を確定し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度という優先度スキームＡを確定し、
上記優先度スキームＡに基づいて、電力割当優先度の低い順に上記ＰＵＣＣＨ及び／又はＰＵＳＣＨに対し逐次電力低下を行うことにより、搬送されたＵＣＩのＵＣＩタイプの優先度に基づく電力低下を実現し、
及び／又は、
搬送されたＵＣＩのＵＣＩタイプの優先度及び搬送波の優先度に基づいて、優先度スキームＢ又は優先度スキームＣを含む電力割当優先度スキームを確定し、
上記優先度スキームＢ又は優先度スキームＣに基づいて、電力割当優先度の低い順に上記ＰＵＣＣＨ及び／又はＰＵＳＣＨに対し逐次電力低下を行うことにより、搬送されたＵＣＩのＵＣＩタイプの優先度及び搬送波の優先度に基づいく電力低下を実現し、
上記優先度スキームＢは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一ＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義することを含み、
上記優先度スキームＣは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、且つ、主要素搬送波を含む搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まない搬送波群のＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、
又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、且つ、主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義し、且つ、主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度と定義することを含み、
及び／又は、
搬送されたＵＣＩのＵＣＩタイプの優先度及びチャネルの優先度に基づいて、優先度スキームＤ又は優先度スキームＥを含む電力割当優先度を確定し、
優先度スキームＤ又は優先度スキームＥに基づいて、電力割当優先度の低い順に上記ＰＵＣＣＨ及び／又はＰＵＳＣＨに対し逐次電力低下を行うことにより、搬送されたＵＣＩのＵＣＩタイプの優先度及びチャネルの優先度に基づいく電力低下を実現し、
上記優先度スキームＤは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義することを含み、
上記優先度スキームＥは、
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度を含み、
及び／又は、
搬送されたＵＣＩのＵＣＩタイプの優先度、搬送波の優先度、チャネルの優先度に基づいて、優先度スキームＦ、優先度スキームＧ、優先度スキームＨ、優先度スキームＩ、優先度スキームＪ又は優先度スキームＫを含む電力割当優先度を確定し、
上記優先度スキームＦ、優先度スキームＧ、優先度スキームＨ、優先度スキームＩ、優先度スキームＪ又は優先度スキームＫに基づいて、電力割当優先度の低い順に上記ＰＵＣＣＨ及び／又はＰＵＳＣＨに対し逐次電力低下を行うことにより、搬送されたＵＣＩのＵＣＩタイプの優先度、搬送波の優先度、チャネルの優先度に基づいく電力低下を実現し、
上記優先度スキームＦは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨ及び／又はＰＵＳＣＨに対し、主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度と定義し、
且つ、主要素搬送波を含む搬送波群のＵＣＩを搬送し且つＵＣＩに少なくとも同一種類のＵＣＩタイプを含むＰＵＣＣＨとＰＵＳＣＨ、及び、主要素搬送波を含まない搬送波群のＵＣＩを搬送し且つＵＣＩに少なくとも同一種類のＵＣＩタイプを含むＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義することを含み、
上記優先度スキームＧは、
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義することを含み、
上記優先度スキームＨは、
ＵＣＩを搬送するＰＵＣＣＨの電力割当優先度＞ＵＣＩを搬送するＰＵＳＣＨの電力割当優先度、
且つ、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、
且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、
且つ、少なくとも同一種類のＵＣＩタイプを含むＵＣＩを搬送するＰＵＣＣＨに対し、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度と定義し、
且つ、少なくとも同一種類のＵＣＩタイプを含むＵＣＩを搬送するＰＵＳＣＨに対し、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度と定義することを含み、
上記優先度スキームＩは、
ＵＣＩを搬送するＰＵＣＣＨの電力割当優先度＞ＵＣＩを搬送するＰＵＳＣＨの電力割当優先度、
且つ、主要素搬送波を含む搬送波群のＵＣＩを搬送するＰＵＣＣＨの電力割当優先度＞主要素搬送波を含まない搬送波群のＵＣＩを搬送するＰＵＣＣＨの電力割当優先度、又は、主要素搬送波を含むＵＣＩを搬送するＰＵＣＣＨの電力割当優先度＞主要素搬送波を含まないＵＣＩを搬送するＰＵＣＣＨの電力割当優先度、
且つ、主要素搬送波を含む搬送波群のＵＣＩを搬送するＰＵＳＣＨの電力割当優先度＞主要素搬送波を含まない搬送波群のＵＣＩを搬送するＰＵＳＣＨの電力割当優先度、又は、主要素搬送波を含むＵＣＩを搬送するＰＵＳＣＨの電力割当優先度＞主要素搬送波を含まないＵＣＩを搬送するＰＵＳＣＨの電力割当優先度、
且つ、主要素搬送波を含む搬送波群のＵＣＩを搬送するＰＵＣＣＨ及び主要素搬送波を含まない搬送波群のＵＣＩを搬送するＰＵＣＣＨ、又は、主要素搬送波を含むＵＣＩを搬送するＰＵＣＣＨ及び主要素搬送波を含まないＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＳＣＨ及び主要素搬送波を含まない搬送波群のＵＣＩを搬送するＰＵＳＣＨ、又は、主要素搬送波を含むＵＣＩを搬送するＰＵＳＣＨ及び主要素搬送波を含まないＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義することを含み、
上記優先度スキームＪは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ又は主要素搬送波を含むＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義し、
且つ、主要素搬送波を含まない搬送波群のＵＣＩを搬送するＰＵＣＣＨとＰＵＳＣＨ又は主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＡＣＫ／ＮＡＣＫを搬送するＰＵＳＣＨの電力割当優先度＞ＣＳＩを搬送するＰＵＣＣＨの電力割当優先度＞ＣＳＩを搬送するＰＵＳＣＨの電力割当優先度＞ＵＣＩを搬送しないＰＵＳＣＨの電力割当優先度と定義することを含み、
上記優先度スキームＫは、
主要素搬送波を含む搬送波群のＵＣＩを搬送するＰＵＣＣＨとＰＵＳＣＨの電力割当優先度＞主要素搬送波を含まない搬送波群のＵＣＩを搬送するＰＵＣＣＨとＰＵＳＣＨの電力割当優先度、又は、主要素搬送波を含むＵＣＩを搬送するＰＵＣＣＨとＰＵＳＣＨの電力割当優先度＞主要素搬送波を含まないＵＣＩを搬送するＰＵＣＣＨとＰＵＳＣＨの電力割当優先度、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、
且つ、主要素搬送波を含む搬送波群のＵＣＩを搬送するＰＵＣＣＨとＰＵＳＣＨ及び主要素搬送波を含まない搬送波群のＵＣＩを搬送するＰＵＣＣＨとＰＵＳＣＨ、又は、主要素搬送波を含むＵＣＩを搬送するＰＵＣＣＨとＰＵＳＣＨ及び主要素搬送波を含まないＵＣＩを搬送するＰＵＣＣＨとＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義することを含むことを特徴とする請求項１６に記載の端末。
【請求項１９】
上記優先度スキームＡは、
少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有し、少なくとも同一種類のＵＣＩタイプを含むＵＣＩを搬送する複数のＰＵＣＣＨとＰＵＳＣＨに同一の電力割当優先度を有することを更に含み、
及び／又は、
上記優先度スキームＢ及び／又は上記優先度スキームＣは、
主要素搬送波を含まない搬送波群のＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義し、
又は、主要素搬送波を含まないＵＣＩを搬送するＰＵＣＣＨとＰＵＳＣＨに対し、少なくとも同一種類のＵＣＩタイプを含むＵＣＩを搬送する複数の上記ＰＵＣＣＨの電力割当優先度が同じであり、少なくとも同一種類のＵＣＩタイプを含むＵＣＩを搬送する複数の上記ＰＵＳＣＨの電力割当優先度が同じであり、少なくとも同一種類のＵＣＩタイプを含むＵＣＩを搬送する複数の上記ＰＵＣＣＨと上記ＰＵＳＣＨの電力割当優先度が同じであると定義することを更に含み、
及び／又は、
上記優先度スキームＤ及び／又は上記優先度スキームＥは、
少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有することを更に含み、
及び／又は、
上記優先度スキームＦ、優先度スキームＧ、優先度スキームＨ、優先度スキームＩ、優先度スキームＪ又は優先度スキームＫにおいて、
主要素搬送波を含まない搬送波群のＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義し、
又は、主要素搬送波を含まないＵＣＩを搬送するＰＵＣＣＨとＰＵＳＣＨに対し、少なくとも同一種類のＵＣＩタイプを含むＵＣＩを搬送する複数のＰＵＣＣＨに同一の電力割当優先度を有し、少なくとも同一種類のＵＣＩタイプを含むＵＣＩを搬送する複数のＰＵＳＣＨに同一の電力割当優先度を有すると定義することを更に含むことを特徴とする請求項１８に記載の端末。
【請求項２０】
上記電力制御ユニットは、
電力低下を行うべき上りチャネルに同一の電力割当優先度を有する複数上りチャネルが存在する場合、上記複数上りチャネルに対し等比例的に電力低下を行い、
ここで、上記上りチャネルは、ＰＵＣＣＨ、ＰＵＳＣＨ、ＰＲＡＣＨのうちの１つ又は複数の種類を含み、
上記電力制御ユニットは、
多種類ＵＣＩタイプのＵＣＩが同時に１つの上りチャネルで搬送される場合、上記多種類ＵＣＩタイプに対応する最高優先度に基づいて、搬送された上りチャネルの電力割当優先度を確定し、
ここで、
ＣＳＩは周期的ＣＳＩと非周期的ＣＳＩを含み、
ここで、非周期的ＣＳＩの優先度が周期的ＣＳＩより高く、
又は、非周期的ＣＳＩを搬送するＰＵＳＣＨが存在する場合、非周期的ＣＳＩを搬送するＰＵＳＣＨの電力割当優先度が周期的ＣＳＩを搬送するＰＵＣＣＨの電力割当優先度に等しく、又はそれより大きく、又はそれより小さいことを特徴とする請求項１８又は１９に記載の端末。
【手続補正２】
【補正対象書類名】明細書
【補正対象項目名】００１７
【補正方法】変更
【補正の内容】
【００１７】
搬送されたＵＣＩのＵＣＩタイプの優先度及びチャネルの優先度に基づいて電力低下を行うことは、搬送されたＵＣＩのＵＣＩタイプの優先度及びチャネルの優先度に基づいて、優先度スキームＤ又は優先度スキームＥを含む電力割当優先度を確定することと、優先度スキームＤ又は優先度スキームＥに基づいて、電力割当優先度の低い順に上記ＰＵＣＣＨ及び／又はＰＵＳＣＨに対し逐次電力低下を行うことを含むことが好ましい。
上記優先度スキームＤ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義する。
上記優先度スキームＥ：
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度。
【手続補正３】
【補正対象書類名】明細書
【補正対象項目名】００３３
【補正方法】変更
【補正の内容】
【００３３】
上記電力制御ユニットは、具体的に、以下の方式を採用して、搬送されたＵＣＩのＵＣＩタイプの優先度及びチャネルの優先度に基づいく電力低下を実現し、即ち、搬送されたＵＣＩのＵＣＩタイプの優先度及びチャネルの優先度に基づいて、優先度スキームＤ又は優先度スキームＥを含む電力割当優先度を確定し、優先度スキームＤ又は優先度スキームＥに基づいて、電力割当優先度の低い順に上記ＰＵＣＣＨ及び／又はＰＵＳＣＨに対し逐次電力低下を行うことが好ましい。
上記優先度スキームＤ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義する。
上記優先度スキームＥ：
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度。
【手続補正４】
【補正対象書類名】明細書
【補正対象項目名】００５０
【補正方法】変更
【補正の内容】
【００５０】
プロセッサは、メモリの中のプログラムを読み出して以下のプロセスを実行することが好ましい。即ち、搬送されたＵＣＩのＵＣＩタイプの優先度及びチャネルの優先度に基づいて、優先度スキームＤ又は優先度スキームＥを含む電力割当優先度を確定し、優先度スキームＤ又は優先度スキームＥに基づいて、電力割当優先度の低い順に上記ＰＵＣＣＨ及び／又はＰＵＳＣＨに対し逐次電力低下を行う。
上記優先度スキームＤ：
ＳＲを搬送するＰＵＣＣＨの電力割当優先度≧ＡＣＫ／ＮＡＣＫを搬送するＰＵＣＣＨとＰＵＳＣＨの電力割当優先度＞ＣＳＩを搬送するＰＵＣＣＨとＰＵＳＣＨの電力割当優先度＞ＵＣＩを搬送しないＰＵＳＣＨの電力割当優先度、且つ、少なくとも同一ＵＣＩタイプを含むＵＣＩを搬送するＰＵＣＣＨとＰＵＳＣＨに対し、ＵＣＩを搬送するＰＵＣＣＨの電力割当優先度＞ＵＣＩを搬送するＰＵＳＣＨの電力割当優先度と定義する。
上記優先度スキームＥ：
ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度。
【手続補正５】
【補正対象書類名】明細書
【補正対象項目名】００９９
【補正方法】変更
【補正の内容】
【００９９】
上記ＣＳＩを搬送するＰＵＣＣＨとＰＵＳＣＨの送信電力が０に低下しても、上記端末の総送信電力が相変わらず端末の許容最大送信電力を超える場合、更にＡＣＫ／ＮＡＣＫを搬送するＰＵＣＣＨ及び／又はＰＵＳＣＨの送信電力を低下させ、残りのチャネルの送信電力を一定に保持する。ここで、１）ＡＣＫ／ＮＡＣＫを搬送するＰＵＣＣＨ及び／又はＰＵＳＣＨのうち、主要素搬送波を含むＡＣＫ／ＮＡＣＫを搬送するＰＵＣＣＨ及び／又はＰＵＳＣＨと、主要素搬送波を含まないＡＣＫ／ＮＡＣＫを搬送するＰＵＣＣＨ及び／又はＰＵＳＣＨが同時に存在する場合、まず上記主要素搬送波を含まないＡＣＫ／ＮＡＣＫを搬送するＰＵＣＣＨ及び／又はＰＵＳＣＨの送信電力を低下させ、残りのチャネルの送信電力を一定に保持する。上記主要素搬送波を含まないＡＣＫ／ＮＡＣＫ を搬送するＰＵＣＣＨ及び／又はＰＵＳＣＨが複数存在すると、上記主要素搬送波を含まないＡＣＫ／ＮＡＣＫを搬送するＰＵＣＣＨ及び／又はＰＵＳＣＨに対し等比例的に電力低下を行う。上記主要素搬送波を含まないＡＣＫ／ＮＡＣＫを搬送するＰＵＣＣＨとＰＵＳＣＨの送信電力が０に低下しても、上記端末の総送信電力が相変わらず端末の許容最大送信電力を超える場合、更に主要素搬送波を含むＡＣＫ／ＮＡＣＫを搬送するＰＵＣＣＨ及び／又はＰＵＳＣＨの送信電力を低下させる。上記主要素搬送波を含むＡＣＫ／ＮＡＣＫを搬送するＰＵＣＣＨ及び／又はＰＵＳＣＨが複数存在する場合、複数の上記主要素搬送波を含むＡＣＫ／ＮＡＣＫ を搬送するＰＵＣＣＨ及び／又はＰＵＳＣＨに対し等比例的に電力低下を行う。２）ＡＣＫ／ＮＡＣＫを搬送するＰＵＣＣＨ及び／又はＰＵＳＣＨのうち、主要素搬送波を含むＡＣＫ／ＮＡＣＫを搬送する複数のＰＵＣＣＨ及び／又はＰＵＳＣＨしか存在せず、又は主要素搬送波を含まないＡＣＫ／ＮＡＣＫを搬送する複数のＰＵＣＣＨ及び／又はＰＵＳＣＨしか存在しない場合、複数の上記ＰＵＣＣＨ及び／又はＰＵＳＣＨに対し等比例的に電力低下を行う。
【手続補正６】
【補正対象書類名】明細書
【補正対象項目名】０１３７
【補正方法】変更
【補正の内容】
【０１３７】
上記優先度スキームＥは、まずチャネルの優先度で並べ替え、それからＵＣＩの優先度で並べ替えるように確定されることが好ましい。当該方式で確定した優先度スキームＥは、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度、且つ、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度、且つ、ＵＣＩを搬送するＰＵＣＣＨの電力割当優先度＞ＵＣＩを搬送するＰＵＳＣＨの電力割当優先度である。
【手続補正７】
【補正対象書類名】明細書
【補正対象項目名】０１３９
【補正方法】変更
【補正の内容】
【０１３９】
例えば、優先度スキームＥの一種の表現は、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度＞ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度である。
【手続補正８】
【補正対象書類名】明細書
【補正対象項目名】０１５４
【補正方法】変更
【補正の内容】
【０１５４】
例えば、優先度スキームＦの第１種類の表現は、主要素搬送波を含む搬送波群のＳＲを搬送するＰＵＣＣＨの電力割当優先度＞主要素搬送波を含まない搬送波群のＳＲを搬送するＰＵＣＣＨの電力割当優先度≧主要素搬送波を含む搬送波群のＡＣＫ／ＮＡＣＫを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含まない搬送波群のＡＣＫ／ＮＡＣＫを搬送するＰＵＣＣＨの電力割当優先度＞主要素搬送波を含まない搬送波群のＡＣＫ／ＮＡＣＫを搬送するＰＵＳＣＨの電力割当優先度＞主要素搬送波を含む搬送波群のＣＳＩを搬送するＰＵＣＣＨの電力割当優先度＞主要素搬送波を含む搬送波群のＣＳＩを搬送するＰＵＳＣＨの電力割当優先度＞主要素搬送波を含まない搬送波群のＣＳＩを搬送するＰＵＣＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。
【手続補正９】
【補正対象書類名】明細書
【補正対象項目名】０１６８
【補正方法】変更
【補正の内容】
【０１６８】
優先度スキームＦの第２種類の表現は、主要素搬送波を含むＳＲを搬送するＰＵＣＣＨの電力割当優先度＞主要素搬送波を含まないＳＲを搬送するＰＵＣＣＨの電力割当優先度≧主要素搬送波を含むＡＣＫ／ＮＡＣＫを搬送するＰＵＣＣＨの電力割当優先度＞主要素搬送波を含むＡＣＫ／ＮＡＣＫを搬送するＰＵＳＣＨの電力割当優先度＞主要素搬送波を含まないＡＣＫ／ＮＡＣＫを搬送するＰＵＣＣＨの電力割当優先度＞主要素搬送波を含まないＡＣＫ／ＮＡＣＫを搬送するＰＵＳＣＨの電力割当優先度＞主要素搬送波を含むＣＳＩを搬送するＰＵＣＣＨの電力割当優先度＞主要素搬送波を含むＣＳＩを搬送するＰＵＳＣＨの電力割当優先度＞主要素搬送波を含まないＣＳＩを搬送するＰＵＣＣＨの電力割当優先度＞主要素搬送波を含まないＣＳＩを搬送するＰＵＳＣＨの電力割当優先度＞ＵＣＩを搬送しないＰＵＳＣＨの電力割当優先度である。
【手続補正１０】
【補正対象書類名】明細書
【補正対象項目名】０１８７
【補正方法】変更
【補正の内容】
【０１８７】
例えば、以上の優先度定義に基づいて、優先度スキームＧの第１種類の表現は、主要素搬送波を含む搬送波群のＳＲを搬送するＰＵＣＣＨの電力割当優先度＞主要素搬送波を含まない搬送波群のＳＲを搬送するＰＵＣＣＨの電力割当優先度≧主要素搬送波を含む搬送波群のＡＣＫ／ＮＡＣＫを搬送するＰＵＣＣＨの電力割当優先度＞主要素搬送波を含まない搬送波群のＡＣＫ／ＮＡＣＫを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含まない搬送波群のＡＣＫ／ＮＡＣＫを搬送するＰＵＳＣＨの電力割当優先度＞主要素搬送波を含む搬送波群のＣＳＩを搬送するＰＵＣＣＨの電力割当優先度＞主要素搬送波を含まない搬送波群のＣＳＩを搬送するＰＵＣＣＨの電力割当優先度＞主要素搬送波を含む搬送波群のＣＳＩを搬送するＰＵＳＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。ここで、主要素搬送波を含まない搬送波群のＳＲを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＣＣＨが複数あると、複数の上記ＰＵＣＣＨに同一の電力割当優先度を有し、主要素搬送波を含まない搬送波群のＣＳＩを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＳＣＨが複数あると、複数の上記ＰＵＳＣＨに同一の電力割当優先度を有し、主要素搬送波を含まない搬送波群のＣＳＩを搬送するＰＵＳＣＨが複数あると、複数の上記ＰＵＳＣＨに同一の電力割当優先度を有する。
【手続補正１１】
【補正対象書類名】明細書
【補正対象項目名】０２００
【補正方法】変更
【補正の内容】
【０２００】
以上の優先度定義に基づいて、優先度スキームＧの第２種類の表現は、主要素搬送波を含むＳＲを搬送するＰＵＣＣＨの電力割当優先度＞主要素搬送波を含まないＳＲを搬送するＰＵＣＣＨの電力割当優先度≧主要素搬送波を含むＡＣＫ／ＮＡＣＫを搬送するＰＵＣＣＨの電力割当優先度＞主要素搬送波を含まないＡＣＫ／ＮＡＣＫを搬送するＰＵＣＣＨの電力割当優先度＞主要素搬送波を含むＡＣＫ／ＮＡＣＫを搬送するＰＵＳＣＨの電力割当優先度＞主要素搬送波を含まないＡＣＫ／ＮＡＣＫを搬送するＰＵＳＣＨの電力割当優先度＞主要素搬送波を含むＣＳＩを搬送するＰＵＣＣＨの電力割当優先度＞主要素搬送波を含まないＣＳＩを搬送するＰＵＣＣＨの電力割当優先度＞主要素搬送波を含むＣＳＩを搬送するＰＵＳＣＨの電力割当優先度＞主要素搬送波を含まないＣＳＩを搬送するＰＵＳＣＨの電力割当優先度＞ＵＣＩを搬送しないＰＵＳＣＨの電力割当優先度である。
【手続補正１２】
【補正対象書類名】明細書
【補正対象項目名】０２１６
【補正方法】変更
【補正の内容】
【０２１６】
例えば、優先度スキームＨの第１種類の表現は、主要素搬送波を含む搬送波群のＳＲを搬送するＰＵＣＣＨの電力割当優先度＞主要素搬送波を含まない搬送波群のＳＲを搬送するＰＵＣＣＨの電力割当優先度＞主要素搬送波を含む搬送波群のＡＣＫ／ＮＡＣＫを搬送するＰＵＣＣＨの電力割当優先度＞主要素搬送波を含まない搬送波群のＡＣＫ／ＮＡＣＫを搬送するＰＵＣＣＨの電力割当優先度＞主要素搬送波を含む搬送波群のＣＳＩを搬送するＰＵＣＣＨの電力割当優先度＞主要素搬送波を含まない搬送波群のＣＳＩを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含まない搬送波群のＡＣＫ／ＮＡＣＫを搬送するＰＵＳＣＨの電力割当優先度＞主要素搬送波を含む搬送波群のＣＳＩを搬送するＰＵＳＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。ここで、主要素搬送波を含まない搬送波群のＳＲを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＣＣＨが複数あると、複数の上記ＰＵＣＣＨに同一の電力割当優先度を有し、主要素搬送波を含まない搬送波群のＣＳＩを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＳＣＨが複数あると、複数の上記ＰＵＳＣＨに同一の電力割当優先度を有し、主要素搬送波を含まない搬送波群のＣＳＩを搬送するＰＵＳＣＨが複数あると、複数の上記ＰＵＳＣＨに同一の電力割当優先度を有する。
【手続補正１３】
【補正対象書類名】明細書
【補正対象項目名】０２２１
【補正方法】変更
【補正の内容】
【０２２１】
第２の表現形式：
ＵＣＩを搬送するＰＵＣＣＨの電力割当優先度＞ＵＣＩを搬送するＰＵＳＣＨの電力割当優先度、且つ、
ＵＣＩを搬送するＰＵＣＣＨに対し、主要素搬送波を含むＵＣＩを搬送するＰＵＣＣＨの電力割当優先度＞主要素搬送波を含まないＵＣＩを搬送するＰＵＣＣＨの電力割当優先度と定義し、且つ、
ＵＣＩを搬送するＰＵＳＣＨに対し、主要素搬送波を含むＵＣＩを搬送するＰＵＳＣＨの電力割当優先度＞主要素搬送波を含まないＵＣＩを搬送するＰＵＳＣＨの電力割当優先度と定義し、且つ、
主要素搬送波を含むＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、且つ、
主要素搬送波を含まないＵＣＩを搬送するＰＵＣＣＨに対し、ＳＲを搬送するＰＵＣＣＨの電力割当優先度≧ＡＣＫ／ＮＡＣＫを搬送するＰＵＣＣＨの電力割当優先度＞ＣＳＩを搬送するＰＵＣＣＨの電力割当優先度と定義し、且つ、
主要素搬送波を含むＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義し、且つ、
主要素搬送波を含まないＵＣＩを搬送するＰＵＳＣＨに対し、ＡＣＫ／ＮＡＣＫを搬送するＰＵＳＣＨの電力割当優先度＞ＣＳＩを搬送するＰＵＳＣＨの電力割当優先度＞ＵＣＩを搬送しないＰＵＳＣＨの電力割当優先度と定義する。
【手続補正１４】
【補正対象書類名】明細書
【補正対象項目名】０２２２
【補正方法】変更
【補正の内容】
【０２２２】
例えば、優先度スキームＩの第１の表現は、主要素搬送波を含む搬送波群のＳＲを搬送するＰＵＣＣＨの電力割当優先度＞主要素搬送波を含む搬送波群のＡＣＫ／ＮＡＣＫを搬送するＰＵＣＣＨの電力割当優先度＞主要素搬送波を含む搬送波群のＣＳＩを搬送するＰＵＣＣＨの電力割当優先度＞主要素搬送波を含まない搬送波群のＳＲを搬送するＰＵＣＣＨの電力割当優先度＞主要素搬送波を含まない搬送波群のＡＣＫ／ＮＡＣＫを搬送するＰＵＣＣＨの電力割当優先度＞主要素搬送波を含まない搬送波群のＣＳＩを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含む搬送波群のＣＳＩを搬送するＰＵＳＣＨの電力割当優先度＞主要素搬送波を含まない搬送波群のＡＣＫ／ＮＡＣＫを搬送するＰＵＳＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。ここで、主要素搬送波を含まない搬送波群のＳＲを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＣＣＨが複数あると、複数の上記ＰＵＣＣＨに同一の電力割当優先度を有し、主要素搬送波を含まない搬送波群のＣＳＩを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＳＣＨが複数あると、複数の上記ＰＵＳＣＨに同一の電力割当優先度を有し、主要素搬送波を含まない搬送波群のＣＳＩを搬送するＰＵＳＣＨが複数あると、複数の上記ＰＵＳＣＨに同一の電力割当優先度を有する。
【手続補正１５】
【補正対象書類名】明細書
【補正対象項目名】０２２６
【補正方法】変更
【補正の内容】
【０２２６】
例えば、優先度スキームＪの第１の表現は、主要素搬送波を含む搬送波群のＳＲを搬送するＰＵＣＣＨの電力割当優先度≧主要素搬送波を含む搬送波群のＡＣＫ／ＮＡＣＫを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含む搬送波群のＣＳＩを搬送するＰＵＣＣＨの電力割当優先度＞主要素搬送波を含む搬送波群のＣＳＩを搬送するＰＵＳＣＨの電力割当優先度＞主要素搬送波を含まない搬送波群のＳＲを搬送するＰＵＣＣＨの電力割当優先度≧主要素搬送波を含まない搬送波群のＡＣＫ／ＮＡＣＫを搬送するＰＵＣＣＨの電力割当優先度＞主要素搬送波を含まない搬送波群のＡＣＫ／ＮＡＣＫを搬送するＰＵＳＣＨの電力割当優先度＞主要素搬送波を含まない搬送波群のＣＳＩを搬送するＰＵＣＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。ここで、主要素搬送波を含まない搬送波群のＳＲを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＣＣＨが複数あると、複数の上記ＰＵＣＣＨに同一の電力割当優先度を有し、主要素搬送波を含まない搬送波群のＣＳＩを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＳＣＨが複数あると、複数の上記ＰＵＳＣＨに同一の電力割当優先度を有し、主要素搬送波を含まない搬送波群のＣＳＩを搬送するＰＵＳＣＨが複数あると、複数の上記ＰＵＳＣＨに同一の電力割当優先度を有する。
【手続補正１６】
【補正対象書類名】明細書
【補正対象項目名】０２３０
【補正方法】変更
【補正の内容】
【０２３０】
例えば、優先度スキームＫの第１の表現は、主要素搬送波を含む搬送波群のＳＲを搬送するＰＵＣＣＨの電力割当優先度≧主要素搬送波を含む搬送波群のＡＣＫ／ＮＡＣＫを搬送するＰＵＣＣＨの電力割当優先度＞主要素搬送波を含む搬送波群のＣＳＩを搬送するＰＵＣＣＨの電力割当優先度＞主要素搬送波を含む搬送波群のＡＣＫ／ＮＡＣＫを搬送するＰＵＳＣＨの電力割当優先度＞主要素搬送波を含む搬送波群のＣＳＩを搬送するＰＵＳＣＨの電力割当優先度＞主要素搬送波を含まない搬送波群のＳＲを搬送するＰＵＣＣＨの電力割当優先度≧主要素搬送波を含まない搬送波群のＡＣＫ／ＮＡＣＫを搬送するＰＵＣＣＨの電力割当優先度＞主要素搬送波を含まない搬送波群のＣＳＩを搬送するＰＵＣＣＨの電力割当優先度＞主要素搬送波を含まない搬送波群のＡＣＫ／ＮＡＣＫを搬送するＰＵＳＣＨの電力割当優先度＞主要素搬送波を含まない搬送波群のＣＳＩを搬送するＰＵＳＣＨの電力割当優先度＞ＵＣＩを搬送しないＰＵＳＣＨの電力割当優先度である。ここで、主要素搬送波を含まない搬送波群のＳＲを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＣＣＨが複数あると、複数の上記ＰＵＣＣＨに同一の電力割当優先度を有し、主要素搬送波を含まない搬送波群のＣＳＩを搬送するＰＵＣＣＨが複数あると、複数の上記ＰＵＣＣＨに同一の電力割当優先度を有し、主要素搬送波を含まない搬送波群のＡＣＫ／ＮＡＣＫを搬送するＰＵＳＣＨが複数あると、複数の上記ＰＵＳＣＨに同一の電力割当優先度を有し、主要素搬送波を含まない搬送波群のＣＳＩを搬送するＰＵＳＣＨが複数あると、複数の上記ＰＵＳＣＨに同一の電力割当優先度を有する。
【国際調査報告】
2017505061.tif 000006
2017505061.tif 000007
2017505061.tif 000008
2017505061.tif 000009